(57)【要約】      （修正有）【課題】電子形式のテキストドキュメント及びイメージドキュメントを抽出し、同期化し、ディスプレイし、そして操作する方法及び装置を提供する。【解決手段】特許文書のようなドキュメントに関するテキストファイル及びイメージファイルは、発見的アルゴリズムを用いて、同期化される。ユーザーは、特許等価ファイル及びイメージファイルまたは他のタイプのドキュメントのライブラリを作成し、そして複数の異なる特許その他のドキュメントを含むためにケースを開放することができる。等価ファイルは等価ウィンドウにおけるディスプレイ上で選択的に見ることができる。等価ウィンドウ内で特許のファイルを同時に見ることにより、ユーザーは、ディスプレイ上の１つ又は複数のイメージウィンドウ内におけるイメージファイルのあらゆる部分を見ることができる。【選択図】図１
2010123134.tif 000002
【特許請求の範囲】
【請求項１】
ソーステキストファイル及びソースイメージファイルからドキュメントの等価テキストファイルを生成するための方法において、
少なくとも１つの記憶媒体からソーステキストファイル及びソースイメージファイルを抽出する過程と、
等価テキストファイルを生成するために、前記ドキュメントの前記ソースイメージファイルを用いて前記ソーステキストファイルをページ付けする過程と、
を有する方法。
【請求項２】
請求項１に記載の方法において、ディスプレイ上に前記等価テキストファイル及び前記ソースイメージファイルをディスプレイすることを特徴とする方法。
【請求項３】
請求項１に記載の方法において、前記ソーステキストファイル内にワードのインデックスを生成するために、前記等価テキストファイルにインデックスを付けることを特徴とする方法。
【請求項４】
請求項３に記載の方法において、前記ワードのインデックスが、Ｂ＋逆インデックスを有することを特徴とする方法。
【請求項５】
請求項３に記載の方法において、前記等価テキストファイルが、前記等価テキストファイルにおけるキャラクタを前記ソースイメージファイルにおけるロケーションに結び付ける一連のリンクを有し、前記等価テキストファイルが前記ディスプレイ上にディスプレイされる場合、前記等価テキストファイル内に配置されたデータが、外見上前記ソースイメージファイルに類似するフォーマットにおいてディスプレイ可能であることを特徴とする方法。
【請求項６】
請求項５に記載の方法において、前記ページ付け過程が、前記ソーステキストファイルからの前記ソースイメージファイルのフォーマット化の近似過程を有する中間等価テキストファイルを生成する過程を有することを特徴とする方法。
【請求項７】
請求項６により定義される方法において、前記ソースイメージファイルが、ビットマップされた複数のページイメージを有し、前記ページイメージが隣接する画素から成るキャラクタを含むことを特徴とする方法。
【請求項８】
請求項７により定義される方法における前記中間等価テキストファイルを生成する方法において、
前記ソースイメージファイルの各ページをメモリに記憶する過程と、
前記複数のビットマップされたページイメージを探索し、そして、隣接した画素の組を識別する過程とを有し、前記画素の各組が画素セルによって構成され、
各画素セルをビットマップバッファにコピーする過程と、
前記画素セルをＡＳＣＩＩキャラクタを表す１組の標準セルにマッチさせる過程とを有し、画素セルが標準セルにマッチする場合には、前記画素セルが認識された画素セルとして参照され、前記標準セルによって表されたＡＳＣＩＩキャラクタを用いてラベル付けし、
前記ＡＳＣＩＩデータによって前記認識済みＡＳＣＩＩラベルをページ付けするために前記ソーステキストファイルを有するＡＳＣＩＩデータを用いて前記認識済みセルのＡＳＣＩＩラベルをマッチングする過程を
更に有することを特徴とする方法。
【請求項９】
請求項６に記載の方法における中間等価テキストファイルを生成するための方法において、
前記ソーステキストファイルをメモリ内に記憶する過程を有し、前記ソーステキストファイルが英数字キャラクタ及び論理グループＩＤコードを表すＡＳＣＩＩデータレコードを有し、
書誌的ＩＤコードで始まる前記各ＡＳＣＩＩデータレコードを  前記イメージファイルの対応するイメージページ上の概略ロケーションに割り当てる過程と、
キャラクタ幅及び一定カラム長の表を用いて前記ＡＳＣＩＩデータレコードをパラグラフにフォーマットするために  各々の前記ＡＳＣＩＩデータレコードを処理する過程、及び、前記論理グループＩＤコードのロケーションのリストを作成する過程と、
前記ＡＳＣＩＩデータレコード、及び、前記論理グループＩＤコードのロケーションの前記リストをセーブする過程と、
を有することを特徴とする方法。
【請求項１０】
請求項９により定義される方法において、
前記中間等価テキストをディスプレイする過程と、
前記ソースイメージファイルをディスプレイする過程と、
前記中間等価テキストファイルを前記ソースイメージファイルと比較する過程と、
前記ソースイメージファイルの外観にマッチし、それによって、前記等価テキストファイルを作成するために、前記中間等価テキストファイル内に前記パラグラフを有する前記ＡＳＣＩＩキャラクタの位置を調節する過程と、
記憶する前記等価テキストファイルを記憶する過程と、
を有することを特徴とする方法。
【請求項１１】
請求項１に記載の方法における前記ソーステキストファイルにおいて、
電子的に記憶されたＡＳＣＩＩテキストファイルを、
有することを特徴とする方法。
【請求項１２】
請求項１１に記載の方法において、前記イメージファイルが、ソースドキュメントからの少なくとも１つのイメージページを有する電子的に記憶されたデータファイルであることを特徴とする方法。
【請求項１３】
請求項１２に記載の方法において、前記イメージファイルがグループ４圧縮フォーマットにおいて記憶されることを特徴とする方法。
【請求項１４】
請求項１３に記載の方法において、前記ソーステキストファイルの前記ＡＳＣＩＩテキストファイルが、文書「米国特許庁フルテキスト／ＡＰＳファイル」に指定されたフォーマットにおけるデータファイルを有することを特徴とする方法。
【請求項１５】
請求項１４に記載の方法において、前記ＡＳＣＩＩテキストファイルが、固定長８０文字のレコードに蓄えられ、そして、最後の７５のキャラクタがＡＳＣＩＩテキストデータを保持することを特徴とする方法。
【請求項１６】
請求項１５に記載の方法において、ＡＳＣＩＩテキストファイルが７５文字より長い場合には、前記ＡＳＣＩＩテキストファイルが複数の前記８０文字レコードに蓄えられることを特徴とする方法。
【請求項１７】
請求項１２に記載の方法において、前記等価テキストファイルが、前記ソーステキストファイルと前記ソースイメージファイルとの間のページ付け情報を含むデータファイルと結合することを特徴とする方法。
【請求項１８】
請求項１７に記載の方法において、前記ソーステキストファイルがＰＴＯテキストファイルを有することを特徴とする方法。
【請求項１９】
請求項１８に記載の方法において、前記ソースイメージファイルがＰＴＯイメージファイルを有することを特徴とする方法。
【請求項２０】
請求項１９により定義済された方法における前記ページ付け情報において、
前記ＰＴＯイメージファイルにディスプレイされる各特許テキストカラムの最初のＡＳＣＩＩキャラクタの前記ＰＴＯテキストファイル内の位置に関するカラム情報と、
前記ＰＴＯイメージファイルにディスプレイされるテキストの各行の最初のＡＳＣＩＩキャラクタの前記ＰＴＯテキストファイル内の位置に関する行情報と、
前記ＰＴＯテキストファイルにおけるＡＳＣＩＩテキストの各行が隣接する特許カラムにおける概略行番号を含むカラム行番号情報と、
前記ＰＴＯイメージファイル内の書誌的イメージに現れた場合における前記ＰＴＯテキストファイルからの書誌的データの配列を含む書誌的フォーマット化情報と、
を有することを特徴とする方法。
【請求項２１】
請求項２０に記載の方法における前記ページ付け情報において、更に、
前記ＰＴＯテキストファイルにおいて識別されたグラフィックスの前記ＰＴＯテキストファイルにおけるロケーションを識別する図形対象情報と、
前記ＰＴＯイメージファイルにディスプレイされた場合に特許ドキュメントの論理セクションの前記ＰＴＯテキストファイル内の位置を識別するセクション情報と、
を有することを特徴とする方法。
【請求項２２】
請求項２１に記載の方法における前記ページ付け情報において、更に、
前記ＰＴＯイメージファイルにおいて前記ＰＴＯテキストファイルにおける前記ＡＳＣＩＩキャラクタがディスプレイされるフォントスタイルを識別するフォント情報と、
前記ＰＴＯイメージファイルにおいて前記ＰＴＯテキストファイルにおける前記ＡＳＣＩＩキャラクタがディスプレイされるフォントサイズを識別するポイントサイズ情報と、
肩文字または添字を有する場合において、前記ＰＴＯイメージファイルにおいて前記ＰＴＯテキストファイルにディスプレイされるＡＳＣＩＩキャラクタを識別する肩文字または添字情報と、
前記ＰＴＯイメージファイルにおいて前記ＰＴＯテキストファイルにおける前記ＡＳＣＩＩキャラクタがディスプレイされる太さの程度を識別するボールドネス情報と、
を有することを特徴とする方法。
【請求項２３】
請求項２２に記載の方法における前記ページ付け情報において、
前記ＰＴＯイメージファイルにおいて前記ＰＴＯテキストファイルにおける前記ＡＳＣＩＩキャラクタがディスプレイされるイタリック体の程度を識別するイタリック体情報と、
前記ＰＴＯイメージファイルにおいて前記ＰＴＯテキストファイルにおける前記ＡＳＣＩＩキャラクタがディスプレイされる場合を識別する特殊文字情報と、
を有することを特徴とする方法。
【請求項２４】
請求項１９に記載の方法における前記抽出過程において、前記ＰＴＯテキストファイル及び前記ＰＴＯイメージファイルが複数の磁気テープのうちのいずれに蓄えられるかを識別し、そして、前記ＰＴＯテキストファイル及び対応するＰＴＯイメージファイルを抽出し、そして、第２の記憶媒体に前記ＰＴＯテキストファイル及び対応するＰＴＯイメージファイルを記憶することを特徴とする方法。
【請求項２５】
ソーステキストファイル及びソースイメージファイルからのドキュメントの等価テキストファイルを生成するための装置において、
少なくとも１つの記憶媒体からソーステキストファイル及びソースイメージファイルを抽出するための抽出手段と、
等価テキストを生成するために前記ドキュメントの前記ソースイメージファイルを用いて前記ソーステキストファイルをページ付けするためのページ付け手段と、
を有することを特徴とする装置。
【請求項２６】
請求項２５に記載の装置において、更に、前記等価テキストファイル及び前記ソースイメージファイルをディスプレイ上にディスプレイするためのディスプレイ手段を有することを特徴とする装置。
【請求項２７】
請求項２５に記載の装置において、更に、前記ソーステキストファイル内にワードのインデックスを生成するために、前記等価テキストファイルをインデックスするためのインデックス手段を有することを特徴とする装置。
【請求項２８】
請求項２７に記載の装置において、
前記ワードのインデックスがＢ＋逆インデックスを有することを特徴とする装置。
【請求項２９】
請求項２７に記載の装置におケル前記等価テキストファイルにおいて、前記等価テキストファイルが前記ディスプレイ上にディスプレイされる場合において、前記等価テキストファイル内に配置されたデータが、前記ソースイメージファイルに外観上類似するフォーマットにおいてディスプレイ可能であるように、前記等価テキストファイル内のキャラクタを前記ソースイメージファイルにおけるロケーションに結び付ける一連のリンクを有することを特徴とする装置。
【請求項３０】
請求項２９に記載の装置における前記ページ付け手段において、前記ソーステキストファイルからの前記ソースイメージファイルのフォーマット化の近似を有する中間の等価テキストファイルを生成するためのファイル生成手段を有することを特徴とする装置。
【請求項３１】
請求項３０に記載の装置における前記ソースイメージファイルにおいて、複数のビットマップされたページイメージを有し、前記ページイメージが隣接画素によって構成されるキャラクタを有することを特徴とする装置。
【請求項３２】
請求項３１に記載の装置における、前記中間等価テキストファイルを生成するための前記ファイル生成手段において、
前記ソースイメージファイルの各ページをメモリに記憶するためのページ記憶手段と、
前記複数のビットマップされたページイメージを検索し、そして、画素の隣接する組を識別するためのページイメージ探索手段とを有し、前記画素セルの隣接する組の各々が画素セルを有し、
各画素セルをビットマップバッファにコピーするためのコピー手段と、
画素セルが標準セルマッチする場合に、前記画素セルが、認識された画素セルに対して参照され、そして、前記標準セルによって表されるＡＳＣＩＩキャラクタを用いてラベル付けされるように、前記画素セルの各々を、ＡＳＣＩＩキャラクタを表す１組の標準セルにマッチさせるための画素マッチ手段と、
前記ＡＳＣＩＩデータを用いて、前記認識されたＡＳＣＩＩラベルをページ付けするために、前記ソーステキストファイルを有するＡＳＣＩＩデータと認識されたセルのＡＳＣＩＩラベルをマッチさせるためのラベルマッチ手段と、
を有することを特徴とする装置。
【請求項３３】
請求項３０に記載の装置において、前記中間等価テキストファイルファイルを生成するための前記ファイル生成手段において、
前記ソーステキストファイルをメモリに記憶するためのテキストファイル記憶手段を有し、前記ソーステキストファイルが、英数字キャラクタ及び論理グループＩＤコードを表すＡＳＣＩＩデータレコードを有し、
書誌的ＩＤコードを有する各々の前記ＡＳＣＩＩデータレコードを前記イメージファイルの対応するイメージページ上の概略ロケーションに割り当てるための割当て手段と、
キャラクタ幅及び一定のカラム長の表を用いて各々の前記ＡＳＣＩＩデータレコードをパラグラフにフォーマットするために前記ＡＳＣＩＩデータレコードを処理し、そして、前記論理グループＩＤコードのロケーションのリストを作成するためのデータ処理手段と、
前記処理されたデータ及び前記論理グループＩＤコードのロケーションの前記リストをセーブするためのデータセーブ手段と、
を有することを特徴とする装置。
【請求項３４】
請求項３３に記載の装置において、
前記中間等価テキストファイルをディスプレイするためのテキストファイルディスプレイ手段と、
前記ソースイメージファイルをディスプレイするためのイメージファイルディスプレイ手段と、
前記中間等価テキストファイルを前記ソースイメージファイルと比較するためのテキストファイル比較手段と、
前記ソースイメージファイルの外観にマッチさせ、これによって前記等価テキストファイルを作成するために、前記中間等価テキストファイルにおける前記パラグラフを有する前記ＡＳＣＩＩキャラクタの位置を調節するための位置調整手段と、
前記等価テキストファイルを記憶するためのテキストファイル記憶手段と、
を有することを特徴とする装置。
【請求項３５】
請求項２５に記載の装置において、前記ソーステキストファイルが電子的に蓄えられたＡＳＣＩＩテキストファイルを有することを特徴とする装置。
【請求項３６】
請求項３５に記載の装置において、前記イメージファイルが、ソースドキュメントからの少なくとも１つのイメージページを有する電子的に蓄えられたデータファイルであることを特徴とする装置。
【請求項３７】
請求項３６に記載の装置において、前記イメージファイルが、グループ４圧縮フォーマットにおいて記憶されることを特徴とする装置。
【請求項３８】
請求項３７に記載の装置において、前記ソーステキストファイルの前記ＡＳＣＩＩテキストファイルが、文書「米国特許庁フル−テキスト／ＡＰＳファイル」において指定されたフォーマットにおけるデータファイルを有することを特徴とする装置。
【請求項３９】
請求項３８に記載の装置において、前記ＡＳＣＩＩテキストファイルが、固定長８０文字レコードに蓄えられ、そして、最後の７５キャラクタがＡＳＣＩＩテキストデータを保持することを特徴とする装置。
【請求項４０】
請求項３９に記載の装置において、ＡＳＣＩＩテキストファイルが  ７５文字よりも長い場合には、前記ＡＳＣＩＩテキストファイルが、複数の前記８０文字レコードに蓄えられることを特徴とする装置。
【請求項４１】
請求項３６に記載の装置において、前記等価テキストファイルが、前記ソーステキストファイルと前記ソースイメージファイルとの間のページ付け情報を有するデータファイルと結合することを特徴とする装置。
【請求項４２】
請求項４１に記載の装置において、前記ソーステキストファイルがＰＴＯテキストファイルを有することを特徴とする装置。
【請求項４３】
請求項４２に記載の装置において、前記ソースイメージファイルがＰＴＯイメージファイルを有することを特徴とする装置。
【請求項４４】
請求項４３に記載の装置における前記ページ付け情報において、
前記ＰＴＯイメージファイルにディスプレイされる各特許テキストカラムの最初のＡＳＣＩＩキャラクタの前記ＰＴＯテキストファイル内の位置に関するカラム（欄）情報と、
前記ＰＴＯイメージファイルにディスプレイされる各行の最初のＡＳＣＩＩキャラクタの前記ＰＴＯテキストファイル内の位置に関する行情報と、
前記ＦＴＯテキストファイルにおけるＡＳＣＩＩテキストの各行が近接する特許カラムにおける概略行番号を有するカラム行番号情報と、
前記ＰＴＯイメージファイルの書誌的イメージに現れた場合における前記ＰＴＯテキストファイルからの書誌的データの配列情報を有する書誌的フォーマット化情報と、
を有することを特徴とする装置。
【請求項４５】
請求項４４に記載の装置における前記ページ付け情報において、
前記ＰＴＯテキストファイルにおいて識別されたグラフィックの前記ＰＴＯテキストファイルにおけるロケーションを識別する図形対象情報と、
前記ＰＴＯイメージファイルにディスプレイされた場合において特許ドキュメントの論理セクションの前記ＰＴＯテキストファイル内の位置を識別するセクション情報と、
を有することを特徴とする装置。
【請求項４６】
請求項４５に記載の装置におけるページ付け情報において、更に、
前記ＰＴＯテキストファイルが前記ＰＴＯイメージファイルにディスプレイされ場合において前記ＡＳＣＩＩキャラクタのフォントスタイルを識別するフォント情報と、
前記ＰＴＯテキストファイルが前記ＰＴＯイメージファイルにディスプレイされ場合において前記ＡＳＣＩＩキャラクタのフォントサイズを識別するポイントサイズ情報と、
肩文字または添字を有する場合において、前記ＰＴＯイメージファイルにおいて前記ＰＴＯテキストファイルにディスプレイされるＡＳＣＩＩキャラクタを識別する肩文字または添字情報と、
前記ＰＴＯイメージファイルにおいて前記ＰＴＯテキストファイルにおける前記ＡＳＣＩＩキャラクタがディスプレイされる太さの程度を識別するボールドネス情報と、
を有することを特徴とする装置。
【請求項４７】
請求項４６に記載の装置における前記ページ付け情報において、
前記ＰＴＯイメージファイルにおいて前記ＰＴＯテキストファイルにおける前記ＡＳＣＩＩキャラクタがディスプレイされるイタリック体の程度を識別するイタリック体情報と、
前記ＰＴＯイメージファイルにおいて前記ＰＴＯテキストファイルにおける前記ＡＳＣＩＩキャラクタがディスプレイされる場合を識別する特殊文字情報と、
を有することを特徴とする装置。
【請求項４８】
請求項４３に記載の装置における前記抽出手段において、前記ＰＴＯテキストファイル及び前記ＰＴＯイメージファイルが複数の磁気テープのうちのいずれに蓄えられるかを識別し、そして、前記ＰＴＯテキストファイル及び対応するＰＴＯイメージファイルを抽出し、そして、第２の記憶媒体に前記ＰＴＯテキストファイル及び対応するＰＴＯイメージファイルを記憶することを特徴とする装置。
【請求項４９】
少なくとも１つの中央処理装置（ＣＰＵ）を有するコンピュータ制御されたディスプレイシステムにおいて、ディスプレイ上にテキスト及びイメージをディスプレイするために前記ＣＰＵは前記ディスプレイに結合し、
等価テキストファイルを有する少なくとも１つのテキストドキュメント、及び、前記記憶手段に蓄えられたイメージファイルを有する少なくとも１つのイメージドキュメントを記憶するために前記ＣＰＵに結合した記憶手段と、
前記ディスプレイ上のディスプレイのために前記ＣＰＵによって生成されるユーザーインタフェースとを有し、前記ユーザーインタフェースは、前記等価テキストファイルが第１のウィンドウにディスプレイされ、そして、前記イメージファイルが第２のウィンドウにディスプレイされるようい前記等価テキストファイル及び前記イメージファイルを前記ディスプレイ上に選択的にディスプレイし、そして、前記ウィンドウは両方共、前記ディスプレイ上において選択的に同時に見ることが可能である、
ことを特徴とするシステム。
【請求項５０】
請求項４９に記載のディスプレイシステムにおいて、前記第１のウィンドウは等価テキストウィンドウであり、そして、前記第２のウィンドウはイメージウィンドウであることを特徴とするシステム。
【請求項５１】
請求項５０に記載のディスプレイシステムにおいて、更に、前記等価テキストファイル上においてオペレートするための第１の複数機能を提供するために前記ＣＰＵ及び前記ユーザーインタフェースに結合されたテキストツールボックス手段を有することを特徴とするシステム。
【請求項５２】
請求項５１に記載のディスプレイシステムにおいて、更に、前記イメージウィンドウにおける前記イメージファイル上においてオペレートするための第２の複数機能を提供するために前記ＣＰＵ及び前記ユーザーインタフェースに結合されたテキストツールボックス手段を有することを特徴とするシステム。
【請求項５３】
請求項５２に記載のディスプレイシステムにおいて、更に、前記等価テキストファイル及び前記イメージファイルを同期化ディスプレイにおいて選択的に見るために前記ＣＰＵに結合した同期化手段を有することを特徴とするシステム。
【請求項５４】
請求項５３に記載のディスプレイシステムにおいて、更に、前記等価テキストファイルにおいてユーザーによって定義されたタームをユーザーが検索することを可能にするために前記ＣＰＵに結合された検索手段を有することを特徴とするシステム。
【請求項５５】
請求項５４に記載のディスプレイシステムにおいて、更に、前記ユーザーが前記ノートウィンドウにテキストを挿入することを可能にするために前記ディスプレイ上に少なくとも１つのノートウィンドウを生成し、そして、そこにディスプレイするための前記ＣＰＵに結合した注釈手段を有することを特徴とするシステム。
【請求項５６】
請求項５５に記載のディスプレイシステムにおいて、更に、前記ノートウィンドウが、前記等価テキストウィンドウにディスプレイされた前記等価テキストファイルの選定済み部分に参照されることを特徴とするシステム。
【請求項５７】
請求項５６に記載のディスプレイシステムにおいて、更に、前記注釈手段が、前記ユーザーによって選定された前記等価テキストファイルの各部分に関するノートウィンドウを提供することを特徴とするシステム。
【請求項５８】
請求項５７に記載のディスプレイシステムにおいて、更に、前記ユーザーによって選定された際に、単一ノートウィンドウが前記等価テキストウィンドウにディスプレイされた前記等価テキストファイルにおける多重ロケーションに参照されるように、前記注釈手段が組合わされた多重ノートウィンドウをディスプレイすることを特徴とするシステム。
【請求項５９】
請求項５８に記載のディスプレイシステムにおいて、更に、前記等価テキストウィンドウにディスプレイされた前記等価テキストファイルの前記選定された部分を前記ユーザーがハイライトすることが可能であるように前記ＣＰＵに結合したハイライト手段を有することを特徴とするシステム。
【請求項６０】
請求項５９に記載のディスプレイシステムにおいて、更に、前記組み合わせ多重ノートウィンドウが、前記等価テキストファイル内の多重ロケーショに関係したテキストを有し、前記等価テキストファイルのの前記多重ロケーションの各々が前記ユーザーによってハイライトされることを特徴とするシステム。
【請求項６１】
請求項６０に記載のディスプレイシステムにおいて、更に、前記ハイライト手段が、前記ディスプレイ上のカラーにおけるハイライトを提供することを特徴とするシステム。
【請求項６２】
請求項６１に記載のディスプレイシステムにおいて、前記等価テキストウィンドウにディスプレイされた前記等価テキストファイルの同じ部分に対して多重ハイライト及び、対応するノートウィンドウを提供可能であることを特徴とするシステム。
【請求項６３】
請求項５３に記載のディスプレイシステムにおいて、前記記憶手段が多重等価テキストファイルおよび多重イメージファイルを記憶することを特徴とするシステム。
【請求項６４】
請求項６３に記載のディスプレイシステムにおいて、前記ユーザーインタフェースが、前記ディスプレイと同時に、多重等価テキストウィンドウに多重等価テキストファイルを選択的にディスプレイすることを特徴とするシステム。
【請求項６５】
請求項６４に記載のディスプレイシステムにおいて、前記ユーザーインタフェースが、前記ディスプレイと同時に、多重イメージウィンドウに、多重イメージファイルを選択的にディスプレイすることを特徴とするシステム。
【請求項６６】
少なくとも１つの中央処理装置（ＣＰＵ）を有するコンピュータ制御されたディスプレイシステムにおいて、ディスプレイ上に特許ドキュメントの等価テキスト及び特許イメージをディスプレイするために前記ＣＰＵは前記ディスプレイに結合し、
等価テキストファイルを有する少なくとも１つの特許ドキュメント、及び、前記記憶手段に蓄えられたイメージファイルを有する少なくとも１つの特許イメージドキュメントを記憶するために前記ＣＰＵに結合した記憶手段と、
前記ディスプレイ上のディスプレイのために前記ＣＰＵによって生成されるユーザーインタフェースとを有し、前記ユーザーインタフェースは、前記特許ドキュメントの前記等価テキストファイルが第１のウィンドウにディスプレイされ、そして、前記イメージファイルが第２のウィンドウにディスプレイされるようい前記等価テキストファイル及び前記イメージファイルを前記ディスプレイ上に選択的にディスプレイし、
そして、前記ウィンドウは両方共、前記ディスプレイ上において選択的に同時に見ることが可能である、
ことを特徴とするシステム。
【請求項６７】
請求項６６に記載のディスプレイシステムにおいて、前記第１のウィンドウは等価テキストウィンドウであり、そして、前記第２のウィンドウはイメージウィンドウであることを特徴とするシステム。
【請求項６８】
請求項６７に記載のディスプレイシステムにおいて、更に、前記特許ドキュメントの前記等価テキストファイル上においてオペレートするための第１の複数機能を提供するために前記ＣＰＵ及び前記ユーザーインタフェースに結合されたテキストツールボックス手段を有することを特徴とするシステム。
【請求項６９】
請求項６８に記載のディスプレイシステムにおいて、更に、前記イメージウィンドウにおける前記イメージファイル上においてオペレートするための第２の複数機能を提供するために前記ＣＰＵ及び前記ユーザーインタフェースに結合されたテキストツールボックス手段を有することを特徴とするシステム。
【請求項７０】
請求項６９に記載のディスプレイシステムにおいて、更に、前記特許ドキュメント前記等価テキストファイル及び前記イメージファイルを同期化ディスプレイにおいて選択的に見るために前記ＣＰＵに結合した同期化手段を有することを特徴とするシステム。
【請求項７１】
請求項７０に記載のディスプレイシステムにおいて、更に、前記特許ドキュメントの前記等価テキストファイルにおいてユーザーによって定義されたタームをユーザーが検索することを可能にするために前記ＣＰＵに結合された検索手段を有することを特徴とするシステム。
【請求項７２】
請求項７０に記載のディスプレイシステムにおいて、更に、前記ユーザーが前記特許ノートウィンドウにテキストを挿入することを可能にするために前記ディスプレイ上に少なくとも１つのノートウィンドウを生成し、そして、そこにディスプレイするための前記ＣＰＵに結合した注釈手段を有することを特徴とするシステム。
【請求項７３】
請求項７２に記載のディスプレイシステムにおいて、更に、前記特許ノートウィンドウが、前記等価テキストウィンドウにディスプレイされた前記等価テキストファイルの選定済み部分に参照されることを特徴とするシステム。
【請求項７４】
請求項７３に記載のディスプレイシステムにおいて、更に、前記特許注釈手段が、前記ユーザーによって選定された前記等価テキストファイルの各部分に関するノートウィンドウを提供することを特徴とするシステム。
【請求項７５】
請求項７４に記載のディスプレイシステムにおいて、更に、前記ユーザーによって選定された際に、前記単一ノートウィンドウが、前記等価テキストウィンドウにディスプレイされた前記等価テキストファイルにおける多重ロケーションに参照されるように、特許注釈手段が組合わされた多重ノートウィンドウをディスプレイすることを特徴とするシステム。
【請求項７６】
請求項７５に記載のディスプレイシステムにおいて、前記記憶手段が、多重等価テキストファイル及び多重イメージファイルを記憶することを特徴とするシステム。
【請求項７７】
請求項７６に記載のディスプレイシステムにおいて、複数の前記多重等価テキストファイル及び対応する多重イメージファイルを有するケースをユーザーが定義することを特徴とするシステム。
【請求項７８】
請求項７７に記載のディスプレイシステムにおいて、更に、前記ユーザーが前記ケースノートウィンドウにテキストを挿入することを可能にするために前記ディスプレイ上に少なくとも１つのケースノートウィンドウを生成し、そして、そこにディスプレイするための前記ＣＰＵに結合したケース注釈手段を有することを特徴とするシステム。
【請求項７９】
請求項７８に記載のディスプレイシステムにおいて、更に、前記等価テキストウィンドウにディスプレイされた前記等価テキストファイルの前記選定された部分を前記ユーザーがハイライトすることが可能であるように前記ＣＰＵに結合したハイライト手段を有することを特徴とするシステム。
【請求項８０】
請求項７９に記載のディスプレイシステムにおいて、前記ハイライト手段が、前記ディスプレイ上のカラーにおいてハイライトを提供することを特徴とするシステム。
【請求項８１】
請求項８０に記載のディスプレイシステムにおいて、多重ハイライト及び対応する特許ノートウィンドウが、前記等価テキストウィンドウにディスプレイされる前記等価テキストファイルの同じ部分に対して提供可能であることを特徴とするシステム。
【請求項８２】
請求項８１に記載のディスプレイシステムにおいて、前記特許注釈手段が、前記等価テキストウィンドウにディスプレイされた前記等価テキストファイルの前記選定済み部分に隣接する視覚インジケータを提供し、前記視覚インジケータが、これと関連した対応する特許ノートを有する前記等価テキストファイルの前記隣接部分を識別することを特徴とするシステム。
【請求項８３】
請求項８２に記載のディスプレイシステムにおいて、前記視覚インジケータが、前記等価テキストファイルの対応する部分に関して提供されたハイライトと同じカラーにおいてディスプレイされることを特徴とするシステム。
【請求項８４】
請求項８３に記載のディスプレイシステムにおいて、前記視覚インジケータが幾何学な形状であることを特徴とするシステム。
【請求項８５】
請求項８４に記載のディスプレイシステムにおいて、前記視覚インジケータに対応し、そして、前記視覚インジケータを選定するために前記ＣＰＵに信号を供給する前記ディスプレイの上にカーソルを置くと、前記特許注釈手段が、前記選定された視覚インジケータに対応する特許ノートウィンドウをディスプレイすることを特徴とするシステム。
【請求項８６】
請求項７７に記載のディスプレイシステムにおいて、前記ユーザーによる選定に際して、前記ユーザーインタフェースが、前記ディスプレイ上の多重等価テキストウィンドウにおいて多重等価テキストファイルを同時にディスプレイすることを特徴とするシステム。
【請求項８７】
請求項８６に記載のディスプレイシステムにおいて、前記ユーザーによる選定に際して、前記ユーザーインタフェースが、前記ディスプレイ上の多重イメージウィンドウにおいて多重イメージファイルを同時にディスプレイすることを特徴とするシステム。
【請求項８８】
請求項８７に記載のディスプレイシステムにおいて、前記同期化手段が、前記イメージファイルに前記等価テキストファイルを同期させるためのカラム（欄）情報を有することを特徴とするシステム。
【請求項８９】
請求項８８に記載のディスプレイシステムにおいて、前記等価テキストウィンドウが、前記ディスプレイ上にディスプレイされる前記等価テキストファイルのカラムを選択的にインクレメント及びデクリメントするためのカラムインクリメント／デクリメント手段を有することを特徴とするシステム。
【請求項９０】
請求項８９に記載のディスプレイシステムにおいて、前記ユーザーインタフェースが、特許テキストツールボックスウィンドウをディスプレイし、前記特許テキストツールボックスウィンドウにおいて、
複数のハイライトカラーのうちの１つを選定するためのハイライト選定手段と、
前記等価テキストファイルの１つのセクションを選定するための特許セクションナゲーション手段とを有し、前記セクションを選定することにより、その結果として、前記ＣＰＵが、前記等価テキストウィンドウにおいて前記等価テキストファイルをディスプレイすることを特徴とするシステム。
【請求項９１】
請求項７１に記載のディスプレイシステムにおいて、前記サーチ手段が、サーチ結果ウィンドウにおいてサーチ結果をディスプレイし、前記サーチ結果ウィンドウが、前記ユーザーによって定義されたサーチタームを有する全ての等価テキストファイルのリスティングを有することを特徴とするシステム。
【請求項９２】
請求項９１に記載のディスプレイシステムにおいて、前記サーチ結果ウィンドウが、前記ユーザーによって定義された前記サーチタームが、前記サーチ結果ウィンドウにおける前記リスティング内の各々の前記等価テキストファイル対してロケートされた場合を数値カウントすることを特徴とするシステム。
【請求項９３】
請求項９２に記載のディスプレイシステムにおいて、更に、前記等価テキストの前記リスティングを上向き又は下向きにスクロールするためのサーチ結果スクロール手段と、前記サーチ結果ウィンドウ内における前記等価テキストファイルの前記リスチングの異なる部分を見るためのサーチ結果観察（ビュー）手段とを有することを特徴とするシステム。
【請求項９４】
請求項９３に記載のディスプレイシステムにおいて、前記サーチ結果ウィンドウにおける前記等価テキストファイルのうちの１つを開き、そして、前記等価テキストウィンドウ内に前記等価テキストファイルをディスプレイするためのファイルディスプレイ手段を有することを特徴とするシステム。
【請求項９５】
請求項９４に記載のディスプレイシステムにおいて、更に、前記等価テキストファイルの全てを選定するための全選択（セレクトオール）手段と、前記サーチ結果ウィンドウを閉じるための閉止手段とを有することを特徴とするシステム。
【請求項９６】
請求項９１に記載のディスプレイシステムにおいて、前記サーチ手段が、サーチライブラリウィンドウにおけるサーチプロセスをディスプレイし、前記サーチライブラリウィンドウが、その中において前記ユーザーがサーチタームを定義するサーチタームウィンドウを有することを特徴とするシステム。
【請求項９７】
請求項９６に記載のディスプレイシステムにおいて、前記等価テキストファイルの全ての部分集合を選択するための部分集合選択手段を有することを特徴とするシステム。
【請求項９８】
請求項９７に記載のディスプレイシステムにおいて、前記部分集合選択手段が、メインライブラリの部分集合を選択し、現行ライブラリを選択し、そして、前記等価テキストファイルの全ての部分集合を選択することを特徴とするシステム。
【請求項９９】
請求項９８に記載のディスプレイシステムにおいて、更に、コネクタワードを呼び出すためのコネクタワードディスプレイ手段と、前記サーチアイテムウィンドウ内にディスプレイされた前記サーチターム一掃するためのクリアリング手段とを有することを特徴とするシステム。
【請求項１００】
請求項９８に記載のディスプレイシステムにおいて、更に、前記サーチタームをセーブするためのセーブ・サーチ手段と、以前にセーブしたサーチタームを検索するためのゲット・サーチ手段とを有することを特徴とするシステム。
【請求項１０１】
請求項９８に記載のディスプレイシステムにおいて、更に、前記サーチタームに関する探索を開始するためのサーチスタート（探索開始）手段と、前記サーチタームに関する前記探索を停止するためのキャンセル手段とを有することを特徴とするシステム。
【請求項１０２】
請求項９８に記載のディスプレイシステムにおいて、サーチライブラリと、前記サーチアイテムウィンドウを上下いずれにもスクロールするためのスクロール手段とを有することを特徴とするシステム。
【請求項１０３】
請求項９８に記載のディスプレイシステムにおいて、前記サーチ手段がワードリストウィンドウを有し、前記ワードリストウィンドウがが複数のサブワードリストウィンドウを有することを特徴とするシステム。
【請求項１０４】
請求項１０３に記載のディスプレイシステムにおいて、前記サブワードリストウィンドウが、前記ユーザーによって選定された等価テキストファイルに現れる全てのワードのリスティングを有することを特徴とするシステム。
【請求項１０５】
請求項１０４に記載のディスプレイシステムにおいて、更に、各サブワードリストウィンドウをアルファベット順にインデックスを付けるためのインデックス手段と、分類された前記ワードをディスプレイするためのワードディスプレイ手段とを有することを特徴とするシスム。
【請求項１０６】
請求項１０５に記載のディスプレイシステムにおいて、前記インデックス手段が、アルファベットを用いて各サブワードリストウィンドウをタグし、各サブワードリストウィンドウが、前記サブワードリストウィンドウの前記アルファベットと同じ接頭辞を用いて前記ワードをディスプレイすることを特徴とするシステム。
【請求項１０７】
請求項１０６に記載のディスプレイシステムにおいて、各サブワードリストウィンドウが、前記ワードの各々に関して、前記等価テキストファイル内における各々の前記ワードの発生の数値カウント有することを特徴とするシステム。
【請求項１０８】
請求項１０７に記載のディスプレイシステムにおいて、前記サブワードリストウィンドウのうちの任意ウィンドウからワードを選定し、前記ワードを前記サーチアイテムウィンドウに加えるためのキーワード選択手段を有することを特徴とするシステム。
【請求項１０９】
請求項１０４に記載のディスプレイシステムにおいて、サブワードリストウィンドウを上下にスクロールするためのサブワードリストウィンドウと、サブワードリストウィンドウ内の前記ワードの前記リスティングの異なる部分を見るためのサブワードリストウィンドウ観察手段とを有することを特徴とするシステム。
【請求項１１０】
請求項６９に記載のディスプレイシステムにおいて、前記イメージツールボックス手段が、手段が、前記イメージウィンドウ内にディスプレイされる前記特許イメージドキュメントを回転させるための回転機能を有することを特徴とするシステム。
【請求項１１１】
請求項１１０に記載のディスプレイシステムにおいて、前記イメージツールボックス手段が、選択エレメント番号と関連した等価テキストファイルの部分をディスプレイするための選択エレメント番号機能を有することを特徴とするシステム。
【請求項１１２】
請求項１１１に記載のディスプレイシステムにおいて、前記選択エレメント番号機能が、選択エレメント番号ウィンドウをディスプレイするためにアイコンを作動化し、前記選択エレメント番号を入力し、ファインド−イン−テキストアイコンを作動化し、そして、前記等価テキストファイルの前記部分をディスプレイして、前記選択エレメント番号が最初に起きた場合に開始することを特徴とするシステム。
【請求項１１３】
請求項６９に記載のディスプレイシステムにおいて、更に、前記イメージウィンドウ内にディスプレイされる前記イメージファイルの一部を拡大するためのイメージ拡大手段を有することを特徴とするシステム。
【請求項１１４】
請求項１１３に記載のディスプレイシステムにおいて、前記イメージ拡大手段が、前記イメージファイルウィンドウ内にディスプレイされた前記イメージファイルの一部分の周りにボックスを配置し、前記ボックス内に配置された前記イメージファイルの前記部分を拡大し、そして、前記イメージウィンドウ内に前記イメージファイルの前記部分の拡大されたイメージをディスプレイすることを特徴とするシステム。
【請求項１１５】
ディスプレイに結合された少なくとも１つの中央処理装置（ＣＰＵ）を有するコンピュータ制御されたディスプレイシステムにおける、前記ディスプレイ上にテキスト及びイメージをディスプレイするための方法において、
前記ＣＰＵと連結した記憶手段において、等価テキストファイルを有する少なくとも１つのテキストドキュメント、及び、前記記憶手段に蓄えられたイメージファイルを有する少なくとも１つのイメージドキュメントを記憶する過程と、
前記ディスプレイ上にディスプレイするために前記ＣＰＵを用いてユーザーインタフェースを生成する過程と、
前記等価テキストファイルが第１のウィンドウにディスプレイされ、そして、前記イメージファイルが第２のウィンドウにディスプレイされ、そして、前記両方のウィンドウを前記ディスプレイ上において選択的に同時に見ることが可能であるように、前記ユーザーインタフェースを用いて、前記ディスプレイ上に、前記等価テキストファイル、及び、前記イメージファイルを選択的にディスプレイする過程と、
を有することを特徴とする方法。
【請求項１１６】
請求項１１５に記載のディスプレイ方法において、前記第１のウィンドウが等価テキストウィンドウであり、そして、前記第２のウィンドウがイメージウィンドウであることを特徴とする方法。
【請求項１１７】
請求項１１６に記載のディスプレイ方法において、更に、前記等価テキストファイルにおいてオペレートするために複数の第１の機能を提供する過程を有することを特徴とする方法。
【請求項１１８】
請求項１１７に記載のディスプレイ方法において、前記イメージウィンドウ内の前記イメージファイルにおいてオペレートするために複数の第２の機能を提供することを特徴とする方法。
【請求項１１９】
請求項１１８に記載のディスプレイ方法において、前記等価テキストファイル及び前記イメージファイルを、同期したディスプレイにおいて選択的に見る過程を有することを特徴とする方法。
【請求項１２０】
請求項１１９に記載のディスプレイ方法において、前記等価テキストファイルにおいてユーザーにより定義されたアイテムをユーザーが検索することを可能にする過程を有することを特徴とする方法。
【請求項１２１】
請求項１２０に記載のディスプレイ方法において、前記ＣＰＵに結合した注釈手段を用いて、前記ユーザーによる前記ノートウィンドウへのテキスト挿入を可能にするために前記ディスプレイ上に少なくとも１つのノートウィンドウを生成し、そして、ディスプレイする過程を有することを特徴とする方法。
【請求項１２２】
請求項１２１に記載のディスプレイ方法において、前記ノートウィンドウが、前記等価テキストウィンドウにディスプレイされた前記等価テキストファイルの選定された部分に参照されることを特徴とする方法。
【請求項１２３】
請求項１２２に記載のディスプレイ方法において、前記注釈手段が、前記ユーザーによって選定された前記等価テキストファイルの各部分にノートウィンドウを提供することを特徴とする方法。
【請求項１２４】
請求項１２３に記載のディスプレイ方法において、ユーザーによる選定に際して、前記注釈手段が、１つの単一ノートウィンドウが、前記等価テキストウィンドウにディスプレイされた前記等価テキストファイルにおける多重ロケーションに参照されるように、組合わされた多重ノートウィンドウをディスプレイすることを特徴とする方法。
【請求項１２５】
請求項１２４に記載のディスプレイ方法において、前記等価テキストファイルにディスプレイされた前記等価テキストファイルの選定された前記部分の前記ユーザーによるハイライトを可能にするために前記ＣＰＵに結合されたハイライト手段を有することを特徴とする方法。
【請求項１２６】
請求項１２５に記載のディスプレイ方法において、前記組合わされた多重ノートウィンドウが、前記等価テキストファイルにおける多重ロケーションに関連したテキストを有し、前記等価テキストファイルの各々の前記多重ロケーションが前記ユーザーによってハイライトされることを特徴とする方法。
【請求項１２７】
請求項１２６に記載のディスプレイ方法において、前記ハイライト手段が、前記ディスプレイにおいてカラーによるハイライトを提供することを特徴とする方法。
【請求項１２８】
請求項１２７に記載のディスプレイ方法において、多重ハイライト及び対応するノートウィンドウが、前記等価テキストウィンドウにディスプレイされた前記等価テキストファイルの同じ部分に対して提供されることを特徴とする方法。
【請求項１２９】
請求項１１９に記載のディスプレイ方法において、前記記憶手段が、多重等価テキストファイル及び多重イメージファイルを記憶することを特徴とする方法。
【請求項１３０】
請求項１２９に記載のディスプレイ方法において、前記ユーザーインタフェースが、前記ディスプレイにおける多重等価テキストウィンドウにおいて多重等価テキストファイルを選択的に同時にディスプレイすることを特徴とする方法。
【請求項１３１】
請求項１３０に記載のディスプレイ方法において、前記ユーザーインタフェースが、前記ディスプレイにおける多重イメージウィンドウにおいて多重イメージファイルを選択的に同時にディスプレイすることを特徴とする方法。
【請求項１３２】
ディスプレイに結合された少なくとも１つの中央処理装置（ＣＰＵ）を有するコンピュータ制御されたディスプレイシステムにおける、前記ディスプレイ上に特許ドキュメントの等価テキスト及び特許イメージをディスプレイするための方法において、
前記ＣＰＵと連結した記憶手段において、等価テキストファイルを有する少なくとも１つの特許ドキュメント、及び、前記記憶手段に蓄えられたイメージファイルを有する少なくとも１つの特許イメージドキュメントを記憶する過程と、
前記ディスプレイ上にディスプレイするために前記ＣＰＵを用いてユーザーインタフェースを生成する過程と、
前記特許ドキュメントの等価テキストファイルが第１のウィンドウにディスプレイされ、そして、前記イメージファイルが第２のウィンドウにディスプレイされ、そして、前記両方のウィンドウを前記ディスプレイ上において選択的に同時に見ることが可能であるように、
前記ユーザーインタフェースを用いて、前記ディスプレイ上に、前記特許ドキュメントの前記等価テキストファイル、及び前記イメージファイルを選択的にディスプレイする過程と、
を有することを特徴とする方法。
【請求項１３３】
請求項１３２に記載のディスプレイ方法において、前記第１のウィンドウが等価テキストウィンドウであり、そして、前記第２のウィンドウがイメージウィンドウであることを特徴とする方法。
【請求項１３４】
請求項１３３に記載のディスプレイ方法において、更に、前記特許ドキュメントの前記等価テキストファイルにおいてオペレートするために複数の第１の機能を提供する過程を有することを特徴とする方法。
【請求項１３５】
請求項１３４に記載のディスプレイ方法において、イメージツールボックス手段を用いて前記イメージウィンドウ内の前記イメージファイルにおいてオペレートするために複数の第２の機能を提供することを特徴とする方法。
【請求項１３６】
請求項１３５に記載のディスプレイ方法において、前記等価テキストファイルが前記イメージファイルに同期化されるように、同期化されたディスプレイにおいて、前記特許ドキュメントの前記等価テキストファイル及び前記イメージファイルを同期化し、そして、選択的に見る過程を有することを特徴とする方法。  
【請求項１３７】
請求項１３６に記載のディスプレイ方法において、前記ＣＰＵに結合したサーチ手段を用いて、前記特許ドキュメントの前記等価テキストファイルにおいて、前記ユーザーによって定義されたタームをユーザーが探索する過程を有することを特徴とする方法。
【請求項１３８】
請求項１３７に記載のディスプレイ方法において、前記ＣＰＵに結合された特許注釈手段を用いて前記ユーザーが前記特許ノートウィンドウにテキストを挿入することを可能にするために、前記ディスプレイ上に少なくとも１つの特許ノートウィンドウを生成し、そして、ディスプレイする過程を有することを特徴とする方法。
【請求項１３９】
請求項１３８に記載のディスプレイ方法において、前記特許ノートウィンドウが、前記等価テキストウィンドウにディスプレイされた前記特許ドキュメントの前記等価テキストファイルの選定された部分に参照されることを特徴とする方法。
【請求項１４０】
請求項１３９に記載のディスプレイ方法において、前記特許注釈手段が、前記ユーザーによって選定された前記等価テキストファイルの各部分に対して特許ノートウィンドウを提供することを特徴とする方法。
【請求項１４１】
請求項１４０に記載のディスプレイ方法において、ユーザーによる選定に際して、１つの単一特許ノートウィンドウが、前記等価テキストウィンドウにディスプレイされた前記等価テキストファイルにおける多重ロケーションに参照されるように、前記特許注釈手段が組合わされた多重特許ノートウィンドウをディスプレイすることを特徴とする方法。
【請求項１４２】
請求項１４１に記載のディスプレイ方法において、前記記憶手段が、多重等価テキストファイル及び多重イメージファイルを記憶することを特徴とする方法。
【請求項１４３】
請求項１４２に記載のディスプレイ方法において、ユーザーが、複数の前記多重等価テキストファイル及び対応する多重イメージファイルを有するケースを定義することが可能であることを特徴とする方法。
【請求項１４４】
請求項１４３に記載のディスプレイ方法において、前記ディスプレイ上において、前記ユーザーが、前記ＣＰＵに結合されたケーす注釈手段を用いて、ケースノートウィンドウにテキストを挿入することを可能にするために少なくとも１つの前記ケースノートウィンドウを生成し、そして、ディスプレイする過程を有することを特徴とする方法。
【請求項１４５】
請求項１４４に記載のディスプレイ方法において、更に、前記ＣＰＵに結合されたハイライト手段を用いて前記等価テキストウィンドウにディスプレイされた等価テキストファイルの前記選定済み部分を前記ユーザーによってハイライトすることを可能にする過程を有することを特徴とする方法。
【請求項１４６】
請求項１４５に記載のディスプレイ方法において、前記ハイライト手段が、前記ディスプレイにおいてカラーによるハイライトを提供することを特徴とする方法。
【請求項１４７】
請求項１４６に記載のディスプレイ方法において、多重ハイライト及び対応する多重特許ノートウィンドウが、前記等価テキストウィンドウにディスプレイされた前記等価テキストファイルの同じ部分に対して提供可能であることを特徴とする方法。
【請求項１４８】
請求項１４７に記載のディスプレイ方法において、
前記特許注釈手段が、前記等価テキストウィンドウにディスプレイされた前記等価テキストファイルの前記選定済み部分に隣接する視覚インジケータを提供し、視覚インジケータが、これと関連して対応する特許ノートを有する前記等価テキストファイルの前記隣接部分を識別することを特徴とする方法。
【請求項１４９】
請求項１４８に記載のディスプレイ方法において、前記視覚インジケータが、前記等価テキストファイルの対応する部分に提供されたハイライトと同じカラーにディスプレイされることを特徴とする方法。
【請求項１５０】
請求項１４９に記載のディスプレイ方法において、前記視覚インジケータが幾何学的形状を有することを特徴とする方法。
【請求項１５１】
請求項１５０に記載のディスプレイ方法において、前記視覚インジケータを選定するために、前記視覚インジケータに対応し、そして、前記ＣＰＵへ信号を供給する前記ディスプレイの一部分にカーソルを置くと、前記特許注釈手段が、前記選定済み前記視覚インジケータに対応する特許ノートウィンドウをディスプレイすることを特徴とする方法。
【請求項１５２】
請求項１４３に記載のディスプレイ方法において、前記ユーザーによる選択に基づき、前記ユーザーインタフェースが、前記ディスプレイ上における、多重等価テキストウィンドウ内に多重等価テキストファイルを同時にディスプレイすることを特徴とする方法。
【請求項１５３】
請求項１５２に記載のディスプレイ方法において、前記ユーザーによる選択に基づき、前記ユーザーインタフェースが、前記ディスプレイ上における、多重イメージウィンドウ内に、多重等価テキストファイルを同時に選択的にディスプレイすることを特徴とする方法。
【請求項１５４】
請求項１３２に記載のディスプレイ方法において、前記同期化された過程が、前記特許イメージファイルに前記等価テキストファイルを同期化させるためにカラム（欄）情報を提供することを特徴とする方法。
【請求項１５５】
請求項１５４に記載のディスプレイ方法において、前記ディスプレイにディスプレイされた前記等価テキストファイルのカラムを選択的にインクレメント及びデクリメントする過程を有することを特徴とする方法。
【請求項１５６】
請求項１４５に記載のディスプレイ方法において、更に、前記ユーザーインタフェースが、特許テキストツールボックスウィンドウをディスプレイする過程を有し、前記特許テキストツールボックスウィンドウにおいて、複数のハイライトカラーのうちの１つを選定するためのハイライト選択手段と、前記等価テキストファイルの１つのセクションを選定するための特許セクションナビゲーション手段とを有し、
前記セクションを選定する結果として、前記ＣＰＵが、前記等価テキストウィンドウ内に、前記等価テキストファイルの前記セクションをディスプレイする、
ことを特徴とする方法。
【請求項１５７】
請求項１３７に記載のディスプレイ方法において、サーチタームがサーチ結果ウィンドウ内に探索結果をディスプレイする過程を有し、前記サーチ結果ウィンドウが、前記ユーザーによって定義されたサーチタームを有する全ての等価テキストファイルのリスティングを有することを特徴とする方法。
【請求項１５８】
請求項１５２に記載のディスプレイ方法において、前記サーチ結果ウィンドウが、前記サーチ結果ウィンドウ内の前記リスティングにおける前記各等価テキストファイルに対して前記ユーザーによって定義されたサーチタームがロケートされた場合を数値カウントするすることを特徴とする方法。
【請求項１５９】
請求項１５８に記載のディスプレイ方法において、更に、前記等価テキストファイルの前記リスティングを上下にスクロールする過程と、前記サーチ結果ウィンドウにおいて前記等価テキストファイルの前記リスティングの異なる部分を見る過程とを有することを特徴とする方法。
【請求項１６０】
請求項１５９に記載のディスプレイ方法において、前記サーチ結果ウィンドウにおいて前記等価テキストファイルの１つを開く過程と、前記等価テキストウィンドウにおいて前記等価テキストファイルをディスプレイする過程とを有することを特徴とする方法。
【請求項１６１】
請求項１６０に記載のディスプレイ方法において、全ての前記等価テキストファイルを選択する過程と、前記サーチ結果ウィンドウを閉じる過程を有することを特徴とする方法。
【請求項１６２】
請求項１５７に記載のディスプレイ方法において、サーチライブラリウィンドウにおいてサーチプロセスをディスプレイする過程を有し、前記サーチライブラリウィンドウが、前記ユーザーによって定義されたサーチタームを含むサーチアイテムウィンドウを有することを特徴とする方法。
【請求項１６３】
請求項１６２に記載のディスプレイ方法において、全ての前記等価テキストファイルの部分集合を選定する過程を有することを特徴とする方法。
【請求項１６４】
請求項１６３に記載のディスプレイ方法において、前記部分集合のうちの１つを選定する過程と、現行ライブラリを選定する過程と、そして、全ての前記等価テキストファイルの部分集合を選定する過程とを有することを特徴とする方法。
【請求項１６５】
請求項１６２に記載のディスプレイ方法において、有されて、コネクタワードを呼び出す過程と、前記サーチアイテムウィンドウにディスプレイされた前記サーチアイテムをクリアする過程とを有する方法。
【請求項１６６】
請求項１６２に記載のディスプレイ方法において、前記サーチタームをセーブする過程と、以前にセーブされたサーチタームを検索する過程とを有することを特徴とする方法。
【請求項１６７】
請求項１６２に記載のディスプレイ方法において、更に、有されて、前記サーチタームの探索を開始する過程と、前記サーチタームの探索を停止する過程とを有することを特徴とする方法。
【請求項１６８】
請求項１６２に記載のディスプレイ方法において、前記サーチアイテムウィンドウを上下にスクロールする過程を有することを特徴とする方法。
【請求項１６９】
請求項１６２に記載のディスプレイ方法において、前記サーチプロセスをワードリストウィンドウにディスプレイする過程を有し、前記ワードリストウィンドウが複数のサブワードリストウィンドウを有することを特徴とする方法。
【請求項１７０】
請求項１６９に記載のディスプレイ方法において、前記サブワードリストウィンドウが、前記ユーザーによって選定された等価テキストファイル内に現れる全てのワードのリスティングを有することを特徴とする方法。
【請求項１７１】
請求項１７０に記載のディスプレイ方法において、更に、アルファベット順に各サブワードリストウィンドウにインデックスを付ける過程と、記憶された前記ワードをディスプレイする過程とを有する方法。
【請求項１７２】
請求項１７１に記載のディスプレイ方法において、インデックス過程が、各サブワードリストウィンドウにアルファベットによりタッグする過程と、各サブワードリストウィンドウに前記サブワードリストウィンドウの前記アルファベットと同じ接頭辞を用いて前記ワードをディスプレイする過程とを有する方法。
【請求項１７３】
請求項１７２に記載のディスプレイ方法において、各サブワードリストウィンドウが、各々の前記ワードに関して、各々の前記ワードが前記等価テキストファイルにおいて発生する場合を数値カウントする過程を有することを特徴とする方法。
【請求項１７４】
請求項１７１に記載のディスプレイ方法において、更に、前記サブワードリストウィンドウのうちの任意のウィンドウから１つのワードを選定する過程と、前記ワードを前記サーチアイテムウィンドウに加える過程とを有することを特徴とする方法。
【請求項１７５】
請求項１７１に記載のディスプレイ方法において、サブワードリストウィンドウを上下にスクロールする過程と、サブワードリストウィンドウ内の前記ワードの前記リスティングの異なる部分を見る過程とを有することを特徴とする方法。
【請求項１７６】
請求項１３５に記載のディスプレイ方法において、前記イメージウィンドウ内にディスプレイされた前記イメージファイルを回転させる過程を有することを特徴とする方法。
【請求項１７７】
請求項１７６に記載のディスプレイ方法において、選択エレメント番号と関連した等価テキストファイルの部分をディスプレイする過程を有することを特徴とする方法。
【請求項１７８】
請求項１７７に記載のディスプレイ方法において、前記選択エレメント番号と関連した前記等価テキストファイルの前記部分をディスプレイする過程と、選択エレメント番号ウィンドウをディスプレイするためにアイコンを作動化する過程と、前記選択エレメント番号を入力する過程と、ファインド・イン・テキストアイコンを作動化する過程と、前記選択エレメント番号が最初に発生した場合に始まる前記等価テキストファイルの前記部分をディスプレイする過程とを有することを特徴とする方法。
【請求項１７９】
請求項１３９に記載のディスプレイ方法において、前記イメージウィンドウにディスプレイされた前記イメージファイルの部分を拡大する過程を有することを特徴とする方法。
【請求項１８０】
請求項１７９に記載のディスプレイ方法において、前記イメージファイルの前記部分を拡大する過程と、前記イメージウィンドウにディスプレイされた前記イメージファイルの部分の周りにボックスを配置する過程と、前記ボックスが配置された前記イメージファイルの前記部分を拡大する過程と、前記イメージウィンドウにおける前記イメージファイルの前記部分の拡大されたイメージをディスプレイする過程とを有することを特徴とする方法。
【請求項１８１】
コンピュータ制御されるディスプレイシステムにおいて、
中央処理装置（ＣＰＵ）と、
ディスプレイユニットと、
等価テキストファイルを有する少なくとも１つのテキストドキュメント、及び、圧縮されたイメージファイルを有する少なくとも１つのイメージドキュメントを記憶するための記憶装置と、
前記ディスプレイユニットにディスプレイするために、前記ＣＰＵによって生成されたユーザーインタフェースとを有し、前記ユーザーインタフェースが、前記テキストドキュメントを前記ディスプレイユニット第１のウィンドウにディスプレイし、前記イメージドキュメントを前記ディスプレイユニットの第２のウィンドウにディスプレイすることを特徴とする方法。
【請求項１８２】
請求項１８１に記載のディスプレイシステムにおける前記ユーザーインタフェースにおいて、
前記ディスプレイユニットの前記第２ウィンドウにおける前記イメージドキュメントのユーザーが選定した部分をズームするためにオペレータが「ズームイメージ」オプションを選定可能にするための手段と、
前記「ズームイメージ」オプションが選定されると、前記オペレータがズームレベルを入力可能にするための手段と、
前記ズームレベルに従って前記イメージドキュメントの前記ユーザーによって選定された部分に対応する前記圧縮されたイメージファイルの部分を圧縮解除するためのデータデコンプレッサと、
前記ディスプレイユニットの前記第２ウィンドウにおける前記圧縮解除されたイメージファイルによって表されるズームされたイメージをディスプレイするための手段と、
を有することを特徴とするシステム。
【請求項１８３】
請求項１８２に記載のディスプレイシステムにおいて、前記イメージドキュメントの前記ユーザーが選定した部分が前記イメージドキュメントの全てを表すことを特徴とするシステム。
【請求項１８４】
請求項１８２に記載のディスプレイシステムにおいて、前記ユーザーインタフェースが、第１のズームレベル及び第２のズームレベルをサポートし、前記第２ズームレベルの倍率および解像度が、前記第１ズームレベルの倍率および解像度のＮ分の１に等しいことを特徴とするシステム。
【請求項１８５】
請求項１８４に記載のディスプレイシステムにおける前記データデコンプレッサにおいて、
前記オペレータが前記第１ズームレベルを入力した場合に前記圧縮されたイメージファイルの前記部分の各行の全てのビットを圧縮解除するための手段と、
前記オペレータが前記第２ズームレベルを入力した場合に前記圧縮されたイメージファイルの前記部分のＮ番目の行のＮ番目のビットを圧縮解除するための手段と、
を有することを特徴とするシステム。
【請求項１８６】
請求項１８１に記載のディスプレイシステムにおける前記ユーザーインタフェースにおいて、
前記イメージドキュメントのユーザーが選定した部分を、ユーザー指定の宛先にコピーするために、オペレータによる「コピーイメージ」オプションの選定を可能にするための手段と、
前記「コピーイメージ」オプションが選定された場合に、前記オペレータによる解像度レベルの入力を可能にするための手段と、
前記解像度レベルに従って前記イメージドキュメントの前記ユーザーによって選定された部分に対応する前記圧縮されたイメージファイルの部分を圧縮解除するためのデータデコンプレッサと、
前記をコピーするための手段は、前記圧縮されたイメージファイルの前記圧縮解除された部分を前記ユーザーによって指定された宛先にコピーするための手段と、
を有することを特徴とするシステム。
【請求項１８７】
請求項１８６に記載のディスプレイシステムにおいて、前記ユーザーが指定した宛先がユーザーがアクセス可能なバッファであることを特徴とするシステム。
【請求項１８８】
請求項１８６に記載のディスプレイシステムにおいて、前記ユーザーが指定した宛先がユーザーが指定したファイルであることを特徴とするシステム。
【請求項１８９】
請求項１８１に記載のディスプレイシステムにおける前記ユーザーインタフェースにおいて、
オペレータによる「ロックウィンドウズ」オプションの選定を可能にするための手段と、
前記「ロックウィンドウズ」オプションが選定された場合に、前記ディスプレイユニットにディスプレイされた全てのウィンドウの動きを無能にするための手段と、
を有することを特徴とするシステム。
【請求項１９０】
請求項１８１に記載のディスプレイシステムにおいて、前記テキストドキュメント及び前記イメージドキュメントが特許ドキュメントの表現を構成することを特徴とするシステム。
【請求項１９１】
請求項１９０に記載のディスプレイシステムにおける前記ユーザーインタフェースにおいて、
前記テキストドキュメントの特許請求の範囲セクションをユーザー指定の宛先にコピーするために、オペレータによる「コピークレーム」オプションの選定を可能にするための手段と、
前記テキストドキュメントにおける前記特許請求の範囲セクションの開始をロケートするための手段と、
前記特許請求の範囲セクションの前記開始に後続する全てテキストを前記テキストドキュメントから抽出するための手段と、
前記抽出されたテキストを前記ユーザーが指定した宛先にコピーするための手段と、
を有することを特徴とするシステム。
【請求項１９２】
請求項１９１に記載のディスプレイシステムにおいて、前記ユーザーが指定した宛先がユーザーがアクセス可能なバッファであることを特徴とするシステム。
【請求項１９３】
請求項１９１に記載のディスプレイシステムにおいて、前記ユーザーが指定した宛先がユーザーが指定したファイルであることを特徴とするシステム。
【請求項１９４】
請求項１９１に記載のディスプレイシステムにおいて、更に、
複数のレコードを有する連結されたリストを維持するための手段を有し、各レコードが、前記テキストドキュメントにおけるセクションに対応し、そして、前記セクションの開始をポイントするポインタを有し、
前記位置付け手段において、
前記連結されたリストにおける最後のレコードを位置付けするための手段と、
前記テキストドキュメントにおける前記特許請求の範囲セクションの前記開始を位置付けするために、前記最後のレコードに含まれるポインタを使用するための手段と、
を有することを特徴とするシステム。
【請求項１９５】
中央処理装置（ＣＰＵ）及びディスプレイユニットを有するコンピュータ制御されたディスプレイシステムにおける、前記ディスプレイユニット上にテキスト及びイメージをディスプレイするためのディスプレイ方法において、（１）等価テキストファイルを有する少なくとも１つのテキストドキュメント、及び、圧縮されたイメージファイルを有する少なくとも１つのイメージドキュメントを、前記ＣＰＵと結合された記憶ユニットに記憶する過程と、
（２）前記ディスプレイユニット上にディスプレイするために前記ＣＰＵを用いてユーザーインタフェースを生成する過程と、
（３）前記テキストドキュメントを前記ディスプレイユニットの第１ウィンドウに、そして、前記イメージドキュメントを前記ディスプレイユニットの第２ウィンドウにディスプレイする過程と、
とを有することを特徴とする方法。
【請求項１９６】
請求項１９５に記載のディスプレイ方法において、
（ａ）前記ディスプレイユニットの前記第２ウィンドウにおける前記イメージドキュメントのユーザーが選定した部分をズームするために、オペレータが「ズーム  イメージ」オプションを選定可能にする過程と、
（ｂ）前記「ズームイメージ」オプションが選定されている場合に、前記オペレータによるズームレベルの入力を可能にする過程と、
（ｃ）前記部分を減圧することは、前記急上昇レベルに従って前記イメージドキュメントの前記ユーザー選定部分に対応する前記圧縮されたイメージファイルの一部分を、前記ズームレベルに従って、圧縮解除する過程と、
（ｄ）前記によって表された急上昇させられたイメージ画像をディスプレイすることは、前記ディスプレイユニットの前記第２ウィンドウにおける圧縮解除されたイメージファイルによって表されるズームされたイメージをディスプレイする過程と、
を有することを特徴とする方法。
【請求項１９７】
請求項１９６に記載のディスプレイ方法において、前記イメージドキュメントの前記ユーザー選定部分が全ての前記イメージドキュメントを表すことを特徴とする方法。
【請求項１９８】
請求項１９６に記載のディスプレイ方法において、第１のズームレベル及び第２のズームレベルがサポートされ、前記第２ズームレベルの倍率及び解像度力が、前記第１のズームレベルの倍率および解像度のＮ分の１に等しいことを特徴とする方法。
【請求項１９９】
請求項１９８に記載のディスプレイ方法における過程（ｃ）において、
前記オペレータが前記第１ズームレベルを入力した場合、前記圧縮されたイメージファイル前記部分の全ての行における全てのビットを圧縮解除する過程と、
前記オペレータが前記第２ズームレベルを入力した場合に、前記圧縮されたイメージファイルの前記部分の各Ｎ番目に行の各Ｎ番目のビットを圧縮解除する過程と、
を有することを特徴とする方法。
【請求項２００】
請求項１９５に記載のディスプレイ方法において、
前記イメージドキュメントのユーザー選定部分をユーザー指定宛先にコピーするために、オペレータが「コピー  イメージ」オプションを選定することを可能にする過程と、
前記「コピー  イメージ」オプションが選定された場合、前記オペレータが解像力レベルを入力することを可能にする過程と、
前記解像度レベルに従い、前記イメージドキュメントの前記ユーザー選定部分に対応する前記圧縮されたイメージファイルの部分の圧縮を解除する過程と、
前記圧縮されたイメージファイルの前記圧縮解除された部分を、前記ユーザー指定宛先にコピーする過程と、
を有することを特徴とする方法。
【請求項２０１】
請求項２００に記載のディスプレイ方法において、前記ユーザー指定宛先がユーザーがアクセス可能なバッファであることを特徴とする方法。
【請求項２０２】
請求項２００に記載のディスプレイ方法において、前記ユーザー指定宛先がユーザー指定のファイルであることを特徴とする方法。
【請求項２０３】
請求項１９５に記載のディスプレイ方法において、更に、
オペレータが、「ロック  ウィンドウズ」オプションを選定することを可能にする過程と、
前記「ロック  ウィンドウズ」オプションが選定された場合、前記ディスプレイユニットにディスプレイされる全てのウィンドウの動きを無能にする過程と、
を有することを特徴とする方法。
【請求項２０４】
請求項１９５に記載のディスプレイ方法において、前記テキストドキュメント及び前記イメージドキュメントが特許ドキュメントの表現を構成することを特徴とする方法。
【請求項２０５】
請求項２０４に記載のディスプレイ方法において、更に、
（ａ）オペレータが、前記テキストドキュメントの特許請求の範囲セクションをユーザー指定の宛先にコピーするために「コピー  クレームス」オプションを選定することを可能にする過程と、
（ｂ）前記テキストドキュメントにおける前記特許請求の範囲セクションの開始を位置付けする過程と、
（ｃ）前記テキストドキュメントから前記特許請求の範囲セクションの開始に後続する全てのテキストを抽出する過程と、
（ｄ）前記抽出したテキストを前記ユーザー指定の宛先へコピーする過程と、
を有することを特徴とする方法。
【請求項２０６】
請求項２０５に記載のディスプレイ方法において、前記ユーザー指定の宛先がユーザーがアクセス可能なバッファであることを特徴とする方法。
【請求項２０７】
請求項２０５に記載のディスプレイ方法において、前記ユーザー指定の宛先がユーザー指定のファイルであることを特徴とする方法。
【請求項２０８】
請求項２０５に記載のディスプレイ方法において、更に、
複数のレコードを有する連結されたリストを維持する方法を有し、各レコードが、前記テキストドキュメントにおけるセクションに対応し、そして、前記セクションの開始をポイントするポインタを有し、
前記過程（ｂ）において、
前記連結されたリストにおける最後のレコードを位置付けする過程と、
前記テキストドキュメントにおける前記特許請求の範囲セクションの前記開始を位置付けするために、前記最後のレコードに含まれるポインタを使用する過程と、
を有することを特徴とする方法。
【請求項２０９】
第１の顧客マシンと、
共用ディスクドライブを有する第２の顧客マシンとを有し、ファイル改名オペレーションが前記共用ディスクドライブにおける最小単位オペレーションであり、前記共用ディスクドライブは、前記第１および第２の両顧客マシンにアクセス可能であり、
前記第１顧客マシンにおいて、
コマンドファイルを前記共用ディスクドライブに記入する手段を有し、前記コマンドファイルのファイル名が第１ファイル名エキステンションを有し、
前記コマンドファイルが前記共用ディスクドライブに完全に記入された後において、前記コマンドファイルを第２のファイル名エキステンションを有するファイル名に改名するための手段を有し、
前記第２顧客マシンにおいて、
前記共用ディスクドライブから、前記第２ファイル名エキステンションを有するファイル名を持つ任意のコマンドファイルを検索するための手段と、
前記検索されたコマンドファイルを実行するための手段と、
を有することを特徴とするコンピュータシステム。
【請求項２１０】
請求項２０９に記載のコンピュータシステムにおいて、前記第２顧客マシンがＵＮＩＸベースマシンであることを特徴とするシステム。
【請求項２１１】
ソーステキストファイル及びソースイメージファイルからのドキュメントの等価テキストファイルを生成する方法において、
（１）少なくとも１つの記憶媒体から前記ソーステキストファイル及び前記ソースイメージファイルを抽出する過程を有し、前記ソーステキストファイル及び前記ソースイメージファイルが前記ドキュメントの表現を構成し、
（２）等価テキストファイルを生成するために、ユーザー指定同期化レベルに基づき、前記ソースイメージファイルを用いて前記ソーステキストファイルをページ付けする過程を有する、
ことを特徴とする方法。
【請求項２１２】
請求項２１１に記載の方法における過程（２）において、
前記等価テキストファイルを生成するために、ページベースにおいて前記ソースイメージファイルを用いて前記ソーステキストファイルをページ付けする過程を有することを特徴とする方法。
【請求項２１３】
請求項２１１に記載の方法における過程（２）において、
前記等価テキストファイルを生成するために、ページ及びカラムベースにおいて前記ソースイメージファイルを用いて前記ソーステキストファイルをページ付けする過程を有することを特徴とする方法。
【請求項２１４】
請求項２１１に記載の方法における過程（２）において、
前記等価テキストファイルを生成するために、ページ、カラム及び行ベースにおいて前記ソースイメージファイルを用いて前記ソーステキストファイルをページ付けする過程を有することを特徴とする方法。
【請求項２１５】
前記ソースイメージファイルが圧縮される請求項２１１に記載の方法における過程（２）において、
前記圧縮されたソースイメージファイルにおけるクランプを識別する過程と、
前記クランプをキャラクタとして認識するために、前記クランプをキャラクタテンプレートと比較する過程と、
前記キャラクタの行を識別する過程と、
前記圧縮されたソースイメージファイルにおけるキャラクタの前記行を有する前記ソーステキストファイルを、前記ソーステキストファイルにおけるキャラクタを用いて、関連した行の終端部、カラムの終端部、および、ページの終端部にマッチさせる過程とを有し、
行の終端部、カラムの終端部、および、ページの終端部と関連した前記ソーステキストファイルが、前記等価テキストファイルを表す、
ことを特徴とする方法。
【請求項２１６】
ソーステキストファイル及びソースイメージファイルからのドキュメントの等価テキストファイルをページ付けするためのコンピュータベース装置において、
少なくとも１つの記憶媒体から前記ソーステキストファイル及び前記ソースイメージファイルを抽出するための手段を有し、前記ソーステキストファイル及び前記ソースイメージファイルが前記ドキュメントの表現を構成し、
等価テキストファイルを生成するために、ユーザー指定の同期化レベルに基づき、前記ソースイメージファイルを用いて前記ソーステキストファイルをページ付けする手段を有する、
ことを特徴とする装置。
【請求項２１７】
請求項２１６に記載の装置における前記ページ付け手段において、前記等価テキストファイルを生成するために、ページベースにおいて、前記ソースイメージファイルを用いて、前記ソーステキストファイルをページ付けすることを特徴とする装置。
【請求項２１８】
請求項２１６に記載の装置における前記ページ付け手段において、前記等価テキストファイルを生成するために、ページ及びカラムベースにおいて、前記ソースイメージファイルを用いて、前記ソーステキストファイルをページ付けすることを特徴とする装置。
【請求項２１９】
請求項２１６に記載の装置における前記ページ付け手段において、前記等価テキストファイルを生成するために、ページ、カラム、及び、行ベースにおいて、前記ソースイメージファイルを用いて、前記ソーステキストファイルをページ付けすることを特徴とする装置。
【請求項２２０】
ソースイメージファイルが圧縮される請求項２１６の装置における前記ページ付け手段において、
前記圧縮されたソースイメージファイルにおいてクランプを識別するための手段と、
前記クランプをキャラクタとして認識するために、前記クランプをキャラクタテンプレートと比較するための手段と、
前記キャラクタの行を識別するための手段と、
前記圧縮されたソースイメージファイルにおけるキャラクタの前記行を有する前記ソーステキストファイルを、前記ソーステキストファイルにおけるキャラクタを用いて、関連した行の終端部、カラムの終端部、および、ページの終端部にマッチさせる手段とを有し、
行の終端部、カラムの終端部、および、ページの終端部と関連した前記ソーステキストファイルが、前記等価テキストファイルを表す、
ことを特徴とする装置。
【請求項２２１】
中央処理装置（ＣＰＵ）と、
ディスプレイユニットと、
前記ＣＰＵが前記ディスプレイユニットにテキスト及びイメージをディスプレイさせることを可能にするためのコントローラとを有し、このコントローラにおいて、
前記ＣＰＵが、等価テキストファイルを有する少なくとも１つのテキストドキュメント、及び、圧縮されたイメージファイルを有する少なくとも１つのイメージドキュメントを記憶することを可能にするための手段と、
前記ＣＰＵが、前記ディスプレイユニット上におけるディスプレイのためにユーザーインタフェースを生成することを可能にする手段と、
前記ＣＰＵが、前記ディスプレイユニットの第１のウィンドウに前記テキストドキュメントを、そして、前記ディスプレイユニットの第２のウィンドウに前記イメージドキュメントをディスプレイすることを可能にするための手段と、
を有することを特徴とするシステム。
【請求項２２２】
プロセッサが、ディスプレイユニットにテキスト及びイメージをディスプレイさせることを可能にするためのコントローラにおいて、
前記プロセッサが等価テキストファイルを有する少なくとも１つのテキストドキュメント及び圧縮されたイメージファイルを有する少なくとも１つのイメージドキュメントを記憶することを可能にするための手段と、
前記ディスプレイユニット上のディスプレイのために前記プロセッサがユーザーインタフェースを生成することを可能にするための手段と、
前記プロセッサが、前記ディスプレイユニットの第１ウィンドウに前記テキストドキュメントをディスプレイし、そして、前記ディスプレイユニットの第２ウィンドウに前記イメージドキュメントをディスプレイすることを可能にするための手段と、
を有することを特徴とするコントローラ。
【請求項２２３】
プロセッサと、
前記プロセッサがソーステキストファイル及びソースイメージファイルからのドキュメントの等価テキストファイルを生成することを可能にするためのコントローラとを有し、このコントローラにおいて、
前記プロセッサが少なくとも１つの記憶媒体から前記ソーステキストファイル及び前記ソースイメージファイルを抽出することを可能にするための手段を有し、前記ソーステキストファイル及び前記ソースイメージファイルが前記ドキュメントの表現を構成し、
等価テキストファイルを生成するために、ユーザー指定の同期化レベルに基づき、前記プロセッサが、前記ソースイメージファイルを用いて、前記ソーステキストファイルにページ付けすることを可能にするための手段を、
有することを特徴とするコンピュータシステム。
【請求項２２４】
プロセッサがソーステキストファイル及びソースイメージファイルからのドキュメントの等価テキストファイルを生成可能にするためのコントローラにおいて、
前記プロセッサが少なくとも１つの記憶媒体から前記ソーステキストファイル及びソースイメージファイルを抽出することを可能にするための手段を有し、前記ソーステキストファイル及び前記ソースイメージファイルが前記ドキュメントの表現を構成し、
等価テキストファイルを生成するために、ユーザー指定の同期化レベルに基づき、ソースイメージファイルを用いて、前記プロセッサが、前記ソーステキストファイルのページ付け可能にするための手段を、
有することを特徴とするコントローラ。
【発明の詳細な説明】
【技術分野】
【０００１】
本出願は、１９９３年１１月１９日付で出願された係属中の米国出願Ｓｅｒ  Ｎｏ．０８／１５５，７５２の一部継続出願である。
【０００２】
本発明は、出版、書類編集、及び操作、並びにドキュメント、及びイメージのディスプレイに関する。更に詳細には、本発明は、電子形式のドキュメントのページ付け、抽出、同期化、及びディスプレイに関する。
【背景技術】
【０００３】
マルチメディアコンピュータディスプレイシステムの開発が進むにつれて、コンピュータユーザーにとっては、一層強力な計算力及び計算機能を利用することが出来る。例えば、文書として公表されるには時間的に制限されていた情報は、現在では、出版社及び情報販売者からのサービスとしてオンラインで入手可能である。低コスト高性能のパーソナルコンピュータによってデータ及び計算容量の市場占有率が高くなるにつれて、ある種のオンライン情報は、コンパクトディスク（ＣＤ）、及び、磁気媒体フォーマットにおいて利用可能になりつつある。コンパクトディスク及び磁気媒体技術は、家庭又はオフィス環境におけるパーソナルコンピュータの使用より、容易にアクセス可能なフォーマットにおいて、ドキュメント、イメージ、及び、その他のデータをコスト効果的に大量記憶することを可能にする。パソコン、コンパクトディスク技術、及び、マルチメディア対話型グラフィックユーザーインタフェースを組み合わせて利用することにより、パソコン（ＰＣ）ユーザーは、以前には未知であった方法により、テキスト情報及びグラフィック情報にアクセスし、これらをディスプレイすることが可能になった。ＰＣユーザーにとって潜在的に利用可能な情報のタイプには、専門的及び技術的な出版物、新聞、マガジン、及び、その他の科学及び文学データ、及び、イメージが含まれる。
【０００４】
ただし、例えば、政府筋、新聞、及び雑誌によって公表される情報の多くは、機械読取り可能なフォームでなく、紙上に印刷される。プリントされた情報をマシン読取り可能なフォームに変換するのには多量の作業と労力が必要なので、磁気ディスク、ＣＤ等を用いてＰＣユーザーが利用できる情報は公表される情報の極く一部に過ぎない。更に、マシン読取り可能なフォームの情報は、通常、もとの（オリジナル）ドキュメントのイメージデータ又はテキストデータの流れ（ストリーム）として利用される。例えば図面、方程式、記号、ダイアグラム等々のようなテキスト的でない資料を含み、ドキュメントのイメージとしての情報は、公表されたもとのフォーマットにおいて情報を呈示するのが有利である。視聴者は、フォーマットを熟知しており、そして、情報は容易に認識され理解される。ただし、ドキュメントイメージは、ビットマップとして記憶されることが多いので、ドキュメントの内容の探索または操作は容易でない。代替案としてのテキストデータストリームフォーマットは、情報を操作及び探索可能なフォーマットにおいて呈示するという観点から有利である。都合の悪いことに、呈示されるフォーマットは、その情報がもともとプリントとして公表されたフォーマットではない。従って、ユーザーは、この種フォーマットに不慣れであり、ドキュメントを適切に方向づけること（ナビゲーション）が困難であるために、適切な情報を見付けて利用することが難しい。
【０００５】
もともと出版された文書がマシン読取り可能なフォームで蓄えられている場合に、これを再現する問題の一例として、米国政府による米国特許文書（ドキュメント）の記憶とディスプレイを挙げることができる。米国特許商標庁（「ＰＴＯ」）は、発行された米国特許その他のドキュメントの磁気テープを、走査したイメージ（画像）の形で、テキストデータの個別ストリームとして提供している。テキストデータを記憶する磁気テープには、例えば、図面、チャート、テキスト様の表、のような図形表現、又は、様式化し難いデータは含まれない。従って、磁気テープに蓄えられたＰＴＯテキストファイルから米国特許を再生しても、米国政府によって公表されたもとどうりの米国特許はディスプレイされない。ＰＴＯによって提供されたテキストファイルをディスプレイするためのシステムとしては、ＬｅｘＰａｔ（登録商標）ディスプレイシステムと共に納品されるＭｅａｄ  Ｄａｔａ製ＬｅｘＰａｔ（登録商標）システムが有名である。ＬｅｘＰａｔ  （登録商標）システムを使用して米国特許を、例えばＰＣのような端末装置上にディスプレイすると、テキストだけがディスプレイされて、図面、チャート、グラフ、または、オリジナルのフォーマッティング情報は現れない。選定された特許のテキストは、ＡＳＣＩＩフォーマットとして現れるが、ＰＴＯによって発行されたオリジナルの特許としては現れず、発行された特許のオリジナルのカラム（欄）番号及びライン（行）番号によっては参照できない。他のシステムは、例えばウォールストリート・ジャーナル紙のような定期刊行物または契約のような法律上のドキュメントのテキストファイルをディスプレイする。ただし、テキストファイルは、オリジナルのドキュメントとしては現れない。
【０００６】
更に、米国特許庁は、ＰＴＯによって発行され、また、米国政府によって出版されたオリジナルの米国特許の走査されたイメージで構成されたイメージファイルを伴った磁気テープを提供している。ＰＴＯによって磁気テープ上に提供されるイメージファイルは、単に、出版されたオリジナルの特許のビットマップイメージを表すに過ぎない。走査イメージの場合には、走査されたオリジナルドキュメントの単にビットマッップにすぎないので、特許内容全体、即ち、図面、チャート、グラフ、テキスト、及び、オリジナルフォーマットを含む特許の全てが提供される。ただし、走査されたドキュメントは、探索、編集、ナビゲート、或いは他の操作が、テキストファイルのように簡単ではない。
【０００７】
後で説明するように、本発明は、テキスト及びイメージドキュメントを、電子形式で同時に、抽出し、同期化し、ディスプレイし、ナビゲートし、操作する。本発明は、具体的には、米国特許ドキュメントを用いた場合を参照しながら説明することとし、ＰＴＯによって提供される磁気テープから特許テキスト及びイメージデータを抽出するプロセスを含む。即ち、オリジナルの出版された特許のオリジナルのフォーマット（即ち、カラム（欄）、及び、行）を再現するためにテキスト及びイメージデータを同期化し、そして、独特のグラフィックユーザーインタフェース（ＧＵＩ）ワークベンチを用いて、フォーマットされたテキストをイメージと共にディスプレイする。本発明は特許ドキュメントを参照しながら説明されるが、本発明は、様々な異なるタイプのドキュメント及び用途に適用できることを理解されたい。
【０００８】
本発明のグラフィックユーザーインタフェースは、ユーザーが、ＡＳＣＩＩテキストドキュメント、並びにビットマップされた走査イメージを、ディスプレイ上において、選択的に同様に見ることを可能にする。米国特許ドキュメントと共に用いた場合には、本発明のグラフィックユーザーインタフェースは、例えば特許代理人のようなユーザーが、特許のテキスト的部分及びグラフィック部分の両方をディスプレイ及び操作することを可能にする。特許のテキストは、ＰＴＯにより、カラム（欄）番号及び行番号を伴ったオリジナルとして出版された場合には、ディスプレイ上で見ることができる。同時に、ユーザーは、ビットマップを含むイメージの形で、特許に含まれる図を見ることが可能である。本発明は、特許ドキュメントを見て、操作して、そして、ディスプレイするための種々の機能を提供する。読者がグラフィックユーザーインタフェース（ＧＵＩ）技術について理解することを援助するために、背景として、ある種の基準について考察するよう提案する。インタフェースを設計する際に、人間がなじみ易く、そして、ユーザーとコンピュータとの間で情報を伝達するために、多くのユーザーインタフェースでは、メタファを利用する。例えば、デスクトップ、ノートブック、スプレッドシート等のような熟知されているメタファの使用に関しては、インタフェースについて考察する場合には、ユーザーが特定のコンピュータシステムの必要条件を理解するためにメタファを利用できるように、人間の精神構造を利用する。（例えば、Ｐａｔｒｉｃｋ  Ｃｈａｎ著者「ユーザーインタフェースデザイン  「Ｔｈｅ  Ｒｏｏｍ  Ｍｏｄｅｌ」レポートＣＳ−８４−１６、ワーテルロー大学、コンピュータサイエンス部、オンタリオ州、カナダ、１９８４年７月、及び、本明細書の参考文書を参照されたい。）更に、読者は、従来のグラフィックユーザーインタフェース設計と関連した種々の態様、方法、装置について説明した次に示す参考文書を参照されたい。即ち、米国特許Ｒｅ．第３２，６３２号、米国特許第４，９３１，７８３号、米国特許第５，０７２，４１２号、米国特許第５，１４８，１５４号、及び、その中に引用された参照文献である。
【０００９】
以下において更に詳細に説明するように、本発明のグラフィックユーザーインタフェースは、デスクトップ型の「ウィンドウ」メタファに基づくものであり、そして、同期化した様式及び同期化しない両方の様式において、テキストドキュメント及びイメージドキュメントを同時にディスプレイする能力をユーザーに提供するものである。
【発明の開示】
【課題を解決するための手段】
【００１０】
本発明は、機械読取り可能なフォームにおけるテキストドキュメント及びイメージドキュメントを、ディスプレイ用として抽出し、同期化し、ディスプレイし、そして、操作する方法及び装置を提供するものである。本発明の好ましい実施例においては、例えば、特許文書のようなドキュメントに関するテキストファイル及びイメージファイルは、まず個別の磁気テープ媒体に蓄えられる。これらのデータファイルは、それぞれのテープから抽出され、そして、例えばハードディスクドライブのような、更に高速の媒体に配置される。テープの内容についてカタログが作成され、そして、テープインベントリからテープを位置付けし、そして、ロードするための手順が提供される。テキストファイルとイメージファイルとの間に概略等価関係を作るために、発見的アルゴリズムを用いて、等価ファイルを生成するために、テキストファイルとイメージファイルが同期化される。現在における好ましい実施例においては、テキストファイル及びイメージファイルの自動ページ付けにより等価関係が提供される。そして、自動プロセスが完了した後においても依然として残っているあらゆる不正確さを訂正するために人間が介入することによって最後の等価ファイルが得られる。ただし、更に、本発明は、使用に耐える等価ファイルを獲得するために人間の介入を必要としないような完全自動ページ付けプロセスを目標とする。グラフィックユーザーインターフェイス（ＧＵＩ）ワークベンチを用いた非常に速いテキストの探索を可能にするために、テキストファイル用として、ワードベース逆トリー（木）インデックスが作成される。
【００１１】
例えば、ハードディスクドライブ、または、コンパクトディスク（ＣＤ）に存在する等価ファイル及びイメージファイルは、資源としてコンピュータディスプレイシステムに連結される。コンピュータディスプレイシステムは、メモリ記及び入力／出力（１１０）回路に結合した中央処理装置（ＣＰＵ）を備えたコンピュータを有する。コンピュータは、ＣＤ  ＲＯＭ、ハードディスクドライブ、或いは、等価ファイル及びイメージファイルが蓄えられた他のマスメモリ装置に連結される。コンピュータは、陰極線管（ＣＲＴ）または液晶ディスプレイのようなディスプレイ、並びに、キーボード及びカーソル制御装置に連結される。本発明のグラフィックユーザーインタフェースは、コンピュータによってＣＲＴ上にディスプレイされ、そして、メニューバー及びツールバーを有する。各バーは、ユーザーによる選定用として複数のコマンドオプションを有する。本発明のグラフィックユーザーインタフェースは、ユーザーが、本発明のプロセスを用いて作成された等価ファイルをディスプレイし、操作し、そして、操縦（ナビゲート）すること、及び、ディスプレイ上においてイメージファイルを同時に見ることを可能にする。本発明の教示に従い、等価ファイルはイメージファイルと同期化可能であり、または、その代わりに、等価ファイルは完全に個別の、そして、明白なイメージイメージと共にディスプレイ可能である（例えば、１つの特許の等価ファイルを見ながら、同時に、他の特許のイメージファイルを見ることが可能である）。いったん作成されて、そして、ディスプレイ上で示される場合、等価ファイルは、米国政府によって発行されたプリント済み特許と実質的に同じカラム（欄）及び行フォーマットでディスプレイされる。
【００１２】
本発明のグラフィックユーザーインタフェースを用いて、ユーザーは、特許テキスト等価ファイル、及び、イメージファイルのライブラリを作成し、そして、複数の異なる特許その他のドキュメントを含むために開放することが出来る。等価ファイルは、等価窓ウィンドウにおけるディスプレイ上で選択的に見ることが出来る。等価ファイルは、ハイライト、特許、及び、ケースノートを用いて、ナビゲート、ハイライト、探索、及び、注釈されることが可能である。等価ウィンドウ内に特許の等価ファイルを同時に見ることにより、ユーザーは、等価ファイルのディスプレイに対応するイメージファイルの正確な部分、或いは、ディスプレイ上の１つ又は複数のイメージウィンドウ内におけるイメージファイルのあらゆる部分を見ることが出来る。更に、本発明は、ユーザーによって選定されるか、または、等価ファイル又はワードリストから選定されたキーワードを定義及び検索するためのサーチメカニズムを供給する。ブール及び近接サーチも、等価ファイルについて行われ、そして、結果がディスプレイされる。サーチタームは項は、現行等価ファイルの等価ウィンドウ、ドキュメントの現行ライブラリ、キュメントノート（「特許ノート」及び／又は「ケースノート」と称する）並びに他の選択ケース内におけるドキュメントの探索に使用しても差し支えない。ワードリストは、選択されたライブラリ、ドキュメント、等のアルファベット順のリストに含まれる。更に、本発明は、カーソルを特許等価ファイルのテキスト上に置き、そして、コンピュータに信号を送ることによって、ユーザーが、例えば、特許図面イメージのようなイメージを、イメージウィンドウ内にディスプレイすることを可能にする。この信号に応答して、コンピュータは、イメージウィンドウの中に、最後の参照された図面をディスプレイする。本発明の場合には、更に、ユーザーが、テキスト及び／又は図面の一部分をイメージウィンドウ内において選定し、そして、ユーザーが見るために、選定したイメージを拡大、或いは、縮小するすることを可能にする。
【００１３】
さらに、インタフェースは、ユーザーが、イメージウィンドウ内の特許図面に現れるあらゆるエレメント番号を選定することを可能にする。特許図面内のエレメント番号を選定すると、等価ウィンドウにディスプレイされる選定済み特許等価の明細書仕様書及び請求項を有する等価ファイル内の当該エレメント番号が最初に起きた場合及びこれに後続して起きた場合に自動的にハイライトすることとなる。更に、多重特許、図面、及び／又は、他のドキュメントは、本発明を含むグラフィックユーザーインタフェースの教示に従ってディスプレイ上で同時に見ることができる。様々な他の特徴及び機能は、ユーザーインタフェースにおける特許ドキュメントの操作、ナビゲーション、及び、ディスプレイのために本発明によって提供される。ユーザーは、ディスプレイされるイメージがディスプレイされる等価ファイルと同期するような同期化したイメージファイルか、或いは、等価ファイルにおけるテキストのカラムを含むページ以外のページにイメージがディスプレイされる場合における同期化しないイメージファイルをディスプレイすることが出来る。ユーザーは、等価ファイルの一部または全体を例えばワードプロセッサ又は図面プログラムのような第三プログラムのノートにコピー及びペースト（貼る）ことが可能であり、同様に、例えば証言に関係する特許ノート内のＡＳＣＩＩフォーマットにおける証言のようなユーザーはＡＳＣＩＩテキストを、第三システムからノート内に輸入することが可能である。特に、特許に関して本発明を使用する場合、特許の準備、起訴、及び、特許許可、特許侵害及び妥当性の研究実施、侵害請求項チャートの作成、特許のポートフォリオ又はグループの管理及び評価、特許または係属出願に関する３５Ｕ．Ｓ．Ｃ．ＳＳ１１２探索の実施、及び、特許弁護士、特許代理人、または、技術職員によって規則的に遂行される他の多くの用途における特許の探索を容易にするために使用できる。
【００１４】
表記法及び専門用語
以下に述べる詳細な説明において、本発明は、インタフェースディスプレイイメージ、プロセス過程、及び、コンピュータメモリ内のデータビットのオペレーションの象徴的な表現について部分的に提示される。これらのアルゴリズム的記述及び表現は、データ処理技術に熟練した者によって、作業の内容を当該技術分野における他の熟練した者に最も効果的に伝達するために用いられる。
【００１５】
アルゴリズムとは、この場合、そして、一般的に、所要結果に至る過程の自己一貫性をもつシーケンスであると考えられる。これらの過程は、物理量の物理的操作を要求する過程である。通常、必ずと言うわけではないが、これらの量は、記憶、転送、結合、比較、ディスプレイ、その他の操作を実施できる電気信号或いは磁気信号の形をとることがある。主として共同使用の理由により、これらの信号は、ビット、値要素、記号、キャラクタ、イメージ、ターム、番号、等として扱うことが便利であることが実証されている。ただし、これらの類似した用語は全て適切な物理量と関連して用いられるべきであり、そして、単にこれらの量に添付される便利なラベルに過ぎないことを忘れてはならない。
【００１６】
本発明において言及されるオペレーションは、人間のオペレータと共に行われたマシンオペレーションである。本発明のオペレーションを遂行するための有用なマシンには、汎用デジタルコンピュータ、デジタル的に制御されたディスプレイその他の類似装置が含まれる。全ての場合に、読者は、コンピュータ、及び／又は、ディスプレイシステムをオペレートする方法と計算自体の方法との間を明確に区別しておかねばならない、本発明は、コンピュータ、及び、対話型ディスプレイシステムをオペレートし、そして、他の所要の物理信号を生成するために電気的、或いは、他の物理的信号を処理するための方法に関する。
【００１７】
更に本発明は、これらのオペレーション動作を遂行するための装置に関する。この装置は、目的のために特に作成された装置であるか、或いはコンピュータに蓄えられたコンピュータプログラムによって選択的に作動化または再構成される汎用コンピュータであっても差し支えない。ここに呈示される方法過程は、特定のコンピュータまたは他の装置に固有な関係をもつものではない。種々の汎用マシンを、ここに開示される教示に基づくプログラムと共に用いるか、或は、必要な方法過程を遂行するための専用装置を作成しても差し支えない。従って、特定のプログラム言語が用いられるわけではなく、本発明を実現するためには、様々な言語のなかの任意の１つを用いて差し支えない。様々なこれらのマシン及びプログラミング環境のために必要な構造については、以下の説明によって明白になるはずである。
【図面の簡単な説明】
【００１８】
【図１】図１は、テキストファイル及びイメージファイルを抽出し、等価ファイルを作成するためにイメージファイルを用いてテキストファイルを頁付けし、等価ファイルをインデックスするための生産コンフィギュレーションの構成図である。
【図２】図２は、テキストファイル及びイメージファイルを抽出し、等価ファイルを作成するためにイメージファイルを用いてテキストファイルを頁付けし、等価ファイルをインデックスし、等価ファイル及びイメージファイルをディスプレイ上にディスプレイするために、本発明によって用いられる過程のシーケンスを示すフローチャートである。
【図３】図３は、本発明の教示を組み込むコンピュータディスプレイシステムを示す機能ブロック図である。
【図４】図４は、米国特許第５，１６５，０２７号の書誌的ページを含むイメージファイルの拡大された部分を示す。
【図５】図５は、図４に示す米国特許第５，１６５，０２７号に関するＰＴＯテキストファイルのサンプル部分を示す。
【図６】図６は、図４及び５に示す米国特許第５，１６５，０２７号に関するＰＴＯ  ＴｅｘｔＦｉｌｅにおいてリストされたカラム（欄）情報の例を示す。
【図７】図７は、米国特許第５，１６５，０２７号に関する図６に示されたパラグラフがＰＴＯＩｍａｇｅ  Ｆｉｌｅに蓄えられた状態を示す。
【図８】図８は、公表された米国特許によって提供されるカラム（欄）ライン（行）番号情報を示す。
【図９】図９は、本発明によって、テキストファイル及びイメージファイルを同期化及びインデックスするために本発明の処理システムによって用いるためにＰＴＯ  Ｔｅｘｔ  Ｆｉｌｅｓ、及び、ＰＴＯ  Ｉｍａｇｅ  Ｆｉｌｅｓを抽出するために利用される抽出プロセスのフローチャート構成図を示す。
【図１０】図１０は、等価ファイルを生成するためにＰＴＯ  Ｔｅｘｔ  Ｆｉｌｅ及びＰＴＯ  Ｉｍａｇｅ  Ｆｉｌｅを同期化するために用いられる本発明のページ付けプロセスを示すフローチャートである。
【図１１】図１１は、タイトル、メニュー、及びツールバーを含むシステムスタートに関する本発明のユーザーインタフェースを示す。
【図１２】図１２は、利用可能なケースのリストを開くために、ユーザーにより選択される下向き矢印機能を示す。
【図１３】図１３は、実行するために現在利用可能なオプションにユーザーを導くための情報矢印の本発明における使用方法を示す。
【図１４】図１４は、選定済み特許のユーザーによる操縦を補助するための本発明の特許テキストツールボックス、及び特許セクションヘッディングのメニューのディスプレイを示す。
【図１５】図１５は、Ｌｉｂｒａｒｙメニューオプションの作動化に際してユーザーによる選択に利用可能なサブコマンドアイテムを示す。
【図１６】図１６は、Ｌｉｂｒａｒｙメニュー上においてＳｅｔ  Ｌｉｂｒａｒｙ  Ｄｉｒｅｃｔｏｎｅｓアイテムを選定した後においてディスプレイされるＳｅｔ  Ｌｉｂｒａｒｙ  Ｄｉｒｅｃｔｏｒｉｅｓ対話ボックスを示す。
【図１７】図１７は、Ｎｅｗ  Ｌｉｂｒａｒｙ対話ボックスを示す。
【図１８】図１８は、Ｏｐｅｎ  Ｌｉｂｒａｒｙ対話ボックスを示す。
【図１９】図１９は、現在の使用中のライブラリを使用するための本発明のＬｉｂｒａｒｙ対話ボックスを示す。
【図２０】図２０は、Ｉｎｔｅｌ（登録商標）Ｌｉｂｒａｒｙの中の特許の選定を示す。
【図２１】図２１は、アイコンに対するライブラリの本発明による最小化を示す。
【図２２】図２２は、この例ではＩｎｔｅｌ（登録商標）Ｌｉｂｒａｒｙに相当する現在使用中のライブラリを更新するための本発明にかかるＵｐｄａｔｅ  Ｌｉｂｒａｒｙ対話ボックスを示す。
【図２３】図２３は、ライブラリメニューからのＳｅａｒｃｈサブコマンドアイテムの選択に際してディスプレイされる本発明のＳｅａｒｃｈ  Ｌｉｂｒａｒｙ対話ボックスを示す。
【図２４】図２４は、Ｓｅａｒｃｈライブラリ対話ボックスの中のＷｏｒｄ  Ｌｉｓｔボタン機能の作動化に際してディスプレイされる本発明のＷｏｒｄ  Ｌｉｓｔ対話ボックスを示す。
【図２５】図２５は、アルファベット順のタブを選定し、そして、ライブラリ特許から対応するワードリストを見るための本発明のＷｏｒｄ  Ｌｉｓｔ対話ボックスのオペレーションを示す。
【図２６】図２６は、各々のライブラリ特許においてユーザーによって定義されたサーチアイテムの発生数を識別するための本発明のＳｅａｒｃｈ  Ｒｅｓｕｌｔｓ対話ボックスを示す。
【図２７】図２７は、Ｃａｓｅ  Ｃｒｏｓｓ  Ｒｅｆｅｒｅｎｃｅ対話ボックスに対する本発明のＬｉｂｒａｒｙを示す。
【図２８】図２８は、等価窓ウィンドウにディスプレイされるＥｑｕｉｖａｌｅｎｔ  Ｆｉｌｅｓでオペレートするための本発明の特許Ｔｅｘｔ  Ｔｏｏｌｂｏｘを示す。
【図２９】図２９は、更に、等価窓ウィンドウの中の等価ファイルでオペレートするための本発明の特許Ｔｅｘｔ  Ｔｏｏｌｂｏｘを示す。
【図３０】図３０は、等価窓ウィンドウ及びイメージウィンドウの本発明による同時ディスプレイ、並びに、イメージウィンドウにディスプレイされるイメージでオペレートするための特許Ｉｍａｇｅ  Ｔｏｏｌｂｏｘのディスプレイを示す。
【図３１】図３１は、本発明による等価ウィンドウにおける等価ファイルの同時かつ同期化されたディスプレイ、及び、ディスプレイスクリーン上のイメージウィンドウにディスプレイる拡大されたイメージのディスプレイを示す。
【図３２】図３２は、セクションヘッディングの選択を介して等価窓ウィンドウの中にディスプレイされる特許セクションを操縦するための特許セクションヘッディングのディスプレイ及びユーザの能力を示す。
【図３３】図３３は、ディスプレイスクリーン上のイメージウィンドウにディスプレイされたイメージファイルに配置された特許図面に関して、等価窓ウィンドウにディスプレイされる等価ファイルの本発明にかかる同期化を説明する。本発明は、イメージウィンドウにディスプレイされるイメージファイルにおける図に、等価ファイルにおける図番号に関する参照番号を連結する。
【図３４】図３４は、拡大されるべき特許イメージの面積部分を識別するための本発明のアウトラインボックスの使用を示す。
【図３５】図３５は、等価ファイルが等価窓ウィンドウにディスプレイされ、そして、同時に、イメージファイルからの図の拡大された部分がディスプレイスクリーン上のイメージウィンドウにディスプレイされる本発明のユーザーインタフェースを示す。
【図３６】図３６は、ユーザーによる、図面エレメントの入力、及び、等価窓ウィンドウにディスプレイされる等価ファイルにおける図面エレメントの最初の発生およびこれに後続する発生の位置付けを可能にする本発明のＳｅｌｅｃｔ  Ｅｌｅｍｅｎｔ  Ｎｕｍｂｅｒ対話ボックスを示す。
【図３７】図３７は、種々カラーにおいて等価ファイルの所要部分をハイライトするために本発明にかかるハイライト機能の使用を示す。
【図３８】図３８は、ディスプレイスクリーン上の２つの等価ウィンドウ、及び、１つのイメージウィンドウの本発明にかかるディスプレイを示す。
【図３９】図３９は、本発明のインポート特許対話ボックスを示す。
【図４０】図４０は、輸入されるべき等価ファイルの選定後におけるＩｍｐｏｒｔ  Ｐａｔｅｎｔｓ対話ボックスを示す。
【図４１】図４１は、Ｃａｓｅメニューオプションの作動化に際して選択に利用可能なサブコマンドアイテムを示す。
【図４２】図４２は、図４１におけるＯｐｅｎ  Ｃａｓｅサブコマンドアイテムが選定された場合にディスプレイされるＯｐｅｎ  Ｃａｓｅ対話ボックスを示す。
【図４３】図４３は、図４１に示すＮｅｗ  Ｃａｓｅアイテムの選定に際してディスプレイされるＮｅｗ  Ｃａｓｅ対話ボックスを示す。
【図４４】図４４は、ディスプレイするためにユーザーがケースの中の特許を選定することを可能にする、特許番号ドロップダウンメニューを示す。
【図４５】図４５は、図４１に示すＵｐｄａｔｅ  Ｃａｓｅサブコマンドアイテムの作動化に際してディスプレイされるＵｐｄａｔｅ  Ｃａｓｅ対話ボックスを示す。
【図４６】図４６は、図４１のＣａｓｅメニューのＳｅａｒｃｈアイテムの選定に際してディスプレイされるサーチ探索ケース対話ボックスを示す。
【図４７】図４７は、図４１に示すＳｅｔ  Ｃａｓｅ  Ｔｈｒｅｃｔｏｒｉｅｓサブコマンドアイテムの作動化に際してディスプレイされるＳｅｔ  Ｃａｓｅ  Ｄｉｒｅｃｔｏｒｉｅｓ対話ボックスをそ召す。
【図４８】図４８は、図４１に示すＣｏｐｙ  Ｃａｓｅサブコマンドアイテムの選定に際してディスプレイされるＣｏｐｙをＣａｓｅ対話ボックスを示す。
【図４９】図４９は、図４１に示すＢａｃｋｕｐ  Ｃａｓｅサブコマンドアイテムの作動化に際してディスプレイされるＢａｃｋｕｐケース対話ボックスを示す。
【図５０】図５０は、図４１に示すＤｅｌｅｔｅ  Ｃａｓｅの選定に際してディスプレイされるＤｅｌｅｔｅ対話ボックスを示す。
【図５１】図５１は、図４１にしめすＰｒｉｎｔサブコマンドの選定に際してディスプレイされる本発明のＰｒｉｎｔ対話ボックスを示す。
【図５２】図５２は、図４１に示すＰｒｉｎｔ  Ｓｅｔｕｐの作動化に際してディスプレイされるＰｒｉｎｔ  Ｓｅｔｕｐ対話ボックスを示す。
【図５３】図５３は、Ｅｄｉｔコマンドオプションの作動化に際して選定するために利用可能なサブコマンドアイテムを示す。
【図５４】図５４は、Ｖｉｅｗコマンドオプションの作動化に際してユーザーにより選定するために利用可能なサブコマンドアイテムを示す。
【図５５】図５５は、図５４のＰｒｅｆｅｒｅｎｃｅｓサブコマンドアイテムの作動化に際してディスプレイされるＰｒｅｆｅｒｅｎｃｅｓ対話ボックスを示す。
【図５６】図５６は、図５４のＳｃｒｅｅｎ  Ｌａｙｏｕｔサブコマンドアイテムの先手医にさいしてディスプレイされるＳｃｒｅｅｎ  Ｌａｙｏｕｔ対話ボックスを示す。
【図５７】図５７は、等価ウィンドウ及びディスプレイスクリーン上のイメージウィンドウを示すＳｃｒｅｅｎ  Ｌａｙｏｕｔ対話ボックスのＳｃｒｅｅｎ  Ｌａｙｏｕｔの選定に関する本発明のユーザーインタフェースを示す。
【図５８】図５８は、Ｓｃｒｅｅｎ  Ｌａｙｏｕｔ対話ボックスのＳｃｒｅｅｎ  Ｌａｙｏｕｔを選定した後において２つの等価ウィンドウがディスプレイスクリーン上に並列配置される本発明のユーザーインタフェースを示す。
【図５９】図５９は、Ｓｃｒｅｅｎ  Ｌａｙｏｕｔ対話ボックスのＳｃｒｅｅｎ  Ｌａｙｏｕｔの選定に続いてディスプレイスクリーン上にディスプレイされる２つの等価ウィンドウ及び２つのイメージウィンドウを有する本発明のグラフィックユーザーインタフェースを示す。
【図６０】図６０は、Ｗｉｎｄｏｗコマンドオプションの活性化に際して選定のために利用可能なサブコマンドアイテムを示す。
【図６１】図６１は、ユーザーによって生成された全ての特許ノートをディスプレイする本発明の特許ノートメニューを示す。
【図６２】図６２は、本発明の特許ノートを示す。
【図６３】図６３は、多重特許ノートが単一特許ノートの中で作成可能であるような本発明によるマルチノートの使用を示す。
【図６４】図６４は、本発明のケースノートを示す。
【図６５】図６５は、例えば、本発明のディスプレイ上の探索結果のような模範的ドキュメントの最小化を示す。
【図６６】図６６は、ユーザーが、特許カラム番号を入力可能であり、作動化にさいして、所要の特許カラムに対応する等価ファイル内のカラムをディスプレイすることを可能にする本発明のＧｏ  Ｔｏ  Ｓｅｃｔｉｏｎ対話ボックスを示す。
【図６７】図６７は、ユーザーが特許のセクションを選定し、活性化に際して、等価窓ウィンドウ内の選定済みセクションをディスプレイさせることを可能にする本発明のＧｏ  Ｔｏセクション区分対話ボックスを示す。
【図６８】図６８は、Ｈｅｌｐコマンドオプションの活性化に関してユーザーによる選定に利用可能なサブコマンドアイテムを示す。
【図６９】図６９は、図６８に示すＡｂｏｕｔサブコマンドのの活性化に際してディスプレイされるＡｂｏｕｔ対話ボックスを示す。
【図７０】図７０は、Ｎｏｔｅコマンドオプションの活性化に際してユーザーによる選定を行うために利用可能なサブコマンドアイテムを示す。
【図７１】図７１は、図７０に示すＶｉｅｗ  Ｃａｓｅ  Ｎｏｔｅオプションの選定に際してディスプレイされるＣａｓｅ対話ボックスにおけるこれらのケースノートを示す。
【図７２】図７２は、図７０に示すＶｉｅｗ  Ｐａｔｅｎｔ  Ｎｏｔｅサブコマンドアイテムの選定に際してディスプレイされるＣａｓｅ対話ボックスにおける特許ノートを示す。
【図７３】図７３は、本発明の好ましい実施例に基づくコンピュータシステムの簡素化された構成図である。
【図７４】図７４は、図７３のコンピュータシステムにおけるマシンの間におけるデータ転送オペレーションを行わせる好ましい方法を示す流れ図である。
【図７５】図７５は、本発明の好ましい実施例に応じてＰＴＯイメージファイルが圧縮される方法を示すために用いられる。
【図７６】図７６Ａ、及び、７６Ｂは、本発明の好ましい実施例に応じてＰＴＯイメージファイルが圧縮される方法を示すために用いられる。
【図７７】図７７は、本発明の好ましい実施例に応じてページ付けが行われる方法を描写する流れ図である。
【図７８】図７８は、本発明の好ましい実施例に応じてページ付けが行われる方法を描写する流れ図である。
【図７９】図７９は、本発明のユーザーインタフェースによって好ましく提供される「Ｃｏｐｙ  Ｃｌａｉｍｓ」オプションを示すために用いられる。
【図８０】図８０は、本発明のユーザーインタフェースによって好ましく提供される「Ｃｏｐｙ  Ｃｌａｉｍｓ」オプションを示すために用いられる。
【図８１】図８１は、本発明のユーザーインタフェースによって好ましく提供される「Ｚｏｏｍ  Ｉｍａｇｅ」オプションを示すために用いられる。
【図８２】図８２は、本発明のユーザーインタフェースによって好ましく提供される「Ｚｏｏｍ  Ｉｍａｇｅ」オプションを示すために用いられる。
【図８３】図８３は、本発明のユーザーインタフェースによって好ましく提供される本発明のユーザーインタフェースによって好ましく提供される「Ｃｏｐｙ  Ｉｍａｇｅ」オプションを示すために使われる。
【図８４】図８４は、本発明のユーザーインタフェースによって好ましく提供される「Ｌｏｃｋ  Ｗｉｎｄｏｗｓ」オプションを示すために使われる。
【図８５】図８５Ａ、及び、８５Ｂは、本発明がクランピングを行う好ましい方法を示すために用いられる。
【図８６】図８６は、本発明がキャラクタストリーム整合を遂行する好ましい方法を示すためにもちいられる。
【発明を実施するための最良の形態】
【００１９】
以下の説明において、本発明の完全な理解を可能にするために、例えば、機能ブロック、代表的なデータ処理装置、ウィンドウコンフィギュレーション、特定の特許ドキュメント、テキスト及び図面、等々のような多数の詳細資料について説明する。ただし、当該技術分野における熟達者にとっては、本発明が、これら特定の詳細資料なしに実行可能であることが明白である筈である。他の場合には、本発明が不明瞭になることを回避するために、公知の回路および構造については詳細に説明していない。
【００２０】
本発明については、一般的なシステム構成、テープ抽出プロセス、ページ付けプロセス、指標付けプロセス、及び、グラフィックユーザーインタフェースを含む種々のセクションにおいて説明する。以下の記述は米国特許ドキュメントを対象としているが、本発明は、特許のみに制限されることなく、例えば、法律上の契約、ウォールストリート・ジャーナル紙、ロサンゼルス・タイムズ紙、等々のような、特定用途として必要とされる可能性のあるように、様々なドキュメント及びイメージに適用できることを理解されたい。
【００２１】
発明の一般的な概観
本発明の一般的なシステム構成によって、ディスプレイ、ナビゲーション（航法）、マニピュレーション（操作）、及び、グラフィックユーザーインタフェースにおけるテキスト及びイメージデータの編集に関する本発明の１つの実現可能性について開示する。本発明の教示をユーザーが利用することを可能にするために、ここで説明する一般的なシステム構成は、パーソナルコンピュータ、ワークステーション、または、専用プロセッサシステムの形をとったコンピュータディスプレイシステムを対象とする。本明細書は、特定のコンピュータハードウェアについては言及することなく、そして、一般的なシステム構成に関する記述が、そこで本発明の実現が可能であるような広範囲に亙るデータ処理システムを対象とすることを意図するものである。
【００２２】
本発明にかかるシステムの一般的な概観を図１に示し、そして、本発明の方法を含む主要プロセス過程のフローチャートを図２に示す。
【００２３】
本発明のテープ抽出プロセスは、ＰＴＯ（米国特許庁）によって提供されるＰＴＯテキスト及びＰＴＯイメージファイル磁気テープからデータファイルを抽出する。データファイルは、モデムデータ処理システムにおいて有用なアクセスタイムを提供するために、これらのテープから更に速い媒体（例えば、ハードディスクドライブ）に抽出される。ここで説明されるように、抽出プロセスには、テープ内容のカタログ及びインベントリ（在庫管理目録）の適切な生成、並びに、新規に作成されたテープインベントリからのテープの選定およびローディングが含まれる。
【００２４】
「等価ファイル」を生成するために、ＰＴＯテキストファイル及びＰＴＯイメージファイルをページ付けするプロセスは、テキストファイルとイメージファイルとの間の概略等価関係を自動的に作成するためにアルゴリズムの発見的（ヒューリスチック）な１組を用いて実施される。人間オペレータは、等価ファイルを完成するために、公表された特許ドキュメントのオリジナルフォーマッチングが等価ファイルに反映されるように、結果を検査する。
【００２５】
本明細書では、ＰＴＯテキストファイルに含まれるテキスト用逆トリー（木）インデックスを作成するためのプロセスについて開示する。このインデックス付けプロセスの結果として、本発明のグラフィックユーザーインタフェースを使用する際の非常に速いテキスト検索のためのプリビルト（事前作成）インデックスが得られる。本発明は、逆テープインデックスを用いて説明されるが、逆テープインデックスの代りに他のタイプのテキスト検索方法を用いても差し支えない。
【００２６】
本発明のグラフィックユーザーインタフェース（ＧＵＩ）は、等価ファイル及びＰＴＯイメージファイルをディスプレイし、そして、ディスプレイファイル又は他の蓄積ファイルについてユーザーが分析を実施することを可能にする。等価ファイルは、外観上ＰＴＯイメージファイルと同様にフォーマット及びディスプレイされ、公表された特許と同じカラム（欄）及びライン（行）を有する。従って、ユーザーは、例えば、正確なカラム（欄）及びライン（行）シテーション  （引用）を生成するためにテキストサーチを行い、セクションのヘディングを介してテキストの所要セクションの位置を特定するために等価ファイルをナビゲートし、更に、ディスプレイされたファイル又は他の蓄積ファイルにおける図形またはテキストイメージを見るために、ＧＵＩを使うことが出来る。イメージ及び等価特許テキストは、本発明の教示を用いることにより、同期化するか、又は、同期化しないいずれかの様式において、見ることが出来る。
【００２７】
一般的なシステム構成（コンフィギュレーション）
図１は、テキストファイル及びイメージファイルを抽出し、等価ファイルを作成するためにテキストファイルをページ付けし、そして、等価ファイルをインデックス付けするために用いられる本発明のプロダクションコンフィギュレーションの構成図を示す。プロセスは、ＴＰＯから提供されるタイプ３４８０のＰＴＯ磁気テープ１によって開始する。ＰＴＯ磁気テープには３つの異なるカテゴリがある、即ち、ＰＴＯテキストテープ、ＰＴＯイメージテープ、及び、ＰＴＯ割当（アサインメント）テープである。ＵＮＩＸマシン２は、ＰＴＯテープ１内のデータを大型ファイルバッファに読み込む。次に、データは、テープ上の各ドキュメントを見付けるために、パーズ（分解）される。パーズすることにより、特許番号、テープ上における特許ファイルの物理的ロケーション（位置）、全バイト数、及び、テープに現れる各ドキュメントに関する他の制御情報を含む表が作成される。この場合のドキュメントは、特許、訂正証明、再発行された特許否認、または、他の発行後ドキュメントのいずれであっても差し支えない。次に、データは、デジタルリニアテープ（ＤＬＴ）３、或いは、その他任意の適当なデータ記憶媒体のいずれかに記憶することができる。全ての現行特許用に必要なディスク記憶スペースの量は１テラバイト（ＴＢ）以上であるので、現在、データは、ライブラリ５に蓄えられる。ライブラリは、ＰＴＯテキストファイル６、ＰＴＯイメージファイル７、及び、発行後ドキュメント９を含むことができる。記憶容量が十分大きいディスクドライブシステムが利用可能である場合には、データは、１つのディスクドライブに蓄えることができる。現在、ＰＴＯイメージテープは、オリジナルな媒体、すなわち、３４８０磁気テープに残される。
【００２８】
続いて図１を参照することとし、特許のリストを要求する命令１０がＵＮＩＸデータベース１１に入力されると、ＵＮＩＸデータベース１１は、マウントする必要のある異なるテープの個数を最小限にするために、特許の位置（パテントロケーション）によってリクエストリストを分類し、そして、特許のリスト、及び、例えばテープのボリューム（巻）通し番号、及び、リケストされた個々の特許ファイルがステージングマシン８に速く届くことを可能にする位置（ロケーション）情報のような他の関連情報をステージングマシン８に送る。ステージングマシン８は、処理するように要求された各特許の全てのテキスト及びイメージ部分のファイルをそのディスク上に作成する。ステージングマシン８が利用可能なテキスト及びイメージファイルを持つ場合にや、そのテキスト及びイメージファイルをページ付けマシン１３に送る。
【００２９】
更に、続けて図１を参照することとし、現在、ページ付けマシン１３は、テキスト及びイメージファイルをページ付けし、そして、本明細書の用語及び定義のセクションにおいて更に詳細に説明するように等価ファイルを作成するために、１つ又は複数のＤＯＳ基調マシン１６を使用する。ページ付けの後で、インデックスマシン１９は、発行後ドキュメント９を追加し、そして、等価ファイルをインデックスする。インデックスマシン１９は、１つ又は複数のＤＯＳ基調マシン２０を含む。次に、作成マシン２３は、等価ファイル及びイメージファイルのＣＤ  ＲＯＭイメージを作り、そして、イメージをＣＤ  ＲＯＭ及びデジタルリニアテープ２８に記入する。作成マシン２３は、１つ又は複数のＤＯＳ基調マシン２７、ＣＤ  ＲＯＭライタ２５、及び、デジタルリニアテープ２８を利用することが出来る。等価ファイル及びイメージファイルを有するＣＤ  ＲＯＭがユーザーに納品され、ユーザーはファイルをディスプレイおよび操作するために例えば図３に示すのようなシステムを利用できる。完成した特許を有するデジタルリニアテープは、ライブラリ３０に蓄えられ、そして、ライブラリ３０における特定の特許がリケストされた場合に、ステージングマシン８がライブラリ３０から完成した特許をマウントするように、データベース１１が更新され、そして、高速プロセス用としてページ付け及びインデクス付け過程をスキップ可能にするために、データベースは、特許が既にページ付け及びインデクス付けされたことをフラグ表示する。本発明においては、例えばＵＮＩＸマシン及びＤＯＳマシンのような特定のマシンについて開示するが、これらは、組み込む事の出来る異なるタイプのコンピュータシステムの例に過ぎず、本発明を制限するものではない。
【００３０】
前述の記述から明白なように、本発明は、例えば、抽出マシン、ライブラリ５、ステージングマシン８、及び、ページ付けマシン１３のようなマシンの間における多量のデータ転送を行う（実際には、これらのマシンは、単一コンピュータプラットホーム、または、多重コンピュータプラットホームを用いて実現可能である）。本発明の好ましい実施例に従って、この種のデータ転送がうこなわれる方法について、図７３及び７４を参照しながら説明することとする。
【００３１】
図７３は、図１に示すシステム構成の簡素化された表現（構成図様式）である。図７３は、第１顧客（クライエント）マシン７３０４、第２顧客マシン７３０６、共用ディスクドライブ７３１０、及び、テープドライブ７３０８を含むコンピュータシステム７３０２を示す。共用ディスクドライブ７３１０は、第２顧客マシン７３０６７の一部であることが好ましく、そして、第２顧客マシン７３０６はＵＮＩＸ基調マシンであることが好ましい。共用ディスクドライブ７３１０は第２顧客７３０６及び第１顧客７３０４の両方によって直接アクセス可能であることが好ましい。
【００３２】
当然理解されるように、ＵＮＩＸ基調システムにおいては、ファイルリネームオペレーションは最小単位オペレーションである。従って、共用ディスクドライブ７３１０は、リネームオペレーション実施中は、他のファイル関連オペレーションは一切遂行できない（この場合、共用ディスクドライブ７３１０はＵＮＩＸ基調第２顧客マシン７３０６の一部である）。
【００３３】
第１顧客７３０４が第２顧客７３０６を介してテープドライブ７３０８内のデータにアクセスしようとする場合も有り得る。第１顧客７３０４がページ付けマシン１３を表し、第２顧客７３０６がステージングマシン８を表し、そして、テープドライブ７３０８がライブラリ５を表す場合について考察することとする。ページ付けマシン１３は、しばしば、ライブラリ５内のデータにアクセスしようとする筈である。そのためには、ページ付けマシン１３は、ステージングマシン８と対話しなければならない。ページ付けマシン１３とステージングマシン８との間のこの種の対話は、共用ディスクドライブ７３１０を使うことによって達成されることが好ましい。具体的には、ページ付けマシン１３（即ち、第１顧客７３０４）は、共用ディスクドライブ７３１０に「読取り」コマンドを記入する。ステージングマシン８（第２顧客７３０６）は、共用ディスクドライブ７３１０から「読取り」コマンドを検索し、その後で、「読取り」命令を実行する。この場合、「読取り」コマンドをこのように実施すると、データがライブラリ５（テープドライブ７３０８）から読取られ、そして、ページ付けマシン１３へ転送される。図１に示すシステムコンフィギュレーションにおける上記以外のデータ転送シナリオについては、関係技術分野における熟練者にとっては明白であるはずである。
【００３４】
当然理解されるように、第１顧客７３０４が「読取り」コマンドを共用ディスクドライブ７３１０に記入し終わる以前に第２顧客７３９６が共用ディスクドライブ７３１０からの「読取り」コマンドを読み取らないことを保証するためには第１顧客７３０４と第２顧客７３０６との間においてシェイクハンドが実行されなければならない。そうでない場合には、不適当な動作が行われる。
【００３５】
図７４は、データ転送期間中における、第１顧客７３０４及び第２顧客７３０６オペレーションを表す流れ図７４０２である。本発明におけるこの種のオペレーションは、データ転送オペレーションに際して、第１及び２顧客７３０４、７３０６の間の明確な交信を一切必要とすることなしに、ハンドシェイクを達成する。これは、システム資源（例えば通信バンド幅）の負荷を軽減することに役立ち、それによって、システム性能を最適化する。流れ図７４０２は過程７４０４によって開始し、コントロールは即座に過程７４０６にパスする。
【００３６】
過程７４０６において、第１顧客７３０４は、共用ディスク７３１０への、読取りコマンドファイルの記入を開始する（テープドライブ７３０８からのデータ読取りを第２顧客７３０６にインストラクトする）。読取りコマンドファイルは「ＤＬＴ．ＣＸＸ」と命名される。第２顧客７３０６は、共用ディスクドライブ７３１０を定期的にスキャンし、そして、「．ＣＭＤ」エキステンションを用いてファイルを検索し、そして、実行する。
【００３７】
第１顧客７３０４がファイル「ＤＬＴ．ＣＸＸ」を共用ディスクドライブ７３１０に完全に手紙で知らせた後で、過程７４０８は、遂行される。過程７４０８において、第１顧客７３０４は、「ＤＬＴ．ＣＸＸ」ファイルの名前を「ＤＬＴ．ＣＭＤ」に変更する。既に述べたように、ファイルのリネームオペレーションは最小単位のオペレーションである。従って、第２顧客７３０６は、改名（リネーム）オペレーションが完了するまで共用ディスクドライブ７３１０からの「ＤＬＴ．ＣＭＤ」を読むことが出来ない（そして、読取りコマンドファイルが共用ディスクドライブ７３１０に完全に記入されてしまうまで、改名オペレーションは開始されない）。
【００３８】
過程７４１０において、改名オペレーションが完了した後で、第２顧客７３０６は、「．ＣＭＤ」エキステンションを備えたファイルが共用ディスクドライブ７３１０内に位置すること（即ち、「ＤＬＴ．ＣＭＤ」ファイルであること）発見する。第２顧客７３０６は、共用ディスクドライブ７３１０から「ＤＬＴ．ＣＭＤ」ファイルを検索し、そして、それを実行する。過程７４１２によって指示されるように過程７４１０が遂行された後で、流れ図７４０２のオペレーションが完了する。
【００３９】
本発明の教示に従って使用するための模範的なコンピュータディスプレイシステムを図３に示す。コンピュータシステムには、例えば、ＣＲＴモニタ又は液晶ディスプレイ（ＬＣＤ）のようなディスプレイ４０が含まれ、更に、例えば、米国特許Ｎｏ．Ｒｅ．３２，６３２に示されるタイプのマウス、ジョイスチック、キーボード、または、ディスプレイ４０のディスプレイスクリーン６８上においてカーソル４４を選択的に位置決めするための上記以外の装置のようなカーソル制御装置４２が含まれる。一般に、カーソル制御装置４２には、例えば第１の位置及び第２の位置を有するスイッチ４６のような信号生成手段が含まれる。例えば、米国特許Ｎｏ．Ｒｅ．３２，６３２に記載されているマウスは、コンピュータシステムのユーザーが、あるコマンドを実行するようにコンピュータに指示するための信号を生成するために使用するスイッチを含む。図に示すように、カーソル制御手段４２（今後、例えば、マウス、トラックボール、操縦かん、グラフィックタブレット、キーボード入力、等のようなあらゆるタイプの適用可能なカーソル制御装置は、集合的に参照する場合には、マウス４２”と称する）はコンピュータ４８に結合される。
【００４０】
コンピュータ４８は３つの主要部品を有する。即ち、第１の部品は、コンピュータ４８の他の部分に対して、適切に構造化された形において情報を伝達するために使われる入力／出力（Ｉ／Ｏ）回路５０である。更に、コンピュータ４８は、Ｉ／Ｏ回路５０及びメモリ５５と結合された中央処理装置（ＣＰＵ）５２を有する。これらのエレメントは、大抵の汎用計算機において一般的に見られる部品であり、事実、コンピュータ４８は、広い範囲に亙るグラフィックディスプレイを生成することの可能なデータ処理装置を代表する装置を意味する。
【００４１】
更に、当該技術分野において公知であるように、コンピュータ４８に対してデータ及びコマンドを入力するキーボード５６を図３に示す。図に示すように、マスメモリディスク６０は、コンピュータ４８に追加記憶能力を提供するためにＩ／Ｏ回路５０に連結される。更に、ＣＤ  ＲＯＭ６２及びフロッピーディスク６４は、ディスプレイ４０に表示されるべき原文ドキュメント及びイメージのライブラリを提供するためにＩ／Ｏ回路５０に連結される。例えば、磁気テープドライブ、並びに、更に他のデータ処理システムに結合されるネットワークのようなデータ記憶する付加的な装置を、コンピュータ４８に連結しても差し支えない。公知であるように、プリンタ５７は、ドキュメント、イメージ、等々をプリントするためのＩ／Ｏ回路５０に連結される。
【００４２】
１実施例において、本発明は、そこに記録された制御ロジックを備えたコンピュータによる読取り可能な媒体を有するコンピュータプログラム製品（例えば、フロッピーディスク、コンパクトディスク、等々）である。制御ロジックは、メモリ５５にロードされて、そして、ＣＰＵ５２によって実行される場合、ここに記述するオペレーション動作をＣＰＵ５２が遂行可能にする。従って、実行に際してＣＰＵ５２を制御するので、この種の制御ロジックはコントローラを意味する。
【００４３】
図３に示すように、ディスプレイ４０には、その中にウィンドウ７０が表示されるディスプレイスクリーン６８な含まれる。ウィンドウ７０は、長方形、または、その他の周知の形状であっても差し支えなく、そして、ウィンドウ、或いは、ウィンドウ上の他の所要の部分において、ウィンドウを長さ方向に水平に横断して配置されるメニューバー７２を有する場合も有り得る。公知であるように、マウス４２の動きは、コンピュータ４８によってディスプレイスクリーン７０上のカーソル４４の動きに変換可能である。本明細書の読者は、一般的に目的指向ディスプレイシステム、そして、特に、本発明の教示に従って利用可能な他のコンピュータシステムに関する追加的な記述としてのデスクトップ型タファ  （隠ゆ）ウィンドウ基調システムについて記述する「背景」のセクションに引用された参考文書を参照されたい。図３に示すシステムは、グラフィックユーザーインタフェースディスプレイを提供することの出来る一般的なコンピュータディスプレイシステムを表すことを意図するものである。
【００４４】
本明細書において、本発明は、米国特許書類のディスプレイ（表示）、ナビゲーション（指図）、及び、マニピュレーション（操作）に関して記述される。
【００４５】
特に、本発明は、本明細書においては、発行された米国特許のテキストをエクストラクト（抜粋、引用）し、ページ付けし、ディスプレイし、マニピュレートし、ナビゲート及びエジット（編集）し、更に、図面を含む特許内容のイメージをディスプレイ４０上に同時ディスプレイするするための独創的な方法および装置を提供するものとして記述される。本明細書における本記述は、既に言及したように、特許書類（ドキュメント）に関する発明を対象とするものであるが、当該技術分野における熟達者にとっては、本発明が、ディスプレイ上におけるテキスト及びイメージの同時ディスプレイ、同期化、又は、非同期化ディスプレイを必要とする様々な用途に利用可能であることが当然理解される筈である。本明細書の目的に関しては、一般的に用いられている「特許」又は書類（ドキュメント）と言う用語は、あらゆるタイプのドキュメントを包括し、そして、特許書類のみに限定されないことを理解されたい。
【００４６】
更に、図３に示すコンピュータシステムを用いる本発明を実現するために、特定のプログラム言語については一切開示されていないことに注意されたい。多くの異なるコンピュータディスプレイプラットホームにおいて、ここに記述された教示を用いて本発明を実現するためには、例えばＣ、Ｃ＋＋、視覚ベーシック、等々のような様々なプログラム言語を使用しても差し支えない。
【００４７】
用語、及び、定義
「ＰＴＯイメージファイル」は、文書「米国特許庁ＡＰＳ米国特許イメージデータファイル」に指定されたフォーマットにおいて電子的に蓄えられたデータファイルである。これらのファイルの各々は、特許ドキュメントからの１つ又は複数のイメージページを含む。ＰＴＯイメージファイルにおける各イメージページは、特許または関連特許ドキュメント（例えば、補正証明書）の実際のページを電子的に表現したものである。イメージページは、米国特許庁当局によって、電子式スキャナを用いて作成され、そしてグループ４圧縮フォーマットとしてＰＴＯイメージファイルに蓄えられる（連邦情報処理公示１５０：「グループ４ファクシミリ装置に関するファクシミリコード化スキーム、及び、コード化制御機能」参照）。例示的なイメージページ（特許５，１６５，０２７のビブリオグラフィページ）の部分拡大図を図４に示す。
【００４８】
「ＰＴＯテキストファイル」は、文書「米国特許庁特許フルテキスト／ＡＰＳファイル」に指定されたフォーマットにおいて電子的に蓄えられたデータファイルである。これらのファイルの各々は、特許書類における大部分の原文データのＡＳＣＩＩテキスト表現を含む。一般に、特許本体のビブリオグラフィ情報およびテキストパラグラフは本ファイルに含まれるものとする。特許に現れる原文の情報の或る種の方程式及び表も、同様に、このタイプのファイルに蓄えられるものとする。例えば図形的の情報を含む図および表のような視覚的情報、及び、フォーマット化情報は、ＰＴＯテキストファイルには含まれないものとする。更に、公表された特許に関して表示されるカラム（欄）及びライン（行）番号情報は、ＰＴＯテキストファイルにも書誌的ページのフォーマットにも蓄えられない。
【００４９】
ＰＴＯテキストファイルにおけるＡＳＣＩＩデータは、固定長８０文字レコードに蓄えられる。各レコードの最初の４文字は、当該レコードが含むデータのタイプを識別するＩＤコードであり、第５の文字はブランクであり、そして、レコードの最後の７５文字は実際ののデータ値を記憶する。最初の４文字が全てブランクである場合には、当該レコードは直前のレコードの継続である。
【００５０】
例えば、特許５，１６５，０２７（図５に示す特許の一部）に関するＰＴＯテキストファイルにおいては、「マイクロプロセッサ区切り点装置」が後続する  「ＴＴＬ」で始まるレコードがある。この「ＴＴＬ」レコードは、「マイクロプロセッサ区切り点装置」と言う特許のタイトルを記憶する。これらの「ＴＴＬ」レコードの１つは、全ての特許に必要とされる。
【００５１】
「ＩＳＤ」で始まり、そして、「１９９２１１１７」を含む別のレコードは、１９９２年１１月１７日と言う特許の発行日付を示す。
【００５２】
前述の両方の例において、蓄えられるべきデータの量は、７５文字以下であり、従って、１つのレコードに適合する。１つのレコードに適合するにはデータ量が多すぎる場合が多い。特許本体からのテキストのパラグラフは、この種のパラグラフは７５文字以上によって構成されるので、複数のレコードに分割されることが多い。この種のパラグラフの最初のレコードは、例えば「ＰＡＲ」（パラグラフの最初の行が字下げされていることを示す）のような識別子（ＩＤ）で始まる。当該パラグラフを保持するために用いられる後続するレコードは、４個のブランクで構成されるＩＤで始まり、これらのレコードが最初のレコードの継続であることを示す。７５文字に適合する（ワードを切断することなしに）個数のワードは、各レコードに蓄えられる（図５参照）。
【００５３】
ＰＴＯテキストファイルは、特許に関するデータを、視覚ディスプレイフォーマットでなくてＡＳＣＩＩテキストを用いた情報用フォーマットにおて蓄える  （図５参照）。テキストファイルは、ラベルの付いた情報片を含むレコードによって構成される。これは、（例えば、特許のテキストのテキストサーチ又はナビゲーションを行うように）コンピュータを用いて特許に関する情報を処理するために非常に便利なフォーマットである。
【００５４】
ビットマップディスプレイフォーマットは公表された原特許として視覚的に現れるので、ＰＴＯイメージファイルは、特許に関するデータを、人間にとって非常に扱い易い走査されたビットマップディスプレイフォーマットにおいて蓄える。ＰＴＯイメージファイルは、活字に組んだ特許ページの黒白画面を獲得するためにページ走査装置を使うことによって作成される一連のディジタル化されたページイメージ含む。これは、特許に含まれる情報が人間に見えるようにするために、非常に便利なフォーマットである。例えば、イメージページは、米国政府によって公表された場合のように、特許に関するダイアグラム、方程式、及び、図面を視覚的にディスプレイする読取り可能な書面ドキュメントを生成するために、レーザプリンタでプリントできる。
【００５５】
「等価ファイル」は、ＰＴＯテキストファイルとＰＴＯイメージファイルとの間の等価関係を詳述するページ付け情報を含む電子的に蓄えられたデータファイルである。この関係は、どのようにすれば、ＰＴＯテキストファイルのレコード基調ＡＳＣＩＩデータが外観においてＰＴＯイメージファイルに実質的に等価であり、しかも、依然として、ＡＳＣＩＩファイルとしての本来の有用性を保持させることができるかを指定することによってＰＴＯテキストファイル及びＰＴＯイメージファイルの両方を更に有用にする。「ページ付け」は、ＰＴＯテキストファイル、及び、ＰＴＯイメージファイルから等価ファイルが作成されるプロセスである。ＰＴＯイメージファイルは、カラム（欄）区切り、カラム（欄）数、ライン（行）区切り、及び、ライン（行）数の位置、並びに、埋め込まれた表、構造、方程式、及び、明細書における他の非テキスト情報の位置及びサイズ寸法を決定するために、読取られる。当該技術分野に熟練した者にとって公知であるパターン認識技法は、イメージページのレイアウトををブロック化及び分割するために用いられる。
【００５６】
ＰＴＯテキストファイルは、書誌的情報、数字参照、セクションヘディング、フォントスタイル、ポイントサイズ、肩文字、添字、肉太またはイタリック体の存在、及び、特殊文字を決定するために読み取られる。
【００５７】
これら２つのオペレーションの結果は、等価ファイルを作成するために、手動、又は、光学文字認識技法を用いて組み合わされる。活字に組まれたＰＴＯ書誌的イメージページ上の書誌的セクションの外観に近付けるために、書誌的情報ＩＤコードで始まる各々のＰＴＯテキストファイルパラグラフがフォーマットされる。同様に、明細書および特許請求の範囲におけるＰＴＯテキストファイルからの各テキストパラグラフは、活字に組まれたＰＴＯ明細書及び請求項イメージページにおけるセクション明細書または請求項デクションの外観に近似させるためにフォーマット化されたテキストファイルを作成するために処理される。ＰＴＯテキストファイル及びＰＴＯイメージファイルのページ付けのための必要条件は、実用分野における種々の明白な必要条件から生じる。例えば、法的手続きにおいて特許を引用する場合、対象部分のカラム（欄）番号及びライン（行）番号数によって特定のリファレンスが作成される。これらのカラム及びライン番号は、公表された特許に印刷され、そして、ＰＴＯイメージファイルによって表されたページのフォーマットにおいて記載される。ただし、これらのカラム及びライン番号は、ＰＴＯテキストファイルには記載されないので、ＰＴＯテキストファイルからの適切な引用を見分けることが困難である。使用する際において、ユーザーは、特定の項の位置を特定するために、ＰＴＯテキストファイル上においてでワードサーチを行うことが出来る。いったん、ＰＴＯテキストファイルにおける位置が特定されると、ユーザーがその参照箇所を引用しようとする場合、当該ユーザーは、当該位置に関する何等の有益な情報を得ることなしに、正確なカラム番号及びライン番号の位置を特定するためにＰＴＯイメージファイル（或いは、実際の書面特許）に戻って参照しなければならない。
【００５８】
ページ付けのための別の必要条件は、当該特許のカラム（欄）におけるテキストを含むライン（行）に純粋なイメージを置くことから生じる。例えば、ＰＴＯテキストファイルにおける当該構造の本文記述が後続する構造のダイアグラムは、当該構造のイメージなしで、単にテキストとしてのみ現れる筈である。ユーザーは、構造について位置を特定し、そして、研究するためには再び、説明図、ダイアグラム、数字等の物理的な記載位置に関しては、ＰＴＯテキストファイル内のデータからは何等の情報を得ることなしに、ＰＴＯイメージファイル（或いは、書面特許）に戻って参照しなければならない。
【００５９】
ＰＴＯイメージファイルを作成するにはＰＴＯテキストファイルからのデータを活字に組むための装置によってどのように処理しなければならないかと言う特定の情報は米国政府からは入手できない。従って、通常、２つのファイルは、完全に個別の実体と見なされなければならない。（ＰＴＯ自体は、Ｓｕｎ  Ｍｉｃｒｏｓｙｓｔｅｍｓ  Ｉｎｃによって製造された２台のコンピュータにおいて別々にファイルを使用する。）ＰＴＯテキストファイルは、通常、テキストを検索するために使用されるが、しかし、活字に組まれた特許イメージページのどくに、或いは、どのようにして情報が現れるかに関する情報は持たない。ＰＴＯイメージファイルは、活字に組まれたテキスト、ダイアグラム、数字、及び、方程式を見るために使われるが、しかし、コンピュータによって検索できるフォーマットとして蓄えられとデータとしては表現されない。
【００６０】
本発明にかかる等価ファイルの目的は、テキストファイル内のデータが、頁付けされた特許様フォーマットにおいて呈示可能であり、従って、ＰＴＯテキストファイルを用いてはこれまで利用可能でなかった機能である検索およびテキストからの直接引用を容易にするように、ＰＴＯテキストファイルを頁付けすることにある。ページ付けプロセスは、正しいカラム（欄）区切り、カラム（欄）番号、区切りの端部、及び、ライン（行）番号を用いて、ＰＴＯテキストファイルをフォーマット化し、従って、純粋なテキスト検索の利点を伴った直接的引用を可能にする。等価ファイルに含まれた情報は、人間になじんだ視覚フォーマットにおいて、及び、同時にコンピュータにより自動的に、これら両方の方法において使用出来る。
【００６１】
「同期化された」ディスプレイは、ユーザーが、等価ファイル内に或るカラム（欄）を、そして、イメージファイル内にこれと同じカラム（欄）を同時に見ることのできる方法において、等価ファイル及びこれに対応するイメージファイルをナビゲート（操縦）する方法である。例えば、ユーザーがウィンドウ内に、等価ファイルのカラム（欄）３を見る場合には、当該ユーザーは、同時に、別のウィンドウ内に、イメージファイルのカラム（欄）３を見ることができる。従って、ユーザーは、２つのファイル、即ち、等価ファイルとイメージファイルを、同期化した方法においてみることが出来る。
【００６２】
「同期化されない（非同期化）」ディスプレイは、等価ファイルの一部分とイメージファイルの他の部分とを非同期的にディスプレイする方法である。例えば、「図５において、システムは、．．．．．を例証する。」と言うセンテンス（文）が等価ファイルのカラム（欄）２内に在るものと仮定する。ユーザーが等価ファイル内の当該センテンスを選定した場合には、イメージファイルは、図５を含む最初のページをディスプレイするはずである。従って、等価ファイルとイメージファイルは、同じカラム（欄）を参照しないが、関連事項を参照する。同期化されないディスプレイの別の例においては、一方では等価ファイルの１つの部分をディスプレイし、他方では、完全に無関係な図面、無関係な表、或いは、同一特許のイメージファイルの別のテキスト部分、または、別の特許のイメージファイルをディスプレイする。従って、同期しないディスプレイにおいては、等価ファイルと、同時にディスプレイされるイメージファイルとの間には関係、または、関連性がないことも有り得る。
【００６３】
等価ファイルに蓄えられた情報の基礎的な構造は、多くのフォームにおいて蓄えることが可能である。即ち、例えばＣプログラム言語のような構造オペレーションを実現する言語による高速アクセスを可能にするための２進構造フォーマットとして蓄えることも出来る。別の代替案によれば、例えばＳＧＭＬ（標準一般化マークアップ言語）のような一般化されたマークアップ言語において、テキストに関する基礎的な構造上の情報の幾らかが蓄えられ、そして、２進構造フォーマットにおける未加工の位置情報が蓄えられる。本発明の能力、速度、及び、使用し容易さに直接影響する多くの代替案が有る。従って、本明細書の読者は、読者のシステムの必要条件に最もよく適合する特定のプログラム言語を用いて本発明を実現することが可能である。既に述べたように、本発明は、図３に示すシステムを含む様々なコンピュータシステムを用いて実現可能である。
【００６４】
ＳＧＭＬは、種々のアプリケーションに利用できる。公表された特許に外観上等価であるような特許出願を書くためにＳＧＭＬを使っても差し支えない。更に、ＳＧＭＬは、等価ファイル及び表、フローチャート、方程式等のビットスキャンされたイメージの両方を含む複合ドキュメントを作成するために用いる事ができる。
【００６５】
等価ファイルは、少なくとも次に示すタイプの同期化情報と関連する：
１．カラム（欄）
これらのカラム（欄）がＰＴＯイメージファイルにディスプレイされた場合における各特許テキストカラム（欄）の最初のキャラクタのＰＴＯテキストファイル内の位置。これにより、本発明において、特許本体の各カラム（欄）においてどちらのＡＳＣＩＩテキストがディスプレイされるかの決定を可能にする。
【００６６】
２．ライン（行）
これらのラインがＰＴＯイメージファイルにディスプレイされた場合におけるテキストの各ラインの最初のキャラクタのＴＰＯテキストファイル内における位置。これにより、本発明において、特許本体の各カラム（欄）のライン（行）においてどちらのＡＳＣＩＩテキストがディスプレイされるかの決定を可能にする。
【００６７】
３．カラムライン数
ＰＴＯテキストファイル内のテキストの各ラインが近接する特許カラム（欄）内の概略ライン数であり、これにより、本発明において、特許の本体の各カラム（欄）にディスプレイされたＡＳＣＩＩテキストラインの概略垂直位置を決定することが可能である。
【００６８】
４．書誌的フォーマット化
ＰＴＯイメージファイル内の書誌的ページイメージに現れた場合における、ＰＴＯテキストファイルからの書誌的データの概略配列。
【００６９】
５．図形アイテムロケーション
ＰＴＯイメージファイルにおいて参照される数字種々の図、図エレメント、方程式、非テキスト表、構造、及び、ダイアグラムの、ＰＴＯテキストファイル内におけるロケーション（位置）。
【００７０】
６．セクション
ＰＴＯイメージファイル内にディスプレイされた場合におけるドキュメントの各種論理セクションのＰＴＯテキストファイル内の位置（例えば、発明の背景、図面の簡単な説明、請求セクション、等々）。
【００７１】
７．フォント
ＰＴＯテキストファイル内の種々ＡＳＣＩＩキャラクタがＰＴＯイメージファイル内にディスプレイされる場合のフォントスタイル。
【００７２】
８．ポイントサイズ（点の寸法）
ＰＴＯテキストファイルにおける種々ＡＳＣＩＩキャラクタがＰＴＯイメージファイルにディスプレイされる場合のフォントサイズ。
【００７３】
９．肩文字、または、添字
ＰＴＯイメージファイルにおいて、種々ＡＳＣＩＩキャラクタがＰＴＯテキストファイル内に、肩文字または添字のいずれかの形においてディスプレイされる。
【００７４】
１０．ボゥルドネス（太さ）
ＰＴＯテキストファイル内の各種ＡＳＣＩＩキャラクタがＰＴＯイメージファイル内にディスプレイされる場合におけるフォントスタイルの太さの程度。
【００７５】
１１．イタリック体
ＰＴＯテキストファイル内の種々ＡＳＣＩＩキャラクタがＰＴＯイメージファイルにディスプレイされる場合におけるフォントスタイルのイタリック体の程度。
【００７６】
１２．特殊文字
ＰＴＯテキストファイル内の或る種のＡＳＣＩｌキャラクタは、ＰＴＯイメージファイルにおいて特殊文字としてディスプレイされる。一般に、ＰＴＯテキストファイルにおけるキャラクタのグループ（例えば、「ＯＭＥＧＡ」）は、ＰＴＯイメージファイルにおける１つの特殊文字（例えば「  」）にマップする。これは、ＡＳＣＩＩ規格が、有用な多くの特殊文字を定義しないことに因る。
【００７７】
リストされた前記の「カラム（欄）」情報の例として、「多数の技法が用いられる．．」と言う書き出しで始まる特許５，１６５，０２７の本体からのテキストのパラグラフを参照されたい。図６は、このパラグラフ用のＡＳＣＩＩキャラクタが、どのようにして、ＰＴＯテキストファイルに蓄えられるかを示す。同じパラグラフは、図７に示す特許５，１７５，０２７に関するＰＴＯイメージファイルにディスプレイされる。
【００７８】
ＰＴＯテキストファイル内のパラグラフ（図６参照）の長さは５行であり、そして、ＰＴＯイメージファイルにディスプレイされる同じパラグラフ（図７参照）の長さは７行であることに注意されたい。更に、ＰＴＯテキストファイルにおいては、行にまたがってワード（語）が切断されることがない。ＰＴＯイメージファイルにディスプレイされる行の終端におけるワードは、ワードの一部分が１行の終端に現れ、ハイフンがこれに後続し、そして、ワードの残りの部分がその次の行に現れる（例えば「ｐｅｒｆｏｒ−ｍａｎｃｅ」）ように分割しても差し支えない。
【００７９】
等価ファイルは、ＰＴＯテキストファイル内のどのＡＳＣＩＩキャラクタがＰＴＯイメージファイル内にディスプレイされる行内に所在するかを識別するために行番号と関連する。例えば、等価ファイルは、ＰＴＯテキストファイル内の次に示すキャラクタで始まるＰＴＯイメージファイル内のパラグラフの行（参照図７）を蓄えるはずである：
行１：「Ｎｕｍｅｒｏｕｓ」の「Ｎ」
行２：「ｐｅｒｆｏｒｍａｎｃｅ」の「ｍ」
行３：「ｄｅｖｅｌｏｐｍｅｎｔ」の「ｄ」
行４：「Ｔｈｅ」の「Ｔ」
行５：「ｐａｒｔ」の「ｐ」
行６：「ｓｏｍｅ」の「ｓ」
行７：「ｔｈａｔ」の「ｔ」
【００８０】
リストされた上記の「カラム（欄）」情報の例として、図８に示す米国特許５，１６５，０２７の明細書の最初のページイメージを参照されたい。図に示すように、当該特許の最初のカラム（欄）は、「ＭＩＣＲＯＰＲＯＣＥＳＳＯＲ」の「Ｍ」で始まる。特許の第２のカラム（欄）は、「データ」における”ｄ”で始まる。これらの位置は、ＰＴＯテキストファイル内のどのるＡＳＣＩＩデータがどのカラム（欄）内に所在するかを識別するために等価ファイル内に蓄えられる。
【００８１】
同様に図８は、リストされた上記の「カラムライン数」情報を例を示す。ページの中央のカラム（欄）に配列された数は、特許テキストカラム（欄）内の行の行番号を示す。図８に示すカラム（欄）１に関しては、「この出願は、出願Ｓｅｒ．の継続出願である」を含む行はカラム（欄）の行４（行番号が４）である。図８に示すカラム（欄）２において、「区切り点が生じるアドレスは第８行に示される。テキストの所定の行が現れるページイメージ上の概略垂直位置を識別するために、この情報は等価ファイルと関連させられる。
【００８２】
例として「書誌的フォーマット化」情報の一例とすて、図４及び５を参照されたい。「ＴＴＬ」で始まるタイトルレコードのデータは、「米国特許」と言う語の下に発明者の名前および水平直線と共に太字で示されることに注意されたい。それぞれの書誌的情報は、等価ファイル内にテキストのカラム（欄）として蓄えられる。
【００８３】
ＰＴＯテキストファイルからＰＴＯイメージファイル内の書誌的ページ上のフォーマットまで書誌的データのページ付けを行うことは、等価ファイルにテキストラベルを加えることを必要とする。例えば、全ての書誌的ページの最上部に現れる「米国特許［１９］」と言う文字はＰＴＯテキストファイル内のどこにも見当たらない。これらのワードは、全ての特許証の最上部に現れるので、ＰＴＯイメージファイルに含まれる必要はない。ただし、外観上ＰＴＯイメージファイルに類似する等価ファイルを作成するために、これらのワードを等価ファイル内に指定しておかねばならない。ページ付けアルゴリズムは、必要に応じてこれらのテキストラベルを付加するように設計されている。
【００８４】
エキストラクション（抽出）
本発明の抽出プロセスは構成図の形で図９に示される。ＰＴＯは、ＩＢＭ３４８０磁気テープ上にＰＴＯテキストファイル及びＰＴＯイメージファイルを供給する。抽出プロセスは、そこに特定のＰＴＯテキストファイルまたはＰＴＯイメージファイルが位置する特定のＩＢＭ＊３４８０テープを識別し、これらのファイルをテープから抽出し、そして、ファイルを同期化し、そして、インデックス付けする処理システムによって利用できるように変換する。
【００８５】
ＰＴＯテキストテープは、特定の暦日に、ＰＴＯによって公表され、そして、一意的な巻通し番号（ＶＳＮ）を含む。或る特定の日付に公表された全ての特許は、その日付をもって発表されたテープに収録されていなければならない。テープはインデックスを含まない。従って、特定のＰＴＯテキストファイルを抜粋するには、２００ＭＢ  ＩＢＭ  ３４３０テープ全てを磁気ディスクバッファに読み取らねばならず、ヘッダブロック、テープマークラベル、等々を除去し、そして、内容ボリュウム表（ＶＴＯＣ）を作成するためにパーズ（分析）しなければならない。ＶＴＯＣは、ドキュメント番号、テープ開始からのバイトカウントオフセット、及び、バイト数で表したドキュメントファイルの長さを含む。個別プログラムは、ファイルの開始バイトをインデクスし、そして、ファイルセグメントを他のファイルにコピーするために、使用できる。この場合、他のファイルは、特定の特許に関してＰＴＯテキストファイルとなる。ＰＴＯテキストテープにとって、多重ＰＴＯテキストテープをスパンすることが可能である。これが起きると、多重ファイルセグメントを一緒に連結するために本発明による手順が利用される。磁気ディスクバッファから作成されたＶＴＯＣは、将来の基準として関係データベースシステム（ＲＤＢ）を更新するためにもちいられ、そして、バッファは削除される。
【００８６】
ＰＴＯテキストファイルは、圧縮されていないフォーマットの磁気テープに蓄えられる。ＰＴＯイメージファイルは、圧縮されたフォーマットによって磁気テープに蓄えられることが好ましく、グループ４  ２Ｄ（二次元）ファクシミリフォーマットであることが好ましい。本発明によれば、ＰＴＯテキストファイルは、圧縮されないフォーマットにおいて処理される。ただし、ＰＴＯイメージファイルは、少なくとも部分的には圧縮されたフォーマットにおいて処理される。本発明に基づいたイメージファイルの処理を全体的に概略描写して図７５に示す。
【００８７】
一例として、２Ｄ圧縮イメージを、ブロック７５０６として図７５に示す。本発明によれば、２Ｄ圧縮イメージ７５０６は１Ｄ圧縮イメージ７５０８に変換される。本発明によって行われる多くの機能は、この圧縮された１Ｄイメージ７５０８の処理と関係する。（例えばズーミング及びページ付けのような或る種のオペレーションに関しては、図７５のアイテム７５１０に示すように１Ｄ圧縮イメージ７５０８は圧縮されないフォーマットに圧縮解除される。一般に、この圧縮されないイメージファイルには、２３２０ビット掛ける３４０８ビットが含まれる。ズーミングおよびページ付けについては次に検討する。）一方、一般的には、この種の機能は、単に圧縮されないイメージを処理することによって遂行される。
【００８８】
図７６Ａ及び７６１３に関して１Ｄ圧縮イメージの構造について説明する。一例としての圧縮されないイメージ７６０２の表現を図７６Ａに示す。この圧縮されないイメージ７６９２における典型的なライン（行）７６０４を図に示す。このライン７６０４には、多数のブラックスペース（各ブラックスペースは論理１ビットを表す）、及び、多数のホワイトスペース（各ホワイト白色スペースは論理０を表す）が含まれる。
【００８９】
圧縮されないイメージ画像７６０２に対応する１Ｄ圧縮イメージ７６０６を図７６Ｂに示す。この１Ｄ圧縮イメージ７６０６には、圧縮されないイメージ７６０２におけるライン７６０４（圧縮されないライン７６０４と称する）に対応するライン７６０８（圧縮されたライン７６０８と称する）が含まれる。圧縮されたライン７６０８は、圧縮されないライン７６０４における所定数の白および黒のスペースを定量化することによって圧縮されないライン７６０４を表し、同時に、この種の白黒スペースのシーケンスを保存する。従って、圧縮されたライン７６０８に示すように、圧縮されないライン７６０４には、１２８のブラックスペースが含まれる。このスペースには、６４ホワイトスペースが後続し、８ブラックスペースが後続し、６４ホワイトスペースが後続し、１０２ブラックスペースが後続し、９０ホワイトスペースが後続する。
【００９０】
圧縮されないイメージ、２Ｄ圧縮されたイメージ、及び、１Ｄ圧縮されたイメージの間における変換手順は、当該技術分野における熟練者にとっては明白なはずである。この種の手順については、例えば、「グループ４ファクシミリ装置用ファクシミリコード化スキーム及びコード化制御機能」と題する１９８８年１１月４日付発行の連邦情報処理規格Ｎｏ．１５０のように、公的に入手可能な多くの文書において検討済みである。
【００９１】
初期自動ページ付け
初期自動ページ付けプロセスを図１０のフローチャートに示す。自動ページ付けプロセスでは、ＰＴＯテキストファイルを利用し、公表された原本特許のフォーマットに初期近似する等価ファイルを作成する。本発明にかかる初期ページ付け過程を次に示す：
１．ＰＴＯテキストファイルをコンピュータシステムのメモリに読み込む（例えば、図２に示すタイプのコンピュータシステムを利用できる）。  
２．書誌的情報ＩＤコードで始まるＡＳＣＩＩデータレコードの各々を、そこで当該データがディスプレイされるべきＰＴＯイメージファイルの対応するイメージページ上の概略位置に割り当てる。全ての書誌的データレコードＩＤコードのリスティングに関しては文書「米国特許庁Ｆｕｌｌ−Ｔｅｘｔ／ＡＰＳファイル」を参照されたい。更に、文書「特許および登録商標スタイルマニュアル」を参照されたい。  
３．特許本体の各々のパラグラフを処理する。見付けられる論理グループの位置（ロケーション）のリストを作成する。（特許本体に現れる可能性のある論理グループ、即ち「ＧＯＶＴ」、「ＰＡＲＮ」、「ＢＳＵＭ」、「ＤＲＷＤ」、「ＤＥＴＤ」、「ＣＬＭＳ」、「ＤＣＬＭ」のリスティングに関しては、文書  「米国特許庁Ｆｕｌｌ−Ｔｅｘｔ／ＡＰＳファイル」参照。）  
４．ページ付け情報を等価ファイルにディスクにセーブする。
【００９２】
ＰＴＯイメージファイルにおける対応するページイメージにおいて１行よりも多くスパンする可能性のあるデータ値がある場合には、上記の過程２及び３において、パラグラフフォーマット化手順が遂行される。更に、圧縮されたデータに関しては自動ページ付け技法を利用することが出来る。
【００９３】
ここで、圧縮されたデータに関して自動ページ付け技法が利用される方法について説明することとする。すでに述べたように、本発明は、ＰＴＯによって提供される圧縮されないイメージファイルから１Ｄ圧縮されたイメージファイルを生成する。本発明の実施例によれば、ページ付けは、圧縮されないＰＴＯテキストファイル及び１Ｄ圧縮されたイメージファイルを用いて行われる。この実施例については、図７８に示す流れ図７８０２を参照しながら次に説明する。流れ図７８０２は、過程７８０４によって開始し、制御は直ちに過程７８０６にパスする。
【００９４】
過程７８０６において、１Ｄ圧縮されたイメージファイル内でクランプが識別される。クランプは、垂直（行の間で）、及び／又は、水平に（行内で）、及び／又は、対角線的に他のスペースに近接するダークスペースのグループである  （各「ダークグループ」は論理１を表す）。別の代替実施例において、クランプは、ホワイト（白色）スペースのグループを表すことができる。過程７８０６において行われるオペレーションは「セグメンテーション」と呼ばれる。通常、セグメンテーション分割は、圧縮されたデータイメージを用いて行われない。その代りに、通常、セグメンテーションは、圧縮されないデータイメージを用いて行われる。このような従来の手順によれば、圧縮されないデータイメージを、垂直、水平、及び、対角線の各方向において検索することが必要である。ただし、本発明は１Ｄ圧縮されたイメージを仕様するので、垂直及び対角線方向においてのみ検索することが必要である。（ここでは、クランプが垂直、水平、対角線的に行われるものと仮定しているが、クランプが水平および垂直にのみ行われる場合には、本発明は垂直方向だけを検索する。）１Ｄ圧縮されたイメージは既に水平方向においてクランプされているので（これは、図７６Ｂから明白である）、上記の条件が成立する。従って、本発明により１Ｄ圧縮されたイメージを仕様すれば、セグメンターションを行うための処理時間を大幅に短縮できる。
【００９５】
過程７８０６における本発明は、垂直に重なる隣接行におけるダークスペースを検索することが好ましい。図８５Ａに示す１Ｄ圧縮されたイメージ８５０２の例について考察することとする。この場合、行８５０４及び行８５０６の２行が示される。行８５０４は、２個のダークスペース、後続する３個のホワイトスペース、後続する２個のダークスペース、後続する１個のホワイトスペースを有する。行８５０６は、３個のダークスペース、後続する２個のダークスペース、後続する１個のホワイトスペース、後続する２個のホワイトスペースを有する。本発明は、行８５０４、及び、８５０６から図８５Ｂに示す表８５０８を生成する。表８５９８は、行８５０４及び８５０６におけるホワイト及びダークスペースのグループの間の境界を表示する情報を含む。表８５０８は、例えば行８５０４、及び、８５０６に対応するエントリ８５１０及び８５１２のような、圧縮されたイメージ８５０２における各行に対するそれぞれのエントリを有する。エントリ８５１０は、行８５０４の各値に前の値または和を加算することによって得られる。従って、エントリ８５１０における「５」は、「３」に行８５０４から「２」を加えることによって得られる。エントリ８５１０における「７」は、行８５０４からの「２」に「５」（即ち、前回の和）を加算することによって得られる。表８５０８における各エントリは、同じ方法で生成される。
【００９６】
いったん、表８５０８が生成されれば、エントリ８５１０、及び、８５１２に含まれるダークスペースの境界に関する情報を分析することによってクランプが識別される。例えば、エントリ８５１０に含まれるダークスペース境界情報は、行８５０４がビット位置１−２、及び、５−７にダークスペースを持つことを示す。エントリ８５１２に含まれるダークスペース境界情報は、行８５０６がビット位置１−３、及び、４６にダークスペースを持つことを示す。ビット位置１−２は、ビット位置１−３に垂直にオーバーラップする。従って、行８５０４、及び、８５０６におけるこれらのダークスペースは、クランプの少なくとも一部を表す。同様に、ビット位置５−７は、ビット位置４−６に垂直にオーバーラップする。従って、行８５０４、及び、８５０６におけるこれらのダークスペースは、別のクランプの少なくとも一部を表す。この分析は、表８５０８における全てのエントリに関して実施される。表８５０８に含まれるダークスペース境界情報に基づき、これらのクランプを識別することが可能であることに注意されたい。
【００９７】
過程７８０６において識別されたクランプはキャラクタを表すことも有り得る。過程７８０８においては、クランプがキャラクタテンプレートと比較される。キャラクタテンプレートは、例えば、英数字キャラクタ、句読点キャラクタ、グラフィックキャラクタ、等々のようなキャラクタに対応するビットパターンである。従って、過程７８０８において、クランプをキャラクタとして認識するために、クランプがキャラクタテンプレートと比較される。
【００９８】
過程７８０８において行われるオペレーションは「テンプレート整合」と呼ばれる。テンプレート整合は、処理されつつある（各クランプが処理され、ひいては、整合される）クランプの重心、及び、各テンプレートの重心（テンプレートの重心は前もって計算しておくことが好ましい）を見付けることによって遂行されることが好ましい。重心は、（ｘ，ｙ）位置としての定義される。ここに、この（ｘ，ｙ）位置のｘ座標は、クランプのダークスペースのｘ座標の全ての平均に等しく、（ここでは、用語「スペース」と用語「画素」は交換可能に使用される）そして、この（ｘ，ｙ）位置のｙ座標はクランプのダークスペースの全てのｙ座標の平均に等しい。次に、クランプとテンプレートの重心が合致するようにクランプとテンプレートが配列される（結果的に、各テンプレートが処理される）。テンプレートとクランプ内の画素の個数（同じ値である）が決定される。例えば、クランプ及びテンプレートの重心における画素について考察することとする。両者共に１に等しいか、又は、両者共に０に等しい場合には、和は１だけインクレメントされる。沿うでない場合には、和は、インクレメントされない。この比較動作は、クランプ及びテンプレート内の各画素に関して遂行される。次に、クランプ及びテンプレートの両方を囲む最も小さい長方形内の画素の全体数によって和を割る。この結果として得られる商（スコアとも呼ばれる）が所定のスレショルド以上である場合には、クランプはテンプレートにマッチする（整合する）と言われ、そして、テンプレートによって表される当該キャラクタとして認識される。この所定のスレショルドは、他の値を代用しても差し支えなく、そして、テンプレートによって異なっても差し支えないが、約９０％であることが好ましい。前述の分析は、クランプが認識されるまで、各テンプレートに関して実施される。必ずしも全てのクランプが認識されるとはかぎらないことに注意されたい。
【００９９】
或る実施例においては、キャラクタテンプレートは、１Ｄ圧縮されたキャラクタテンプレートであるように、前以て圧縮されている。この種の１Ｄ圧縮されたキャラクタテンプレートは、過程７８０８においてクランプと比較される。別の場合には、キャラクタテンプレートは圧縮されない。その代りに、クランプは減圧され、そして次に、過程７８０８において、圧縮されないキャラクタテンプレートと比較される。
【０１００】
過程７８０９において、ページパージングが行われる。特許文書を対象とする場合、本発明は、最初に、処理されたイメージファイルにおけるカラム（欄）番号（特許におけるカラムの最上に現れる）をロケートする。これは、前の過程において処理されたイメージファイルにおける寸法の大きい数として認識されたクランプを捜すことによって行われる。次に、本発明は、特許における各ページの最上部において寸法の大きい数として現れる特許番号をロケートする。当然理解されるように、ＰＴＯイメージファイルは、テキストの各ページの左右のカラムの間に一連の行番号（即ち、５、１０、１５、２０等）を有する。本発明は、これらのカラムを識別するために、これらの行番号シーケンスを検索する。本発明は、どのクランプがどのカラムに所在するかを識別するためにこの情報を用いる。これらのクランプは、割り当てられた順次的な位置番号であり、１から始まることが好ましい。同様に、ＴＰＯテキストファイルにおけるキャラクタも割り当てられた順次的な位置番号であり、１から始まることが好ましい。次に述べるように、これらの位置番号は、整合を目的として、処理済みのイメージファイルをＰＴＯテキストファイルと比較するために使われる。
【０１０１】
過程７８１０において、キャラクタ（過程７８０８において認識されたキャラクタ）の行が識別される。過程７８１０は、公知の任意の行認識技法を用いて実施しても差し支えない。この種の行認識技法に１つは、各キャラクタを順々に処理することによって作動する。キャラクタの中心が、前のキャラクタの最上部と底部との間にある場合には、これら２つの文字は、同一行にあると見なされる。ちなみに、前述のオペレーションによって認識されたキャラクタの行は処理済みイメージファイルと呼ばれる。
【０１０２】
過程７８１２において、本発明は、ＰＴＯテキストファイルを処理済みイメージファイルとマッチさせる。この整合動作の目的は、処理済みイメージファイルにおける行、カラム（欄）、及び、ページの終端部を識別することであり、次に、ＰＴＯテキストファイルにおける行、カラム（欄）、及び、ページのこの種の終端部を等価ファイルを生成するために反映することである。等価ファイルは、行／カラム（欄）／ページに基づいてイメージファイルに同期化される。
【０１０３】
例えば、ＰＴＯテキストファイルが次の文（センテンス）を含むものと仮定する「本発明は、コンピュータプラットホームを有する。」過程７８１２において、本発明は、この文の各ワードを処理済みイメージファイルのワードとマッチさせる。この文における「コンピュータ」と言うワード（語）が分析されつつあるものと仮定する。ＰＴＯテキストファイルからのワード「コンピュータ」は、処理済みイメージファイルにおける同じワードとマッチさせられる。このワードが処理済みイメージファイルの行の終端部に位置する場合には、本発明は、等価ファイルにおけるこの行終端情報を反映する。同様に、このワードがカラム（欄）の終端部、或いは、処理済みイメージファイルにおける１つのページの終端部に所在する場合には、本発明は、等価ファイルにおけるこのカラム終端／ページ終端情報を反映する。
【０１０４】
或る実施例において、過程７８１２は、次のとおりに遂行される。最初に、隣接キャラクタ（スペースはカウントしない）の一意的ペアが、ＰＴＯテキストファイルにおいて識別される。これらのキャラクタペアは、ワード内の重なっているキャラクタを含んでも差し支えない。第２に、各キャラクタペアに対するエントリを有する参照表が作成される。キャラクタペアが所在するＰＴＯテキストファイルにおける位置は、表のそれぞれのエントリに記憶される。第３に、処理済みイメージファイルにおける隣接キャラクタ（水平の方向において）の一意的ペアが識別される。処理済みイメージファイルからのこれらのキャラクタペア（アンカーペアとも呼ばれる）は、ワード内にオーバーラップしたキャラクタを含んでも差し支えない。
【０１０５】
アンカーペアをＰＴＯテキストファイル内のキャラクタにマップする処理動作が継続する。各アンカーペア用エントリを記載したアンカーペア表が作成される。これらのエントリには、アンカーペアに関するＰＴＯテキストファイルと関連した参照表からの位置情報が含まれる。次に、キャラクタの不可能シーケンスに対応するこのアンカーペア表からの位置が除去される。
【０１０６】
例えば、例ＰＴＯテキストファイル８６０８の一部を図８６に示す。このＰＴＯテキストファイル８６０８に対応する処理済みイメージファイル８６０６も図示される。過程７８０８において識別されたクランプのみを図８６に示す。ＰＴＯテキストファイル３６０８用の参照表は、項目８６１０として示される。項目８６１２は、位置的情報が削除される以前のアンカーペア表を表す。この種の位置的情報の削除方法を次に示す。この場合の「Ｔｈ」を第１のアンカーペアとして選定する。このアンカーペアの最も左の位置（この場合の唯一の位置）は位置１である。次に、他のアンカーペアは、それらの位置（ＰＴＯテキストファイル内の）がアンカーペアに対応可能かどうかを決定するために、このアンカーペア「Ｔｈ」に関して評価される。最初に、アンカーペア「ｈｅ」が評価される。このアンカーペアは、ＰＴＯテキストファイル８６０８内の位置２、５、及び、１４に発生する。「ｈｅ」が「Ｔｈ」と同じワード内にあることが既知であるので「ｈｅ」におけるアンカーペアは、アンカーペア「Ｔｈ」に関して位置２にのみ発生する（処理済みイメージファイルにおいては「Ｔｈ」が「ｈｅ」に非常に近いので、この情報は既知である）。従って、位置５、１４、及び、２５は削除される。前方および後方の両方向において検索が行われる。アンカーペア「ａｂ」が選定される場合について考察することとする。処理済みイメージファイル８６０６内のアンカーペア「ｔｈ」の後で、アンカーペア「ａｂ」が現れるので、（少なくとも、処理済みイメージファイル８６０６において識別されたクランプに関して）アンカーペア「ｔｈ」は、アンカーペア「ａｂ」に関する位置４、及び、１３にのみ発生可能である。各アンカーペアが選定され、そして、他のアンカーペアは、後方および前方両方向において選定済みアンカーペアに関して処理される。所定数の位置がアンカーペア表８６１２から削除された後で、ＰＴＯテキストファイル８６０８内の行終端を識別するために、処理済みイメージファイル８６０６をＰＴＯテキストファイル８６０８にマッチさせることが可能である。
【０１０７】
過程７８１４に示すように、過程７８１２が遂行された後で、流れ図７８０２が完了する。
【０１０８】
既に説明したように、本発明の自動化されたページ付け機能の結果、等価ファイルは、ライン（行）、カラム（欄）、及び、ページベースで同期化される。別の代替実施例においては、等価ファイルがページベース、カラム（欄）ベース、ラインベース、または、これらの任意の組合わせに限り同期化されるように、テキストファイルが自動的にページ付けされる。
【０１０９】
ページ付け訂正ツール
ページ付け訂正ツールは、初期自動ページ付けプロセスの結果を人間がチェックすることを可能にする。図３に示すおタイプのコンピュータシステムも使用可能である。このツールは、次の能力を提供するグラフィックユーザーインタフェースを備えたソフトウェアプログラムであり、そして、次の過程を完成する。  
＊  ＰＴＯテキストファイルを開き、そして、メモリに読み込む。  
＊  媒体上の既に編集済みの等価ファイルを開き、そして、メモリに読み込む。  
＊  特許カラムを開始するキャラクタをマーク、または、アンマークするために、カーソル制御装置（例えば、マウス４２）を使用する。  
＊  特許カラムの中で行を開始するキャラクタをマーク、或いは、アンマークするためにカーソル制御装置（例えば、マウス４２）を使用する。  
＊  ＰＴＯイメージファイルに示すように、テキストの行がその中に所在する特許テキストカラムと同じ行番号のテキスト行となるように、適切な垂直行間隔を設定するためにブランク行を加算、或いは、除去する。  
＊  セクションのタイトルとしてのパラグラフをマーク、或いは、アンマークするためにカーソル制御装置（例えば、マウス４２）を使用する。  
＊  どの図がどの図面シート上に所在するかを示す。
【０１１０】
コンピュータプログラムにおいて一般的であるように、上にリストされた所定のタスクは、ファイルは初めに開かれ、そして、最後に閉じられ（そして、通常、セーブされ）なければならないということを除けば特定の順序で実施されなくても差し支えない。
【０１１１】
別の代替実施例においては、自動ページ付けは行われない。その代りに、ページ付けは、ページ付け訂正ツールを用いて、完全に手動で行われる。この実施例は、例えば、ページベース、または、カラムベースにおいて同期化することだけが必要である場合に、特に有用である。参考までに、この種のページベース同期化、カラムベース同期化、等々は、集合的に同期化レベルと呼ばれる。
【０１１２】
別の実施例において、オペレータには、自動ページ付け、または、手動ページ付け、又は、上記２つの組み合わせが提供される。この実施例は、図７７に示されるフローチャート７７０２によってあらわされる。過程７７１０において、オペレータは、自動ページ付け、または、手動ページ付けを選択することができる。オペレータが自動ページ付けを選定した場合には、過程７７１２が実施され、既に説明したように、ページ付けが自動的に行われる。過程７７１２が遂行された後で、オペレータが過程７７１０において自動ページ付けを選定しなかった場合には、過程７７１４が遂行される。過程７７１４において、オペレータは、手動ページ付けを行うためにページ付け訂正ツールを使用する。
【０１１３】
インデクシング（指標付け）
ファイルのテキストを探索するプロセスを大幅に加速するために、等価ファイルの１つ以上のグループに関して、ワードのＢ＋トリー（木）逆インデックスが生成される。これらのインデックスは、ＰＴＯテキストファイルにおける全てのワードによって作られる。インデックス発生器は、インデックス作成に際して、行終了ハイフンを無視するが、行の中途のハイフンは無視しない。
【０１１４】
本発明は、次に示す作成／探索インデックス技法を用いる。即ち、インデックスの作成に際して、テキストファイルにおける全ての句読点は除去され、そして、結果として得られる英数字ワードは個別にインデックスデータベースに入れられる。テキストファイルにおけるワード位置も同様に記憶される。例えば、［Ａｘ，Ｂｘ，Ｃｘ］のようなストリングは、３つの個別のワード「Ａｘ」、「Ｂｘ」、及び、「Ｃｘ」に変換され、そして、個々のワードは、３つの個別のアイテムとしてのインデックスデータベースに入れられる。
【０１１５】
ユーザーが、［Ａｘ，Ｂｘ，Ｃｘ］のような探索ストリングを入力する場合には、ストリングは、次のトークン：「Ａｘ」、「Ｂｘ」、及び、「Ｃｘ」に変換される。トークンは、上記のテキスト変換技法を用いて探索され、そして、結果としての探索によって、サーチサーチマッチの３つのリストが生成される。これらのリストは、発生する全ての場合に、処理され、そして、濾過される。「Ａｘ」が発生すると、続いて即座に「Ｃｘ」が発生する。この技法を用いると、多数の句読点位置を記憶する必要性なしに、ソーステキストから発生するワードを直接探索することが可能になる。
【０１１６】
ユーザーインタフェース
本発明のグラフィックユーザーインタフェースは、部分的に、図３におけるシステムのマスメモリ６０、ＣＤ‐ＲＯＭ６２、または、フロッピーディスク６４に記憶されるコンピュータプログラムによって構成される。適切なプログラミングコードは、Ｉ／Ｏ回路５０によってメモリ記憶５５にロードされ、そして、ＣＰＵ  ５２によって実行される。本発明のコンピュータプログラムも、同様に、等速呼出記憶装置（ＲＡＭ）、或いは、他の機械読取り可能フォーム及び媒体に記憶可能であることを理解されたい。グラフィックユーザーインタフェースは、前のセクションにおいて述べた等価ファイル、及び、ＰＴＯイメージファイルをディスプレイし、そして、様々な見るため及び編集するためのオプションを提供する。
【０１１７】
図１１において、ディスプレイスクリーン６８を詳細に示す。ディスプレイ６８内には、本発明のユーザーインタフェースを用いたプログラムのタイトルを識別するためのタイトルバー１００を有する。図１１の例においては、プログラムのタイトルは、本発明が用いられるプログラムの性質に依存してＰａｔｅｎｔＷｏｒｋｓＷｏｒｋｂｅｎｃｈ＊であるが、タイトルは、特定のアプリケーションに従って変化しても差し支えない。更に、例えば「Ｃａｓｅ」、「Ｅｄｉｔ」、「Ｐａｔｅｎｔ」、「Ｎｏｔｅ」「Ｌｉｂｒａｒｙ」、「Ｖｉｅｗ」、「Ｗｉｎｄｏｗ」、及び、「Ｈｅｌｐ」のような複数のコマンドオプションを含むメニューバー１０２が提供される。更に、他の文脈特定コマンドオプションを、本発明が用いられる用いられる特定のアプリケーションに応じてディスプレイすることも可能である。
【０１１８】
図１１に示すように、ツールバー１０３は、メニューバー１０２の直ぐ下にディスプレイされる。ツールバー１０３は、本発明のユーザーが共通してアクセスできるオプション、及び、選択項目の主要ソースを含む。以下に詳しく説明するように、本発明のツールバーは、ブリーフケースアイコン１０６、利用可能なケースのリストをドロップするための方向ボタン１０７、特許をケースに指示するためのライトバルブアイコン１０８、及び、全ての特許またはケースから等価ファイルフォーマットにおいてディスプレイされる他のドキュメントのリストを獲得するための方向ボタン１０９を含む。更に、ライブラリアイコン１１０がツールバー１０３上に提供される。このアイコンを選定すると、特許ライブラリで利用可能な全ての特許のリスティングが提供される。ディスプレイスクリーンに現れるサーチボックスを選択するための拡大鏡アイコン１１２がディスプレイされる。探索の結果を識別するために、標的アイコン１１３が提供される。メニューバー１０３と共にディスプレイされる他のアイコンには、ドキュメントをプリントするためのプリンタアイコン１１５が含まれる。ケースノートディスプレイするためのケースノートアイコン１２５も、ツールバー１０３上に提供される。特許ノートアイコン１２６、及び、方向ボタン１２７は、特許ノートにアクセスし、そして、再調査するために提供される。
【０１１９】
メニューバー１０２、及び、ツールバー１０３にディスプレイされるこれらの種々のアイコン、及び、コマンドオプションの特定機能、及び、オペレーションについては、以下に更に詳しく説明する。全てのツールバーアイコン、または、ボタン機能は、ユーザーが、カーソル制御装置を使わずにアイコン及びボタン機能の機能を遂行することが出来るように設計されたキーボード等価物を有することに注意されたい。ツールバー１０３の全ての機能は、メニューの下方のメニューバードロップダウンメニューに同様にディスプレイされる。更に、図１１に示すように、２つの教示的な矢印１２９及び１３０がスクリーン６８上にディスプレイされる。教示的矢印１２９及び１３０は、本発明のインタフェースを用いて作業を始めるために、初期インストラクションをユーザーに提供する。これらの教示的矢印は、ユーザーによって、選択的にオン又はオフすることが出来る。更に、図１１に示すように、「Ｄｅｔｋｉｎ」ライブラリとして識別される現行ライブラリの小型化されたイメージが、スクリーンの左下隅に提供される。
【０１２０】
再び図１１及び図３において、本発明の教示に従い、ユーザーは、メニューバー１０２上のコマンドオプション上にカーソル４４を置き、そして、マウス４２またはキーボード５６を用いてＣＰＵ５２に信号を送ることにより、種々の機能にアクセス可能である。いったん、メニュー上のコマンドオプションが選定された場合に様々のドロップダウンメニューに示されるサブコマンドアイテムを選択するためには、種々の方法論を使用出来る。本発明は、図３に示すコンピュータシステムによって用いられる機能選択のための特定の方法論とは無関係に作動する。
【０１２１】
図１２、及び、図３に示すように、方向ボタン１０７の上にカーソル４４を置きそして、マウス４２又はキーボード５６のいずれかを用いてボタン機能１０７を作動化するとリスト１３２がディスプレイされる。リスト１３２は、システムの全てのケースをリストする。図１２に示す例において、「システム」ライブラリに現在存在し、そして、「デモンストレーション」として参照されるするケースがある。「システム」ライブラリが付加的ケースを含む場合には、これらのケースの名前がリスト１３２のようにディスプレイされることを理解されたい。図１３に示すように、「デモンストレーション」と参照されたケースを選定すると、ツールバー１０３に沿ってケース名がディスプレイされる。その上、本発明の教示的な矢印は、ユーザーに現行状態において利用可能などのオプションが選定可能であるかのガイダンスをユーザーインタフェースに提供する。例えば、図１３において、教示的な矢印１３９は、ユーザーに対して、ケース「デモンストレーション」の中に既に配置されている特許のリストを開き、そして、見るために、下向きの矢印１０９をクリックするように指示する。教示的矢印１４０は、ライブラリを開き、そして、ケース「デモンストレーション」に特許を加えるために、ユーザーがライブラリアイコン１１０をクリックして差し支えないことをユーザーに通知する。ケースは、数個のライブラリからの特許を含むことが出来る。
【０１２２】
図１４において、例えば、ユーザーがボタン機能１０９を作動化し、その結果、ケース「デモンストレーション」の中に特許がディスプレイされたと仮定する。更に、ユーザーが、米国特許４，７６０，４７８（以後４７８”と称する）を選定したと仮定する。図１４に示すように、図３に示すコンピュータシステムは、等価窓ウィンドウ１６０内に’４７８特許の等価ファイルをディスプレイする。既に明細書に示されているように、抽出、同期化、インデックス付け等のプロセスを有する本発明の教示に従って’４７８特許の等価ファイルが生成された。等価窓ウィンドウ１６０の付加的機能、及び、本発明の他の機能と関連したそのオペレーションについて、以下に詳細に説明する。同様に、図１４は、特許エキストツールボックス１６２を示す。図１４において、下向き矢印ボタン機能１６５が、ユーザーによって作動化されると、ドロップダウンリスト１７０がディスプレイされる。図に示すように、ダウンドロップリスト１７０には、等価窓ウィンドウ１６０にディスプレイされる特許’４７８のセクションのリスティングが含まれる。
【０１２３】
後で説明するように、ユーザーは、リスト１７０にディスプレイされる特許’４７８の種々セクションのうちの１つを選定することにより、セクションからセクションへ順々に迅速にナビゲートされる。例えば、図１４においては、書誌学的セクションが選定されている。図２に示すユーザーＣＰＵ５２による書誌学的セクションの選定に応答して、等価窓ウィンドウ１６０内に等価ファイルの書誌学部分がディスプレイされる。ユーザーは、等価窓ウィンドウ１６０の右縁に沿ってディスプレイされる文字「Ｂ」（数字１７５により参照される）を観察することにより、書誌学セクションが等価窓ウィンドウ１６０内に現在ディスプレイされつつあることを確認することができる。この例において、文字「Ｂ」は、等価窓ウィンドウ１６０内にディスプレイされるテキストが特許の書誌学セクションに対応することを示す。等価窓ウィンドウ１６０の付加的な特徴及び機能については、以下に詳しく説明する。
【０１２４】
図１５に示すように、メニューバー１０２上のライブラリメニューを作動化することにより、ライブラリのドロップダウンメニュー１５０がディスプレイされる。メニュー１５０は、「Ｏｐｅｎ  Ｌｉｂｒａｒｙ」、「Ｓｅａｒｃｈ」、  「Ｃａｓｅ  Ｃｒｏｓｓ  Ｒｅｆｅｒｅｎｃｅ」、及び、「Ｓｅｔ  Ｌｉｂｒａｒｙ  Ｄｉｒｅｃｔｏｒｉｅｓ」を含む様々なコマンドアイテムを含む。本明細書の目的に従い、本発明の種々機能について、以下に説明する。ただし、当該技術分野における熟達者にとっては、本発明のオペレーションが動的であり、そして、ここに示すイベントの特定の順序またはシーケンスは、本発明が行うことの可能なイメージ及びオペレーションの様々な可能なシーケンスの１つに過ぎないことが理解できるはずである。本発明には、図３に示すコンピュータシステムとオペレータが対話するのことを可能にするグラフィックユーザーインタフェースが含まれる。ここで生成されるオペレーション及びディスプレイの特定のシーケンスは、図３に示すコンピュータシステムと人間オペレータとの関係に依存する。   
【０１２５】
図１６において、例えば、ユーザーが図１５のライブラリドロップダウンメニュー１５０の中から機能「Ｓｅｔ  Ｌｉｂｒａｒｙ  Ｄｉｒｅｃｔｏｒｉｅｓ」を選定すると仮定する。Ｓｅｔ  Ｌｉｂｒａｒｉｅｓ  Ｄｉｒｅｃｔｏｒｉｅｓコマンドの選定に応答して、図１６に示すように、図２のＣＰＵ５２は、Ｓｅｔ  Ｌｉｂｒａｒｙ  Ｄｉｒｅｃｔｏｒｉｅｓ対話ボックス１７５をディスプレイする。Ｓｅｔ  Ｕｂｒａｒｙ  Ｄｉｒｅｃｔｏｒｉｅｓ対話ボックス１７５は、ライブラリを含むディレクトリ、及び、新規なライブラリを作成する場合に使われるディレクトリをユーザーが定義することを可能にする。Ｓｅｔ  Ｌｉｂｒａｒｙ  Ｄｉｒｅｃｔｏｒｉｅｓ対話ボックス１７５は、様々な対話ボックスオプションを含む。図１６に示すように、ディレクトリ窓ウィンドウ１８０は、ユーザーに利用可能な現行ディレクトリをディスプレイする。ユーザーは、図３のカーソル４４を所要ディレクトリ上に置き、そして、図３のキーボード５６またはマウス４２を用いて、コンピュータに合図し、ディレクトリを選定することが出来る。ディレクトリを選択した後で、追加ディレクトリボタン機能関数１８５を用いてディレクトリをパスリストに加えることが出来る。ディレクトリをダブルクリックすることによってディレクトリを開くことにより、選定されたディレクトリに含まれるディレクトリが、ウィンドウ１８０内の選定済みディレクトリの下にリストされる。更に、例えばＣＤドライブ６２のような種々のドライブを選定できる（図３参照）。ＣＤドライブ６２のアイコン表現は、Ｓｅｔ  Ｌｉｂｒａｒｙ  Ｄｉｒｅｃｔｏｒｉｅｓ対話ボックス１７５にも同様にディスプレイされる。例えば、図１６において、ＣＤドライブ６２はアイコン２００によって表される。アイコンをクリックして選定すると、選定済されたドライブに含まれる全てのディレクトリは、ウィンドウ１８０に配置されたディレクトリリストにリストされる。図に示すように、現在選定されているディレクトリは、Ｓｅｔ  Ｌｉｂｒａｒｙ  Ｄｉｒｅｃｔｏｒｉｅｓ対話ボックス１７５内においても同様に識別される。現在選定されているディレクトリは、ディレクトリリスト、または、パスリストから選定されたディレクトリであることも有り得る。いったん、ユーザーがディレクトリを選定すると、ディレクトリボタン機能１８５を作動化することにより、ウィンドウ１９０内のライブラリを含むディレクトリリストにディレクトリがつけ加えられる。ボタン機能Ｒｅｍｏｖｅ  Ｄｉｒｅｃｔｏｒｙ  ２０５は、パスリストから、選定済みディレクトリを除去する。いったん、除去されれば、ディレクトリは、利用可能なライブラリのサーチに使用されない。同様に、Ｓｅｔ  Ｌｉｂｒａｒｙ  Ｄｉｒｅｃｔｏｒｉｅｓ対話ボックス１７５は、ＳｅｔＤｅｆａｕｌｔボタン機能２１０を含む。ＳｅｔＤｅｆａｕｌｔボタン２１０は、現在選定されているディレクトリをデフォルトディレクトリとしてセットする。ライブラリに関するディレクトリをセットする場合には、デフォルトとしてセットされたディレクトリは、そこで新しいライブラリが作られるディレクトリである。図１６に示すように、Ｓｅｔ  Ｌｉｂｒａｒｙ  Ｄｉｒｅｃｔｏｒｉｅｓ��話ボックス１７５は、同様に、現行デフォルトディレクトリを識別する。
【０１２６】
図１７において、図１５のメニュー１５０の中からＮｅｗ  Ｌｉｂｒａｒｙオプションを選定すると、Ｎｅｗ  Ｌｉｂｒａｒｙ対話ボックス２２５がディスプレイされる。図３のキーボード５６、または、他の入力装置を用いて、ユーザーは、開かれたフィールド２３０に新しいライブラリに関する名前をインプットし、そして、入力された名前を用いて新しいライブラリを作ることが出来る。
【０１２７】
図１５におけるメニュー１５０からＯｐｅｎ  Ｌｉｂｒａｒｙサブコマンドアイテムを選定すると、図３のコンピュータ４８は、図１８に示すように、Ｏｐｅｎ  Ｌｉｂｒａｒｙ対話ボックス２３５を生成してディスプレイする。図１８に示すように、Ｏｐｅｎ  Ｌｉｂｒａｒｙ対話ボックス２３５には、ウィンドウ１９０に指定されたディレクトリ内において発見されライブラリのみに関する以前に造られたライブラリをディスプレイするフィールド２３７が含まれる。更に、ライブラリは名前によって識別される。例えば、フィールド２３７内において、「ａａａ」ライブラリ２４０、及び、１「ｂｂｂ」ライブラリ２４２が識別される。スクロールバー（図示せず）は、一時にフィールド２３７内にディスプレイできるよりも多いライブラリがある場合に、ユーザーが、種々のライブラリをスクロールすることを可能にする。テキストのスクロールについては、当該技術分野において公知であるので、スクロールのための特定の機構についてはここでは開示しない。
【０１２８】
図１８、及び、図３に示す好ましい実施例において、ライブラリは、ユーザーが、ライブラリアイコン２３８、或いは、ライブラリの名前の上にカーソル４４を置き、そして、カーソル制御装置４２のスイッチ４６をダブルクリックすることによってライブラリが選定される。その代りに、ライブラリの名前またはアイコン２３８上にカーソル４４を置き、そして、スイッチ４６を１度だけクリックしすると、ライブラリがハイライトされる。次に、ＯＫボタン２５０上にカーソル４４を置き、スイッチ４６をクリックすることによってライブラリが選定される。図１８に示すように、いったん、ライブラリが選定されると（図１８の例ではライブラリ「ｂｂｂ」）、コンピュータ４８は、当該ライブラリの名前をハイライトする。この明細書で使用する場合には、「ライブラリ」は、電子特許お収集を含む。この中には、等価ファイル及び各リストされた特許のＰＴＯイメージファイルが含まれる。
【０１２９】
図１９において、ライブラリ（この例では「ｂｂｂ」ライブラリ）を選定すると、図３のコンピュータ４８は、Ｌｉｂｒａｒｙ内容対話ボックス２６０をディスプレイする。図に示すように、ボックス２６０には、選定されたライブラリを含む全ての特許がリストされるフィールド２６２が含まれる。図１９に示す例においては、「ｂｂｂ」ライブラリには、わずか４つの特許（米国特許Ｎｏｓ  ４，７６０，４７８、４，７８３，７５７、５，０７３，９６９、及び、５，１６５，０２７）だけが含まれる。その上、図に示すように、ライブラリの中に配置された全ての特許は、特許番号と同様に、電球アイコン２６５によって識別される。付加特許の特定情報は、例えば発明者の名前、譲受人情報、特許タイトル等と同様に含ませることも可能である。更に、ボックス２６０は、ボックス２６０が、以下に説明するケース特許と対照的にライブラリ特許を有することを表示するための特許ライブラリアイコン２７０を含む。ボックス２６０は、更に、例えば、ライブラリから特許を除去する「ｒｅｍｏｖｅ」ボタン２７４、ライブラリボックス２６０の中から新しいケースを作るために「ｃｒｅａｔｅ  ａ  ｎｅｗ  ｃａｓｅ」ボタン２７６、及び、ケースに特許を加えるためにの「ａｄｄ  ｔｏ」ボタン２７８ののような様々な他のボタン機能を含む。
【０１３０】
更に、図１９に示すように、ボックス２６０は、ライブラリウィンドウ２６２内の全ての特許を選択するための「ｓｅｌｅｃｔ  ａｌｌ」ボタン機能２８４を含む。ユーザーは、単一特許を見ることを選定することができる。この場合には、コンピュータは、図１４に示す等価ウィンドウ１６０内に特許等価ファイルをディスプレイする。ＯＫボタン２８６を選定すると、ウィンドウ２６０を忘れ去り、そして、ユーザーが選定した機能を実行する。
【０１３１】
図２０に示すように、ユーザーによって特許’４７８が選定されると、ディスプレイ上において当該特許がハイライトされる。更に、ボックス２６０は、図２１に示すように、ボックス２６０のライブラリアイコン２７０を最小限にするために、下向き矢印ボタン２９０を含む。ボックス２６０を最小限にするために、図３のカーソル４４はボタン２９０上の置かれ、図３のマウス４２が瞬間的にクリックされる。図３のコンピュータ４８は、スイッチ４６の瞬時的圧し下げを感知する事により、最小限化されたライブラリの名前によって識別されるライブラリアイコン２７０として図２１に示されるように、ボックス２６０を最小限にする。
【０１３２】
図１５のメニュー１５０内のＵｐｄａｔｅ  Ｌｉｂｒａｒｙサブコマンドアイテムを選定することにより、図２２に示すＵｐｄａｔｅ  Ｌｉｂｒａｒｙ対話ボックス３００がディスプレイされる。Ｕｐｄａｔｅ  Ｌｉｂｒａｒｙボックス３００は、現在使用中の現行ライブラリ、すなわち、この例におけるＩｎｔｅｌ＠Ｌｉｂｒａｒｙを参照することに注意されたい。図２２に示すように、Ｉｎｔｅｌ＊対話ボックスは、現行ライブラリの名前、更新の日付、ＯＫボタン、ボックスディスプレイをキャンセルするための「ｃａｎｃｅｌ」ボタンを含む。好ましい実施例において、Ｕｐｄａｔｅ  Ｌｉｂｒａｒｙサブコマンドは、ライブラリが以前に選定済みである場合に限り、選定可能である。
【０１３３】
図２３において、図１５のメニュー１５０からの、或いは、サーチアイコン１１２からのＳｅａｒｃｈサブコマンドの選定及びオペレーションについて、説明する。Ｓｅａｒｃｈサブコマンドアイテムを選定すると、図３におけるコンピュータ４８は、現行特許、現行ライブラリ、または、現行ケースを探索するオプションを用いて、Ｓｅａｒｃｈ  Ｌｉｂｒａｒｙ対話ボックス３０２を生成し、そして、ディスプレイする。オペレーションにおいて、一度、サーチのロケーションが選定されると（例えば、現行ライブラリを探索するために）ユーザーは、ボックス３０２内のサーチワードフィールド３０４に種々のサーチワードを入力するオプションを持つ。このオプションには、例えば「ＡＮＤ」、「ＯＲ」、及び、例えば、選定したワードの、例えば、５、１０、または、２５ワード以内の近辺探索のような、他の論理サーチタームにようなブーレタームが含まれる。その上、ユーザーは、以前にセーブされたサーチ（ボタン機能３０９）のリコール、検索されつつある選定済み特許からのワードリスト（ボタン機能関数３０６）の観察、及び、現行サーチ（ボタン機能３０８）のセーブ、或いは、キャンセルボタン機能を押すことによる対話ボックスからの退場を選定することができる。種々の論理ブールタームは、例えば、ＡＮＤ、ＯＲ、或いは、ユーザーがサーチを定義することを援助する他の共通サーチ表現のような、ボタン機能として事前に定義される。図２３に示すように、ボックス３０２は、ワードリストボタン機能３０６を含む。キャンセルボタン３０７を作動化すると、ボックス３０２が解散する。
【０１３４】
図２３において、Ｓｅａｒｃｈ対話ボックス３０２の付加的機能について説明する。既に検討したように、Ｓｅａｒｃｈ対話ボックスは、ユーザーが、フレーズ（句）又はブールタームが組合わされたフレーズのグループの探索を実施することを可能にする。図２３に示すように、ユーザーは、メニューオプションから現行ライブラリ、現行特許、または、現行ケースを選定できる。特許ノートの探索を実施するためには、以下においてさらに詳しく説明するように、読者には、ノートメニューバーからの「ｆｉｎｄ」コマンドについて説明される。例えば、ユーザーが探索を実施することを望むものと仮定する。最初に、ユーザーは、サーチの所要対象範囲を選定しなければならない。この範囲は、検索されるべき情報の量を識別する。ボックス３０２の「現行特許」を選定すると、現在作動化されている特許が探索される。探索が完了すると、図２８の等価ウィンドウ１６０にディスプレイされる等価ファイルのテキストにおけるサーチストリングの全ての発生（「ヒット」）がハイライトされる。ユーザーは、ボックス３０２の当該オプションをクリックすることによって現行ライブラリを探索することもできる。現行ライブラリが選定されると、サーチは、現在開いている全ての特許ライブラリを含む。サーチが完了すると、サーチストリングを含むことが発見されたライブラリにおける全ての特許は、Ｓｅａｒｃｈ  Ｒｅｓｕｌｔｓ対話ボックス内にリストされる。これについては、図２６を参照しながらあとで説明する。ユーザーが、ボックス３０２内の当該オプションをクリックすることによって「現ケース」を選定した場合には、現在ひらいているケースが探索される。サーチが完了すると、サーチストリングを含むことが発見されたケースにおける全ての特許はＳｅａｒｃｈ  Ｒｅｓｕｌｔｓ対話ボックス内にリストされる。本発明の教示を用いて、ユーザーがサブワード又はその一部を含むワードを探索することが可能である。ボックス３０２のフィールド３０４にワードまたは番号を入力し、Ｓｅａｒｃｈボタン機能３０５を作動化すると、入力されたワード、及び／又は、数に関して探索が開始される。ワードを、例えばＡＮＤ、ＯＲ、または、近接サーチのようなブールタームと結合することにより、複雑なストリングサーチを実施することができる。後で説明するように、ユーザーは、セーブされたサーチ又はセレクトワードを、ワードリストを用いて選択することも出来る。ユーザーは、等価テキストファイルから、テキストの部分を選択することも可能である。サーチライブラリ対話ボックス３０２内のＣｌｅａｒボタン機能３０９は、ユーザーが、サーチウィンドウ３０４において定義した現行サーチワードをクリアすることを可能にする。Ｃｌｅａｒボタン３０９を作動化すると、ウィンドウ３０４の全ての内容がクリアされる。クリアするための代替方法としては、図３に示すキーボード５６からバックスペース削除キーを使用する。更に、ワードを、ボックス３０２のフィールド３０４にコピー及びペーストすることが出来る。
【０１３５】
論理式に関しては、公知であるように、「ＡＮＤ」タームによって、探索されるべきワードＡＮＤの全てが発生する。例えば、ワード「データＡＮＤディバイス」を探索すると、探索対象範囲全体に亙って、ターム「データ（および、ワードディバイス）」の全てが発生する。例えば、ストリング「データＯＲディバイス」を探索すると、「ｄａｔａ」又は「ｄｅｖｉｃｅ」のいずれかの全が発生する。アステリスクオプションは、サーチタームにおけるワイルドカードを意味する。これは、不完全なワード、または、探索中のタームにとって付加的なキャラクタを含ワードを用いて探索することを可能にする。例えば、「ｄｅ」を探索すると、探索範囲内の、「ｄｅ」、「ｄｅｖｉｃｅ」、「ｄｅｎｏｔｅ」、等々で始まる全てのワードが発見される。５、１０、または、２５ワード以内の近辺探索の使用についても公知であり、そして、本発明のインタフェースによってサポートされる。
【０１３６】
Ｓａｖｅ  Ｓｅａｒｃｈボタン機能３０８は、ユーザーが、「Ｇｅｔ  Ｓａｖｅｄ  Ｓｅａｒｃｈ」ボタン機能３０９をクリックすることにより、サーチを、検討、編集、或いは、他のサーチに加えるために、後で検索を可能にする個別の表にセーブすることを可能にする。Ｇｅｔ  Ｓａｖｅｄ  Ｓｅａｒｃｈボタン機能３０９は、以前にセーブされた全てのサーチをリストする。ユーザーは、以前に探索されたアイテムのうちの任意のアイテムを、見るために、選定することを可能にする。セーブされたサーチは、アルファベット順かつ年代順にリストされる。ボタン機能Ｗｏｒｄ  Ｌｉｓｔ３０６を作動化すると、特許またはライブラリ内に存在する全てのワードのリストを作成する。
【０１３７】
図２４及び図３において、Ｗｏｒｄ  Ｌｉｓｔボタン機能３０６の上にカーソル４４を置き、及び、マウス４２のスイッチ４６を瞬間的に押し下げると、図２４に示すワードリスト対話ボックス３１０が生成及びディスプレイされる。ワードリスト対話ボックス３１０には、特定のワードがワードリストの左側カラムに現れる回数を示す数値識別子と共に、選定された特許、又は、ライブラリ内の全ての特許内に存在する全てのワードのアルファベット順に並べられたリスティングが含まれる。例えば、Ｄｅｔｋｉｎ  Ｌｉｂｒａｒｙ及び選定された特許内においては、ワード「ａｂａｎｄｏｎ」は７回発生する。同様に、ワード「ａｂｉｌｉｔｙ」は２回発生する。リストのレタータブの上にカーソル４４を置くことにより、ユーザーは、ワードのＥｓｔを介して迅速に操作することが出来る。例えば、図２５に示すように、文字「Ｄ」の上にカーソル４４を置き、スイッチ４６を瞬間的にクリックすると、コンピュータ４８は、ボックス３０２内において識別される探索フィールド内の選定済み特許の中の文字「Ｄ」で始まる全てのワードのリスティングを生成する。更に、スクロールバー３１１を使用することにより、ワードリストがスクロール可能であることに注意されたい。ワードリストからのワード「データ」を選定すると、サーチウィンドウ３０４内に当該ワードが自動的に現れる。「ｗｉｌｄ  ｃａｒｄ」（’）ボタン機能３１４の上にカーソル４４を置くことにより、ユーザーは、選定されたワードで始まる全てのワード、及び、当該ワードに後続するあらゆる付加的キャラクタを識別することができる。例えば、ユーザーが、文字「ｄｅ」を選定し、そして、当該ワードの終端に続けてワイルドカー（例えば、ｄｅ’）を添付すると、サーチ対話ボックス３０２は、文字「ｄｅ」で始まる全てのワードをロケートし、そして、それに任意のエンディングを添付する。更に、「ワイルドカード」野生のｃａｒｄ”（’）は、接尾部の前に置いても差し支えない。例えば、ユーザーがワード「’ｔｉｏｎ」を入力した場合には、サーチ対話ボックス３０２は、文字「ｔｉｏｎ」で終わる全てのワードを見付け出す。
【０１３８】
例えば、ユーザーが、ウィンドウ３０４内に現行ライブラリに関するサーチワード「ｄａｔａ」を持つような、図２５において識別されるサーチを開始しようとするものと仮定する。ボックス３０２のサーチボタン上にカーソル４４を置き、そして、スイッチ４６をクリックすることにより、図３のコンピュータ４８は、図２６に示すように、Ｓｅａｒｃｈ  Ｒｅｓｕｌｔｓボックス３２０を生成して、ディスプレイする。Ｓｅａｒｃｈ  Ｒｅｓｕｌｔｓボックス３２０は、選定されたワードが、特定のライブラリの全ての特許において発生する回数をリストする。この例においては、Ｄｅｔｋｉｎ  Ｌｉｂｒａｒｙは、サーチワード「データ」を有する２３特許を含む。ディスプレイエリア３２９には、’２３３、’１２５、’７４２、’６６０、’２６２、’０５６、及び、’０５５特許が表示される。他の１６特許は、ユーザーがエリア３２９を下方にスクロールした場合に、３２９の上のディスプレイに現れる。図２６に示すように、サーチターム「データ」は、特許’２３３において１０１回、特許２６２において２４７回発生する。更に、Ｓｅａｒｃｈ  Ｒｅｓｕｌｔｓボックス３２０は、サーチタームが含まれる特許の番号、及び、選定された特許の番号を識別することに注意されたい。この段階において、ユーザーは、ワード「データ」の各発生を見るために特許を選定することができる。更に、Ｓｅａｒｅｈ  Ｒｅｓｕｌｔｓボックス３２０は、新しいケースを造るためのボタン機能を有するか、或いは、ユーザーは、別のボタン機能を用いて、特許を現行ケースに加えることができる。
【０１３９】
例えば、ユーザーが、特許’２３３の等価ファイルを見ることを望むものと仮定する。ユーザーは、図３のカーソル４４を、ボックス３２０内にリストされた特許サーチ結果の部分の上に置く。例えば、ユーザーは、カーソル４４を、電球アイコン、発生回数（現行例においては、１０１）、或いは、特許番号の任意の部分の上に置き、そして、スイッチ４６を瞬間的の圧し下げることができる。ボックス３２０内の特許を選定することにより、図３のコンピュータ４８は当該選定をハイライトする。当該選定をダブルクリックするか、または、Ｖｉｅｗボタン機能３２５を作動化することにより、コンピュータ４８は、当該特許のライブラリバージョンの等価ファイルをディスプレイし、そして、サーチタームの全ての場合をディスプレイする（この例においては、ワード「データ」）。図２８に示すように、本発明の好ましい実施例において、選定された特許の等価ファイルは、等価ウィンドウ１６０内のスクリーン６８の左側部分における図３のディスプレイ６８にディスプレイされる。右矢印ボタン３５１を反復的に作動化することにより、等価特許テキストにおけるサーチタームの各「ｈｉｔ」にナビゲーションを与えることになる。更に、（＋）ボタン機能３７２及び（−）ボタン機能３７４は、等価ウィンドウ１６０の部分として、図に示される（例えば、図２７参照）。正機能３７２または負機能３７４を作動化すると、図３のコンピュータ４８は、カラム番号ベースでインクリメントする等価ファイルをディスプレイする。例えば、正ボタン３７２を作動化すると、当該特許の次のカラムが等価ウィンドウ１６０内にディスプレイされる。負ボタン３７４を作動化すると、当該特許の前のカラムがディスプレイされるようにディクリメントする。更に、本発明は、ディスプレイされた任意のカラムを介してテキストがスクロールされるように、ウィンドウ１６０内の等価ファイルのスクロールをサポートする。
【０１４０】
図２６に示すように、Ｓｅａｃｈ  Ｒｅｓｕｌｔｓ対話ボックス３２０は、Ｓｅｌｅｃｔ  Ａｌｌボタン機能３２８を含む。Ｓｅｌｅｃｔ  Ａｌｌボタン機能３２８を作動化すると、エリア３２９にディスプレイされる結果リストにおける全ての特許が選定される。選定された特許は、現行ケースに加えられるか、或いは、エリア３２９にディスプレイされた探索結果を伴った新しいケースを作成する。
【０１４１】
図２７に示すように、メニュー１５０（図１５参照からボタン機能Ｌｉｂｒａｒｙ／Ｃａｓｅ  Ｃｒｏｓｓ  Ｒｅｆｅｒｅｎｃｅを選定すると、Ｃａｓｅ  Ｃｒｏｓｓ  Ｒｅｆｅｒｅｎｃｅ対話ボックス３５０にＬｉｂｒａｒｙがディスプレイされる。Ｌｉｂｒａｒｙ／Ｃａｓｅ  Ｃｒｏｓｓ−ｒｅｆｅｒｅｎｃｅ対話ボックス３５０は、ユーザーが、当該特許が用いられるケースに参照される現行ライブラリに相互参照された全ての特許のリストを見ることを可能にする。図に示すように、例えば、等価ウィンドウ１６０が、本発明の多数の対話及び制御ボックスと同様に、図３のスクリーン６８上の任意の場所に選択的に置くことができるように、対話ボックス３５０は、他のディスプレイされたウィンドウ上で「フロートする」。
【０１４２】
例えば、ユーザーが、図２６におけるＳｅａｒｃｈ  Ｒｅｓｕｌｔｓ対話ボックス３２０の観察ボタン機能３２５を選定すると仮定する。図３のコンピュータ４８は、選定された特許の等価ファイルをディスプレイし（図２８の例では、’４７８特許）、そして、等価ウィンドウ１６０にディスプレイされた等価ファイルにおいて発生するサーチタームの全ての場合をハイライトする。更に、コンピュータ４８は、特許Ｔｅｘｔ  Ｔｏｏｌｂｏｘ  １６２を生成し、そして、ディスプレイする。この場合、このボックスは、図３のスクリーン６８上の任意の場所に移動および保持可能なウィンドウの形をとる。図に示すように、特許Ｔｅｘｔ  Ｔｏｏｌｂｏｘ  １６２は、右矢印ボタン機能３５１、左矢印ボタン機能３５２、現在ディスプレイされている特許を識別する特許識別子ボックス３５５、及び、選定されると、現在ディスプレイされている特許のセクションヘディングを含むメニューをディスプレイする下方矢印ボタン１６５を含む。図に示すように、特許Ｔｅｘｔ  Ｔｏｏｌｂｏｘ  １６２は、更に、サーチタームの発生数を識別する「Ｈｉｔ」ウィンドウ３６０を含む。例えば、図２８に示す’４７８特許のカラム（欄）３において、サーチタームの最初の発生は、「２５のヒットのうちの１つ」としてウィンドウ３６０に示され、ターム番号の全発生回数は２５である。右矢印ボタン３５１を作動化することにより、その次の等価ファイルは、等価ウィンドウ１６０内のサーチタームの発生にスクロールされる。
【０１４３】
図２８において、サブヘッディング「簡単な説明」を選定することとする。ボタン１６５を作動化すると、当該特許の他の全てのヘッディング（例えば、発明の背景、先行技術、等々）は、図１４に関して以前に示したように、特定の特許に関してディスプレイされる。読者は、ボタン１６５の活性化によってディスプレイされるヘッディングのリスティングは選定された特許の実際のヘッディングのリスティングであることに注意されたい。特許は、多くの他のドキュメントと同様に、ドキュメントの著者によって作成され、そして、一意的なヘッディングよって識別されるので、図３のコンピュータ４８は、現在見ている特定の特許に適用可能または不可能な事前に定義されたヘッディングと対照的な選定された特定の特許に使われる現実のヘッディングを生成し、そして、ディスプレイする。
【０１４４】
図２９において、特許Ｔｅｘｔ  Ｔｏｏｌｂｏｘ  １６２は、以下において更に詳細に説明するように、ディスプレイされた等価ファイルにおいて、テキストの一部分をハイライトするために色の変わるマーカーを表す複数のマーカアイコン３８１、３８２、及び、３８４を含む。特許テキストの部分を識別することには、ペンアイコンが装備される。以前に示したように、右矢印ボタン３５１の活性化により、図３のコンピュータ４８は、サーチ探索ワードは、最初の場合の後でサーチワードに遭遇する順次的な場合（「ヒット」）をスクロールする。左矢印ボタン３５２を作動化すると、コンピュータ４８により、選定されたサーチタームの各場が逆の順序で生成される。サーチタームがインクレメント、或いは、ディクレメントされると、それぞれ、ウィンドウ１６０が更新される（例えば、「２４のうちのヒット５」、「２４のうちのヒット２」等）。更に、図２８においても同様に、特許Ｔｅｘｔ  Ｔｏｏｌｂｏｘ  １６２は、ライブラリアイコン、または、ケースアイコンを含むことに注意されたい。ライブラリアイコンのディスプレイは、Ｅｑｕｉｖａｌｅｎｔウィンドウ１６０にディスプレイされる特許の等価ファイルがライブラリコピーであることを示す。ライブラリコピーの場合には、ユーザーは、ノートを作ること、又は、等価ファイルをハイライトすることができない。作動中の等価ファイルは、ライブラリアイコンの代わりのケースアイコン（アイコン１０６と同様の）によって表示される（図２９参照）。ここで説明するように、作動中の等価ファイルは、ユーザーによって、探索、注釈、及び／又は、ハイライト可能である。
【０１４５】
更に、ボックス１６２に示される現行ヘッディング識別子（例えば、「簡単な説明」）は、ウィンドウ１６０の上側部分にディスプレイされるテキストに対応することに注意されたい。従って、図２９に示す例において、ビブリオラフィはカラムＢ１に始まる。ディスプレイウィンドウ１６０の上側部分は特許の文献目録をディスプレイするので、ボックス１６０内のヘッディング識別子は、「目録」として特許の概要が見られる部分を識別する。
【０１４６】
図３０において、特許’４７８の等価ファイルは、ディスプレイされる等価ファイルの種々のセクションに関するロケーション識別子を含む。図３０における示す例において特許の目録セクションは、文字「Ｂ」によって識別される。レターＢ（４００）は、特許等価イクイバレント’４７８におけるカラム（欄）Ｂ１の長さに沿って垂直に現れる。好ましい実施例において、Ｂ識別子４００は青である。図３０、及び、図３において、レターＢｓのうちの任意の１つの上にカーソル４４を置き、そして、マウス４２のスイッチ４６をクリックすると、対応する目録的公式米国特許ドキュメントをビットマップしたイメージファイルが、ディスプレイ６８上のイメージウィンドウ４１０内にディスプレイされる。Ｅｑｕｉｖａｌｅｎｔウィンドウ１６０にディスプレイされる等価ファイルとイメージウィンドウ４１０にディスプレイされるＰＴＯ  Ｉｍａｇｅ  Ｆｉｌｅとの間の連結については、この明細書において、同期化に関して既に説明済みである。
【０１４７】
本発明は、ユーザーに、図３におけるディスプレイ６８に関する同一同特許の多重バージョンを見る能力を提供する。図３１において、この明細書において以前に示したように、ウィンドウ１６０内にディスプレイされた特許等価ファイルは、公式の米国特許の探索可能なＡＳＣＩＩテキストイクイバレントを表す。スクリーン６８のイメージウィンドウ４１０にディスプレイされた特許イメージは、特許に関する図を含む公式の米国特許のＰＴＯイメージファイルを表す。既に注記したように、ウィンドウ４１０におけるイメージ特許は、探索可能でなく、そして、ＡＳＣＩＩテキストフォーマットでなくて、ビットマップされた任意のイメージと同様に、ウィンドウ４１０内において操作および拡大可能である。図３０に示すように、窓ウィンドウ４１０には、ウィンドウ４１０を最小化限するために使われる下向き矢印ボタン機能４１５及びページごとにウィンドウ４１０を下方にスクロールするために用いられる負ボタン機能４２０（図３１参照）が含まれる。更に、図３０には、ユーザーによってディスプレイ６８上のどこにでも選択的に配置可能な特許Ｉｍａｇｅ  Ｔｏｏｌｂｏｘ  ４３０を示す。特許イメージツールボックス４３０は、ウィンドウ４１０における特許イメージにおいてオペレーとする場合に使用せきる様々な機能を含む。これらの機能のうちの１つは、作動化すると、イメージを水平に回転させ、アイコン４３５が再び作動化されると、垂直に戻す回転イメージアイコン４３５を含む。さらに、Ｐａｔｅｎｔ  Ｉｍａｇｅ  Ｔｏｏｌｂｏｘ  ４３０は、作動化されると、ユーザーが、図３のキーボード５６を用いて、（例えば、イメージウィンドウ４１０にディスプレイされた図面から）エレメント番号をタイプ可能にするＧｏ  Ｔｏエレメントアイコン４３７を含む。次に、本発明のコンピュータは、Ｅｑｕｉｖａｌｅｎｔウィンドウ１６０にディスプレイされた特許の等価ファイルを探索し、そして、エレメント番号が記述される最初の場合における等価ファイルの当該部分をディスプレイする。更に、Ｐａｔｅｎｔ  Ｉｍａｇｅ  Ｔｏｏｌｂｏｘ  ４３０は、種々の倍率アイコン（例えば、「１Ｘ」アイコン４４０、「２Ｘ」アイコン４４２、及び、「３Ｘ」アイコン４４５）を含む。アイコン４４２を作動化すると、媒体解像度が達成され、そして、イメージウィンドウ４１０内にディスプレイされるイメージが拡大されるような、ズームオプションになる。アイコン４４５を作動化すると、好ましい実施例における最高解像度を以てウィンドウ４１０内にディスプレイされるイメージを見ることを可能にする３回ズームオプションになる。
【０１４８】
図３１に示すように、本発明のツールボックスは、スクリーン６８上の任意のロケーションに選択的に配置可能である。ツールボックスを別のロケーションに動かすには、図３のカーソル４４を、トップバーエリアの部分上に置く（例えば、図３０におけるボックス４３０のトップバー４５０、または、図３１のボックス１６２のトップバー４５５）。図３１、及び、図３において、いったん、カーソル４４が、ツールボックスのトップバーエリア上に置き、スイッチ４６を圧し下げると、カーソル４４はツールボックスへ効果的にカップリングされる。マウス４２の動きは、カーソル４４及びツールボックス両方の対応する動きとなり、ツールボックスは、スクリーン６８上のあらゆるロケーションに置くことが出来る。カーソル４４は、スイッチ４６を単に放すだけで、ツールボックスとの結合を解くことが出来る。
【０１４９】
図３０において、イメージウィンドウ４６Ｏは、垂直のスクロールバー４６０、及び、水平のスクロールバー４７０を含むことに注意されたい。垂直のスクロールバー４６０を用いて、イメージウィンドウ４１０内にディスプレイされるイメージ画像は、垂直にスクロール可能である。同様に、水平のスクロールバー４７０の使用は、イメージウィンドウ４１０内に示されるイメージの水平スクロールを可能にする。更に、負機能（「−」）４７２、及び、正（「＋」）機能関数４７４は、垂直スクロールバー４６０に沿って配置される。機能４７２、及び、４７４は、ユーザーが、イメージウィンドウ４１０内にディスプレイされる特許の（完全なＰＴＯ  Ｉｍａｇｅ  Ｆｉｌｅ）図面及びテキストの両方のイメージを介してナビゲートすることを可能にする。従って、ユーザーが、窓ウィンドウ４１０内、及び、同期化した状態において、ここで説明するように、等価ウィンドウ１６０内の特許のイメージを見ることが可能であることは、当該技術分野における熟達者にとっては公知である。図３におけるキーボード５６には、ウィンドウ４１０内のイメージを同期化を可能にするために「ｕｐ  ＰＧ」キー、及び、「ｄｏｗｎ  ＰＧ」キーが含まれる。
【０１５０】
図３２、及び、図３に示す例においては、カーソル４４は、制御ボックス１６２の矢印ボタン１６５の上に置かれ、そして、スイッチ４６が作動化される。コンピュータ４８は、ディスプレイされた特許（この例では、特許’０２７）の中で発見される種々のグループ分けをディスプレイするリスト１７０を生成する。図に示すように、特許’０２７は、「文献目録」、「アブストラクト」、「発明の背景」、「図面の短い記述」、「発明の詳細な記述」、及び、「特許請求の範囲」を含む。リスト１７０にリストされたセクションのうちの任意の１つの上にカーソル４４を置き、そして、スイッチ４６をクリックすると、コンピュータ４８は、等価ファイルの選定済みテキスト部分をディスプレイする（例えば図３２におけるウィンドウ１６０内の「文献目録」）。図３３、及び、図３に示す本発明のメカニズムは、ユーザーが、ウィンドウ１６０内の等価ファイルにおける図番号を選定することによりウィンドウ４１０内にディスプレイされたＰＴＯ  Ｉｍａｇｅ  Ｆｉｌｅの対応する特許図面を見ることを可能にする。ウィンドウ１６０にディスプレイされた等価ファイル内の図番号の上にカーソル４４を置き、マウス４２のスイッチ４６を瞬間的にダブルクリックすると、ＣＰＵ４８は、窓ウィンドウ４１０（図３３参照）内にディスプレイされるイメージの中の対応する図のイメージをロケートし、そして、ディスプレイする。イメージウィンドウ４１０内に選定された図をロケート及びディスプレイする本発明の能力は、既に述べたように、ウィンドウ１６０内の等価ファイルのイメージウィンドウ４１０内にディスプレイされるＰＴＯ  Ｉｍａｇｅ  Ｆｉｌｅとの同期化に起因することを理解されたい。説明から理解されるように、ＰＴＯ  Ｉｍａｇｅ  ＦｉｌｅとＥｑｕｉｖａｌｅｎｔ  Ｆｉｌｅとを同期化するには、ユーザーは、等価ファイル内の図の基準の上にカーソル４４を置き、カーソル制御装置を作動化し、そして、それによって、イメージウィンドウ４１０内の対応する図を見る事が出来る。イメージウィンドウ４１０にディスプレイされた図の部分を拡大するには、ユーザーが、拡大しようとするイメージの部分の上にカーソル４４を置き、そして、スイッチ４６を圧し下げると、ＣＰＵ４８は、動的アウトラインボックス５００（図３４参照）を生成する。スイッチ４６を押したままで、マウス４２を選択的に動かすことにより、ユーザーは、拡大しようとするアウトラインボックス５００内の部分を定義する。次に、ユーザーが、図３５に示すように、スイッチ４６を放すと、ボックス５００内に配置されたウィンドウ４１０におけるイメージの部分が拡大され、そして、ウィンドウ４１０内でディスプレイされる。図３４、及び、３５に示す例においては、ユーザーは、’４７８特許の図３の部分上のアウトラインボックス５００を定義済みである。次に、拡大された部分は、図３５に示すように、ディスプレイされる。更に、既に述べたように、イメージを回転させ、セットされたインクリメントにおいてイメージを拡大し、そして、ウィンドウ４１０内においてイメージについてオペレートする付加的機能を供給するための、他の制御装置が特許Ｉｍａｇｅ  Ｔｏｏｌｂｏｘ  ４３０内に備えられる。
【０１５１】
図３５、及び、図３６において、例えば、ユーザーが、エレメント２８を参照する特許’４７８の等価ファイルにおける第１の場合をロケートしようとするものと仮定する。本発明の典型的なアプリケーションにおいて、ユーザーは、特定の図に示される関心のある特定のエレメント番号をロケートする（そして、イメージウィンドウ４１０内にディスプレイされる）。図３５における特許Ｉｍａｇｅ  Ｔｏｏｌｂｏｘ  ４３０のアイコン４３７の活性化は、図３７におけるＳｅｌｅｃｔ  Ｅｌｅｍｅｎｔ  Ｎｕｍｂｅｒ対話ボックス５０２のディスプレイに帰着する。図３のキーボード５６を用いて、ユーザーは、関心のある特定のエレメント番号をインプットし、そして、Ｓｅｌｅｃｔ  Ｅｌｅｍｅｎｔ  Ｎｕｍｂｅｒ対話ボックス５０２に備えられたＦｉｎｄ  Ｉｎ  Ｔｅｘｔボタン機能５０４を作動化することが出来る。本発明は、等価ファイル内の選定されたエレメント番号の最初、及び、それに後続する場合を探索し、次に、発見し、そして、特許における最初の場合（「ヒット」）のロケーションにおいて始まるウィンドウ１６０内においてハイライトされた形でディスプレイする。後続する場合も同様にハイライトされる。エレメントが発見される各場合を見るために、ユーザーは、図３０の右矢印ボタン３５１上にカーソル４４を置いた状態で、マウススイッチ４６のクリックを行う。エレメントが見える度に、図３０における右矢印ボタン３５１を更にクリックすることにより、特許Ｔｅｘｔ  Ｔｏｏｌｂｏｘ  １６２内に、もはやヒットの無いことを示す。
【０１５２】
図３７、及び、図３を参照して、本発明のハイライト機能について説明する。ウィンドウ１６０内にディスプレイされる等価ファイルのケースコピーの中のテキストをハイライトするためには、ユーザーは、所要の色のマーカの上にカーソル４４を置く。好ましい実施例において、マーカアイコン３８１、３８２、及び、３８４は、特許Ｔｅｘｔ  Ｔｏｏｌｂｏｘ  １６２における異なるカラーとしてディスプレイされる。カーソル４４を、例えばマーカアイコン３８１のようなマーカアイコンの１つの上に置き、そして、瞬間的にスイッチ４６をクリックすることにより、マーカカラーが選定される。ウィンドウ１６０によって定義されたエリアにカーソル４４が移動すると、カーソル４４は、マーカチップの視覚的外観がアイコン３８１に現れる外観と同じになる。カーソル４４を、ウィンドウ１６０にディスプレイされた等価ファイルの中のテキストの所要部分の上に置き、そして、スイッチ４６を圧し下げることにより、マーカは「オン」になる。ハイライトされるべきテキストの上でカーソル４４を引きずることにより、テキストの当該部分が、選定されたマーカの色に対応する色調になる。マウス４２のスイッチ４６を放すことにより、マーカを「オフ」にすることが出来る。図３７においては、テキストの一部分がハイライトされ、そして、ハイライトされたエリア５４０として識別されている。明細書が書かれた文書であること、及び、色について説明することに限度があるために、ハイライトされたエリア５４０は単に黒い長方形として示される。更に、対応するカラーインジケータ５４２は、ハイライトされたテキスト５４０の隣にディスプレイされる。後で更に詳細に述べるように、カラーインジケータ５４２上にカーソル４４を置き、そして、スイッチ４６をクリックすることにより、等価ファイルにおけるこのロケーションにもともと接続されている特許ノートウィンドウがスクリーン６８上にディスプレイされ、ユーザーは、ハイライトされたテキストの当該部分に関係したノートを、そこで読み取るか、或は、そこにタイプすることができる。単色ディスプレイスクリーン、または、カラーブラインドネスのスクリーンの場合には、ユーザーによる識別を助けるために、カラーインジケータの形状が同じでない。
【０１５３】
好ましい実施例において、カラーインジケータ５４２は、更に、記号を用いて色を識別する。例えば、この実施例において、赤いマーカが選定された場合、カラーインジケータ５４２は丸くて赤い。ただし、黄色のマーカが選定された場合には、カラーインジケータ５４２は黄色の三角形である。緑のマーカが選定されると、カラーインジケータ５４２は緑の長方形である。その上、本発明の教示を用いるとマーカカラーをテキストの同じエリアに重ねることが可能である。１つのマーカをもう１つのマーカーに重ねることにより、同一テキストに関して多重特許ノートを作ることが可能である。ウィンドウ１６０内のテキストの所定の部分がハイライトされている場合、多重カラーインジケータ５４２は、水平方向に隣接する行にディスプレイされる。カラーインジケータ（５４２）のうちの任意の１つをクリックすることにより、対応する特許ノートがディスプレイされる。
【０１５４】
図３８において、本発明のグラフィックユーザーインタフェースは、同時に見ようとする同じ、或いは、異なる特許の複数コピーを可能にする。図３８に示す例において、ウィンドウ１６０は、’０２７特許の等価ファイルのケースコピーをディスプレイしている。ケースコピーの場合には、ユーザーは、探索し、編集し、そして、ウィンドウ１６０にディスプレイされる’０２７特許の等価ファイルをハイライトする。図に示すように、図３に示す拡大された部分を持つ’０２７特許のイメージは、図３のスクリーン６８のウィンドウ４１０にディスプレイされる。更に、’０２７特許のライブラリ等価コピーも、同様に、ディスプレイスクリーン６８上の第３のエリア５５５にディスプレイされる。ライブラリコピーの場合には、ウィンドウ５５５にディスプレイされる等価ファイルは、ユーザーによるノート作成、または、ハイライトは不可能であるが、探索可能であり、そして、ウィンドウ４１０における図と比較するために利用可能であり、ユーザーが等価ファイルのケースコピーを対象として、ウィンドウ１６０内においてノート、又は、修正を行うことが可能である。
【０１５５】
図３９を参照して、ＬｉｂｒａｒｙメニューからのＩｍｐｏｒｔ  Ｐａｔｅｎｔｓオプションを選定すると、Ｉｍｐｏｒｔ  Ｐａｔｅｎｔｓ対話ボックス５６０がディスプレイされる。Ｉｍｐｏｒｔ  Ｐａｔｅｎｔｓ対話ボックス５６０は、ライブラリファイルへの付加的特許Ｅｑｕｉｖａｌｅｎｔ  Ｆｉｌｅｓの輸入を可能にする。図４０、及び、図３に示すように、輸入されるべき選定済みの等価ファイルの上にカーソル４４を置き、そして、スイッチ４６を瞬間的にクリックすることにより、選定された等価ファイルがハイライトされる。いったん、選定済み特許等価ファイルがハイライトされれば、カーソル４４をＯＫボタン５６２上に置き、そして、スイッチ４６をもう一度クリックする。これにより、Ｅｑｕｉｖａｌｅｎｔ  Ｆｉｌｅは、現行ライブラリファイルに輸入される。
【０１５６】
図４１、及び、図３において、Ｃａｓｅアイコン１０６上にカーソル４４を置き、そして、マウス４２のスイッチ４６を押し下げると、Ｃａｓｅメニューバー５７０がディスプレイされる。図に示すように、Ｎｅｗ  Ｃａｓｅ、Ｏｐｅｎ  Ｃａｓｅ、Ｕｐｄａｔｅ  Ｃａｓｅ、Ｃｏｐｙ  Ｃａｓｅ、Ｃｌｏｓｅ  Ｃａｓｅ、Ｓｅａｒｃｈ、Ｓｅｔ  Ｃａｓｅ  Ｄｉｒｅｃｔｏｒｉｅｓ、Ｂａｃｋｕｐ  Ｃａｓｅ、Ｒｅｓｔｏｒｅ  Ｃａｓｅ、Ｄｅｌｅｔｅ  Ｃａｓｅ、Ｐｒｉｎｔ、Ｐｒｉｎｔ  Ｓｅｔｕｐ、及び、Ｅｘｉｔとして識別されるサブコマンドアイテムを含む様々なサブコマンドアイテムがＣａｓｅメニュー５７０にディスプレイされる。カーソル４４がＯｐｅｎ  Ｃａｓｅサブコマンドアイテム上に置かれ、そして、スイッチ４６がクリックされると、アクセス可能な全てのケースがディスプレイされるエリア５８７を含むＯｐｅｎ  Ｃａｓｅ対話ボックス５８０がディスプレイされる（図４２参照）。この例において、ケース「侵害研究」は、ワード「侵害研究」の任意の部分、、又は、ワード「侵害研究」に近接しているブリーフケースアイコン５９０の上にカーソル４４を置くことによって選定される。代りに、Ｎｅｗ  Ｃａｓｅサブコマンドアイテムがケースメニュー５７０から選定される場合には、コンピュータ４８は、Ｎｅｗ  Ｃａｓｅ制御ボックス５９４（図４３参照）を生成し、そして、ディスプレイする。ユーザーは、当該フィールドへ新しいケースを挿入し、ケースが開かれているケース名、弁護士名、顧客名、及び、日付を識別することによって新しいケースを定義可能である。これらのフィールドがユーザーによって入力されると、ＯＫボタン６００上にカーソル４４を置き、スイッチ４６を瞬間的にクリックすることにより、ＯＫボタン６００が作動化される。
【０１５７】
図４３、及び、図２において、例えば、ユーザーが、図４２に関して記述された過程に後続する「デモンストレーション」として識別されるケースを選定したものと仮定する。ツールバー１０３の下向き矢印１０９の上にカーソル４４を置き、そして、マウス４２のスイッチ４６を圧し下げることにより、コンピュータ４８は、ケース「デモンストレーション」を含む全ての特許をリストするメニュー６１０を生成し、そして、ディスプレイする。ケース「デモンストレーション」を含むリストされた特許のうちの任意の１つの上にカーソル４４を置き、そして、スイッチ４６をクリックすることにより、以前の任意のハイライト、特許ノート、または、前のセッションにおいてユーザーによって行われた他の編集を含む選定された特許の等価ファイルがディスプレイされる。図４５において、ケースメニュー５７０（図４１参照）からのサブコマンドアイテムＵｐｄａｔｅ  Ｃａｓｅを選定することにより、その中に現行ケース名、弁護士名、顧客、ケースのオープニング日付がディスプレイされるＵｐｄａｔｅ  Ｃａｓｅ対話ボックス６１５がディスプレイされる。ユーザーは、当該フィールドの中で必要な修正を行い、そして、ＯＫボタン機能６２０を作動化することによって、このデータを更新することができる。メニュー５７０からＳｅａｒｃｈサブコマンドアイテムを選定すると、図４６に示すＳｅａｒｃｈ  Ｃａｓｅ対話ボックス６３５がディスプレイされる。ユーザーは、ボックス６３５を用いて、図２４のサーチボックス３０２に関して記述された方法に類似した方法によって、ケース内、又は、ライブラリ内に位置する特許に関する探索を行うことができる。
【０１５８】
図４７において、メニュー５７０（図４１参照）のＳｅｔ  Ｃａｓｅ  Ｄｉｒｅｃｔｏｒｉｅｓのサブコマンドアイテムを選定すると、Ｓｅｔ  Ｃａｓｅ  Ｄｉｒｅｃｔｏｒｉｅｓ対話ボックス６４０が生成され、そして、ディスプレイされる。図に示すように、Ｓｅｔ  Ｃａｓｅ  Ｄｉｒｅｃｔｏｒｉｅｓ対話ボックス６４０は、ディレクトリの追加及び除去を含む操作に関する様々な機能を含む。同様に、Ｓｅｔ  Ｃａｓｅ  Ｄｉｒｅｃｔｏｒｉｅｓ対話ボックス６４０は、ここでケースが作成されるユーザーがケースデフォルトディレクトリを定義することを可能にする。この機能を修正すると、ケースにアクセスする能力に影響するのでユーザーがこのコマンドにアクセスすると、警告メッセージが現れる。オペレーションにおいて、ユーザーは、ディレクトリを選定し、そして、それを開くために、対話ボックス６４０のエリア６４２内のディレクトリをダブルクリックする事が出来る。選定されたディレクトリに含まれるディレクトリは、ウィンドウ６４２内に選定済みディレクトリとしてリストされる。同様に、種々ドライブアイコンは、本発明のコンピュータシステムに関する資源を表す。次に、選定されたドライブに含まれる全てのディレクトリは、ディレクトリリストにリストされる。図４７に示すように、選定されたディレクトリは、デフォルトディレクトリとして識別される。いったん、ユーザーが、ケースのもととなるディレクトリを選定すると、ボタン機能Ａｄｄ  Ｄｉｒｅｃｔｏｒｙ  ６４４を作動化すると、選定されたディレクトリが、エリア６４６に示されたケースを含むディレクトリに加えられる。Ｒｅｍｏｖｅ  Ｄｉｒｅｃｔｏｒｙ機能６５０は、ケースを見付けると、ディレクトリがそれ以上使われることのないように、パスリストから選定済みディレクトリを除去する。Ｓｅｔ  ａｓ  Ｄｅｆａｕｌｔ機能６５２は、現行セットセットディレクトリをデフォルトディレクトリとしてセットする。ケースに関してディレクトリをセットする場合、デフォルトディレクトリは、新しいケースが作られるディレクトリである。ライブラリに関してディレクトリをセットする場合には、デフォルトディレクトリは、そこで新しいライブラリがつくられるディレクトリである。
【０１５９】
図４８において、メニュー５７０（図４参照１）から機能Ｃｏｐｙ  Ｃａｓｅを選定すると、図４８に示すＣｏｐｙ−ｔｏ−Ｃａｓｅ対話ボックス７００がディスプレイされる。Ｃｏｐｙ−ｔｏ−Ｃａｓｅ対話ボックス７００は、ユーザーが既存ケースから情報を現行ケースへコピーすることを可能にする。オペレーションにおいて、クリックダウンメニューが選定され、そして、下向き矢印ボタン機能７０２を作動化することにより、ディスプレイされる。クリックダウンメニューは、ユーザーが、現行作動化ケースにコピーするためにそこから選定可能な全てのケースのリスティングを含む。本明細書においては、簡潔化にために、クリックダウンメニューは示さない。次にユーザーは、ケースノート、特許、または、選定されたケースからコピーするための特許ノートを識別するオプションを持つ。ユーザーがケースノートアイコン７０４をチェックする場合には、選定済みケースからの全てのケースノートは、リストエリア７１０において英字順にリストされる。特許アイコン７０６が選定される場合には、選定済みケースからの全ての特許は、リストエリア７１０における任意のケースノートの後で、リストされる。特許ノートアイコン７０８が選定されると、選定済みケースからの全ての特許ノートは、リストエリア７１０における各特許の後でリストされる。エリア７１０は、それらの関連ケース及び特許ノートと共に全ての特許が最低番号から最高番号まで上昇順序でリストされる対話ボックス７００内に供給される。次に、ユーザーは、コピーされるべきウィンドウ７１０内の各アイテムをクリックすることができる。
【０１６０】
メニュー５７０（図４１参照）からＢａｃｋｕｐ  Ｃａｓｅオプションを選定すると、図４９に示すように、Ｂａｃｋｕｐ  Ｃａｓｅ対話ボックス７２０がスクリーン６８にディスプレイされる。ユーザーは、バックアップディスク、または、ディレクトリ、或いは、他のコンピュータに現行ケースをセーブするために、Ｂａｃｋｕｐ  Ｃａｓｅ対話ボックスを利用できる。ユーザーは、キーボード５６を用いて対話ボックス７２０のディスプレイウィンドウ７２２内にバックアップドライブ及びディレクトリをエントリする。いったん、エントリすれば、ボタン機能ＯＫ７２５が作動化され、そして、ケースは、定義済みロケーションまで戻される。
【０１６１】
図５０において、メニュー５７０（参照図４１）のＤｅｌｅｔｅ機能を選定することによって、ケースを削除することが可能であり、結果として、図５０に示されるように、削除ケース対話ボックス７３０がディスプレイされる。ケースは、全てのケースノート、及び、全ての特許ノートを含むこの対話ボックスを用いて削除可能である。
【０１６２】
図４１のメニュー５７０からＰｒｉｎｔコマンドを選定すると、図５１に示すように、Ｐｒｉｎｔ対話ボックス７５０がディスプレイされる。Ｐｒｉｎｔ対話ボックスは、特許イメージ、ケース及び特許ノート、及び、図３におけるプリンタ５７に関するＥｑｕｉｖａｌｅｎｔファイル、或いは、ファイルを、これらに限られることなしに、含む種々のファイルの印字を可能にする。図４１のメニュー５７０においてＰｒｉｎｔ  Ｓｅｔｕｐコマンドを選定すると、図５２に示すように、プリント準備対話ボックス７５５がディスプレイされる。Ｐｒｉｎｔ  Ｓｅｔｕｐ対話ボックス７５５は、ユーザーが、プリンタ、用紙のオリエンテーション、解像度、用紙のサイズ及び供給のセットアップを可能にする。更に、デフォルトプリンタは、選定可能であり、そして、ユーザーがネットワークプリンタを利用する場合には、プリンタサーバ情報は、プリンタ／デフォルトプリンタ準備オプションと共にプリント準備対話ボックスにリストされる。
【０１６３】
図５３において、メニューバー１０２からＥｄｉｔ機能を選定すると、Ｅｄｉｔメニュー７６０がディスプレイされる。図に示すように、Ｅｄｉｔメニュー７６０には、サブコマンドアイテムＵｎｄｏ、Ｃｕｔ、Ｃｏｐｙ、Ｐａｓｔｅ、Ｄｅｌｅｔｅ、Ｆｉｎｄ、及び、Ｆｉｎｄ  Ｎｅｘｔ、Ｒｅｐｌａｃｅ、及び、Ｇｏ  Ｔｏ  Ｃｏｌｕｍｎが含まれる。図５４に示すように、メニューバー１０２のＶｉｅｗコマンドオプションを選定すると、ビューメニュー７６５が生成され、そして、ディスプレイされる。Ｖｉｅｗメニューオプションは、優先位、スクリーンレイアウト、及び、状態バーを含む。図５５に示すように、メニュー７６５のＰｒｅｆｅｒｅｎｃｅｓオプションを選定すると、Ｐｒｅｆｅｒｅｎｃｅｓ対話ボックス７７０がディスプレイされる。Ｐｒｅｆｅｒｅｎｃｅｓ対話ボックス７７０は、ユーザーが、種々の特許ノートを記憶し、そして、開くために、優先順位をセットすることを可能にする。ノートが作成されると、Ｐｒｅｆｅｒｅｎｃｅｓ対話ボックス７７０には、特許ウィンドウを開くためのオプションも含まれる。特許ノートは、タイトル、カラー、及び、ロケーションによって分類可能である。「Ｏｐｅｎ  Ｐａｔｅｎｔ  Ｎｏｔｅ  Ｗｉｎｄｏｗ  Ｗｈｅｎ  Ｎｏｔｅ  ｉｓ  Ｃｒｅａｔｅｄ」が選定されると、ウィンドウ１６０内でハイライトが行われる度に特許ノートウィンドウがディスプレイされる。ユーザーは、ハイライトが実施された場合にノートウィンドウがディスプレイされないように、機能を非作動化することが出来る。機能「Ｓｏｒｔ  Ｐａｔｅｎｔ  Ｎｏｔｅ  ｂｙ  Ｔｉｔｌｅ」を選定すると、特許ノートが、アルファベット順および番号増加順に分類される。特許ノートがカラー、及び、タイトルによって分類される場合には、本発明は、赤、緑、および、黄色ノートにを分れ、そして、アルファベット順、及び、番号順に配列する。特許ノートが等価ファイルにおけるロケーションによって分類される場合には、本発明は、特許ノートを、英字順およびカラーコーディングには無関係にウィンドウ１６０にディスプレイされる特許等価テキストの初めから特許の終に向かって現れる順にリストする。
【０１６４】
図５４におけるメニュー７６５のＳｃｒｅｅｎ  Ｌａｙｏｕｔ機能を選定すると、図５６に示すように、Ｓｃｒｅｅｎ  Ｌａｙｏｕｔ対話ボックス７８０がディスプレイされる。図５６、及び、５７において、Ｓｃｒｅｅｎ  Ｌａｙｏｕｔ対話ボックスを選定すると、ユーザーによる、ウィンドウ１６０における等価ファイル、及び、図３のスクリーン６８上のイメージウィンドウ４１０内にディスプレイされるイメージの配列を可能にする。好ましい実施例において、同時に作動化される４個までのウィンドウを選択できる４個のレイアウトオプションがユーザーに提供される。４つのスクリーンレイアウトオプションは、エリア７８２内においてアイコンにより左に表示される。図５６に示すように、エリア７８２内において、４個のレイアウトは、アイコンの形において、即ち、レイアウト７８３、７８５、７８７、及び、７９０ととして提供される。付加的レイアウトが、Ｓｃｒｅｅｎ  Ｌａｙｏｕｔ対話ボックス７８０内に提供され、そして、本発明によってサポートされることは、当該技術分野における熟達者にとって当然理解されるはずである。アイコン７８３を選定すると、２つの等価ウィンドウの同時ディスプレイが行われる。オペレーションにおいて、２つの等価ウィンドウは、同一特許、或いは、異なる等価ファイルを２つの場面として見ることを可能にする。アイコン７８５を選定すると、１つの等価ウィンドウ（例えば、ウィンドウ１６０）、及び、１つのイメージウィンドウ（例えば、イメージウィンドウ４１０）が同時にディスプレイされる。アイコン７８７を選定すると、２つの等価ウィンドウ、及び、１つのイメージウィンドウがディスプレイされる。アイコン７９０を選定すると、２つの等価ウィンドウ、及び、２つのイメージウィンドウが同時にディスプレイされる。図に示すように、下向き矢印アイコン８００、及び、下方向き矢印アイコン８０５を含むＳｃｒｅｅｎ  Ｌａｙｏｕｔ対話ボックス７８０の付加的機能を備える。下向き矢印アイコン８００を選択すると、Ｓｃｒｅｅｎ  Ｌａｙｏｕｔ対話ボックス７８０において「Ｐａｔｅｎｔ  １」として識別される選定したケース、または、ライブラリにおける特許のメニューリスティングがディスプレイされる。下向き矢印アイコン８０５を選択すると、Ｓｃｒｅｅｎ  Ｌａｙｏｕｔ対話ボックス７８０において「Ｐａｔｅｎｔ  ２」として識別される選定したケース、または、ライブラリにおける特許のメニューリスティングがディスプレイされる。図３のカーソル４４をケースアイコン８０７またはケースアイコン８０９の上に置くと、ユーザーは、現行ケースの中から特許を選定することが可能になる。同様に、ライブラリアイコン８１０、または、ライブラリアイコン８１２の上にカーソル４４を置き、そして、マウスを作動化すると、ユーザーは、現行ライブラリから特許を選定することが可能になる。
【０１６５】
再び図５６において、アイコン７８５を選定した場合、本発明は、図５７に示すように、スクリーン６８の左側部分にテキスト等価ウィンドウ１６０を、そして、図３のスクリーン６８の右部分にイメージウィンドウ４１０をディスプレイする。図５８に示すように、アイコン７８３を選定すると、２つの等価ウィンドウが同時にディスプレイされる。アイコン７９０を選定すると、図５９に示すようなスクリーンレイアウトが実施される。図６０に示すように、等価ウィンドウ１６０、イメージウィンドウ４１０、第２の等価ウィンドウ８３５、及び、第２のイメージウィンドウ８５０がスクリーン６８に同時にディスプレイされる。
【０１６６】
図６０において、メニューバー１０２のＷｉｎｄｏｗオプションを選定すると、Ｗｉｎｄｏｗメニュー９００がディスプレイされる。ウィンドウメニュー９００には、サブコマンドアイテムＣａｓｃａｄｅ、Ｔｉｌｅ、Ａｒｒａｎｇｅ  Ｉｃｏｎｓ、及び、全てのオープンウィンドウのリスティングが含まれる。このリストの中からウィンドウを選定すると、当該ウィンドウが最上部に現れる。
【０１６７】
特許ノートアイコン下向き矢印１２７（図１１参照）を選定すると、図５６における優先順位対話ボックス１７０内の仕様に応じて分類された全ての特許ノートをリストするメニュー９０２が図６２にディスプレイされる。図に示すように、特許ノートは、適切なカラー及び特許ノート番号の数値インジケータを用いた種々の記号アイコンを含む。既に検討したように、等価ファイルのテキストのハイライト部分のために、色の異なる種々のマーカが備えられる。図６１と共に図６２を参照し、メニュー９０２の特許ノートのうちのいずれかの上に図３のカーソル４４を置き、そして、マウスボタンをクリックすると、ノートの内容がディスプレイされる。図６２の例において、各特許ノートは、タイトル９０５、及び、ユーザーが図３のキーボード５６によりテキストを入力できるエリア９１０を含む。更に、図６３に示すように、ユーザーは、複数の特許ノートを同時に開くオプションを持つ。図６３から分かるように、各特許ノートには、テキスト、及び、特許ノートが対応するハイライトのカラム及び行番号に関する表記法が含まれる。更に、適切な色の幾何学的形状のインジケータ９０９（例えば、図６３のように、正方形、三角形、及び、円形）は、例えば、図６３におけるウィンドウ１６０内の等価ファイルにおけるハイライトに対応する。図６３の例において、ユーザーは、マルチノートモードを選定し、そして、ウィンドウ１６０にディスプレイされる等価ファイルの中の異なる色つきのハイライタペンを用いてノートを作成した。
【０１６８】
更に図６３を参照し続けることとし、本発明は、例えば、証書、質問書、又は、特許ノートに関する条項のような外部ファイルの一部または全部をコピー及びペーストする事が出来る。同様に、ユーザーは、特許ノートのタームを探索することが出来る。更に、ユーザーが、特許ノートにおけるテキストの部分、または、インジケータ９０９をクリックすると、特定の特許ノートに関係するテキストの部分が、等価ウィンドウ１６０にディスプレイされる。
【０１６９】
図６４は、「Ｃａｓｅ  Ｎｏｔｅ  ２」と名づけられたケースノートウィンドウを示す。図に示すように、Ｃａｓｅ  Ｎｏｔｅ  ２は、ケースノートタイトルエリア９２５、及び、オープンテキストエリア９３０を有するウィンドウ９２０を備える。ユーザーは、ケースノートタイトル９２５を定義し、そして、図３のキーボード５６を用いて、特定のケースに関するテキストをエリア９３０に直接入力することが出来る。更に、ユーザーは、ファイルの一部または全部を、ケースノートにコピー及びペーストすること、並びに、ケースノートにおけるタームを探索することが出来る。
【０１７０】
図３のスクリーン６８上の不動産スペースを節約して使用するために  ライブラリ、特許、探索結果、特許ノート及びケースノートをアイコンに最小化した状態を図６５に示す。同様に、ドキュメント等の最小化も、当該技術分野においては公知であるが、本発明によって利用された最小化の詳細についてはこの明細書では、これ以上説明しない。
【０１７１】
図６６は、ユーザーが、図３に示すキーボード５６を用いて、カラム番号をフィールド９６０に直接入力することを可能にする本発明のＧｏ  Ｔｏ対話ボックス９５５を示す。ＯＫボタン９６５を作動化すると、等価ウィンドウ１６０における等価ファイルの指示されたカラムがディスプレイされる。実際上、等価ファイル内の特定のカラムをロケート及びディスプレイする最も迅速な方法は、Ｇｏ  Ｔｏカラム対話ボックス９５５を使用することであることが判明している。図６７は、本発明のＧｏ  Ｔｏ  Ｓｅｃｔｉｏｎ対話ボックス９７０を示す。対話ボックス９７０は、下向き矢印機能９７２を示す。この機能を作動化すると、等価ウィンドウ１６０内にディスプレイされた特定の特許における全てのセクションがディスプレイされる。Ｇｏ  Ｔｏ  Ｓｅｃｔｉｏｎ対話ボックス９７０は、等価ウィンドウ１６０にディスプレイされる等価ファイル内において、セクションからセクションへナビゲートするための方法として用いられる。セクションを選定し、続いてこのセクションを等価ウィンドウ１６０内にディスプレイすると、等価ファイル内において所要セクションに関するページからページへの探索必要性が排除される。
【０１７２】
図６８において、メニュー１０２からＨｅｌｐ機能を選定すると、Ｈｅｌｐメニュー９８０がディスプレイされる。ヘルプメニュー９８０には、種々のサブコマンドオプション、Ｈｅｌｐ  Ｉｎｄｅｘ、Ｇｅｔｔｉｎｇ  Ｓｔａｒｔｅｄ、Ｌｅａｒｎｉｔｉｇ  ＰａｔｅｎｔＷｏｒｋｓ＊、及び、Ａｂｏｕｔが含まれる。Ａｂｏｕｔコマンドを選定すると、図６９に示すように、Ａｂｏｕｔ情報ボックス９８２がディスプレイされる。Ａｂｏｕｔ対話ボックス９８２は、本アプリケーションの主題、著作権情報、及び、製品に関する他の関係情報を含む本発明に関する情報をリストする。
【０１７３】
図７０を参照して、メニュー１９２のＮｏｔｅ機能を選定すると、Ｎｏｔｅメニュー９８７がディスプレイされる。ノートメニュー９８１には、Ｎｅｗ  Ｃａｓｅ  Ｎｏｔｅ、Ｖｉｅｗ  Ｃａｓｅ  Ｎｏｔｅ、Ｖｉｅｗ  Ｐａｔｅｎｔ  Ｎｏｔｅ、Ｆｉｎｄ、Ｆｉｎｄ  Ｎｅｘｔ、Ｒｅｐｌａｃｅ、及び、Ｇｏ  Ｔｏ  Ｈｉｇｈｌｉｇｈｔｅｄ  Ｔｅｘｔを含めて様々なオプションが含まれる。Ｖｉｅｗ  Ｃａｓｅ  Ｎｏｔｅオプションを選定すると、図７１に示すように、Ｃａｓｅ対話ボックスにＣａｓｅ  Ｎｏｔｅｓ９９０がディスプレイされる。次に、ユーザーは、見るために、単一ケースノートを選定する。図７０のメニュー９８７のＶｉｅｗ  Ｐａｔｅｎｔ  Ｎｏｔｅオプションを選定すると、図７２に示すように、Ｃａｓｅ対話ボックス９９４に特許Ｎｏｔｅｓをディスプレイする。ボックス９９４は、ユーザーが、見るため、又は、削除するために、特許ノートを選定することを可能にする。特許ノート）は、図５６の優先順位対話ボックス７７０の指定に従って、即ち、特許ノート番号により、分類される。ユーザーは、楽音（ノート）を介して、そして、  図３のカーソル４４をノートの上に置き、そして、マウスのスイッチをクリックすることによって、特許ノートの１つを選定する事が出来る。
【０１７４】
次に示すように、本発明のユーザーインタフェースは、多数の付加的機能を含む。
【０１７５】
特許請求の範囲のコピー（Ｃｏｐｙ  Ｃｌａｉｍｓ）
既に述べたように、ページ付けに際して、セクションヘッディングを識別するために、ＰＴＯテキストファイルが分析される（図１０、及び、セクション「初期自動ページ付け参照）。この種の処理に際して、連結されたリスト７９０２  （図７９に示す）が生成される。連結されたリスト７９０２を実際に実現するには、実現に依存する。例えば、連結されたリスト７９０２は、２重に連結されたリストとして実現可能である。（これは、図７９に示すケースである。）
【０１７６】
連結されたリスト１９０２は、対応するテキストファイル７９０８と同期化され、そして、テキストファイル７９０８を介して迅速にナビゲートするために使われる。連結されたリスト７９０２には、テキストファイル７９０８の各セクションに関するレコード７９０４Ａ−７９０４Ｎが含まれる。（図７９の例において、テキストファイルはＮセクションを持つ。）各々のレコード７９０４Ａ−７９０４Ｎは、テキストファイル７９０８の対応するセクションの最上をポイントするポインタ７９０６Ａ−７９０６Ｎを含む。例えば、レコード７９０４Ａは、テキストファイル７９０８のセクション１に対応する。このレコード７９０４Ａには、テキストファイルのセクション１の最上部をポイントするポインタ７９０６Ａが含まれる。レコード７９０４Ａ−７９０４Ｎは、例えば、セクション名  （「１」、「２」．．．．．「Ｎ」として図７９に表される）のような他の情報も含むことが出来る。
【０１７７】
本発明のユーザーインタフェースは、「Ｃｏｐｙ  Ｃｌａｉｍｓ  ｔｏ  Ｃｌｉｐｂｏａｒｄ」と呼ばれるユーザー選定可能な機能が含まれる。これは、メニューバーから利用可能なオプションである。ユーザーがこのオプションを選定した場合には、特許請求の範囲は、クリップボード（その代りにユーザー指定のファイル）に自動的にコピーされる。この機能は、非特許文脈にも同様に適用可能であることを理解されたい。例えば、この機能は、任意のユーザー指定セクションをテキストファイルからクリップボードに自動的にコピーするために使用できる。ただし、この機能は特許文脈に特に有用である。例えば、この機能は、妥当性及び侵害意見。の一部として含まれる場合に多いクレームチャートの生成を非常に簡素化する。
【０１７８】
この機能に基づいた本発明のオペレーションについては、図８０の流れ図８００２に示す。流れ図８００２は、過程８００４によって始まり、制御は即座に過程８００６へパスされる。：：：：過程８００６において、テキストファイルにおける最後のセクションヘッディングは自動的にロケートされる（公知のように、特許における最後のセクションは特許請求の範囲である）。これは、連結されたリスト７９０２を用いることによって有利に行われる。特に、テキストファイル７９０８における最後のセクションヘッディングは、連結されたリスト７９０２の最後のレコード７９０４Ｎにおいてポインタ７９０６Ｎに従うことによってロケートされる。
【０１７９】
過程８００８において、最後のセクションヘッディングに後続するテキストファイルにおける全てのテキストは、テキストファイルから自動的に抽出される。
【０１８０】
過程８０１０において、この抽出されたテキストは、クリップボード（又は、ユーザー指定のファイル）にコピーされる。過程８０１２によって示されるように、流れ図８００２のオペレーションは、過程８０１０の実施の後で完了する。これらのオペレーションは、ユーザーからの一切の入力、または、指示なしに自動的に実施されるということを理解されたい。
【０１８１】
イメージのズーム（Ｚｏｏｍ  Ｉｍａｇｅ）
本発明のユーザーインタフェースは、オペレータによって選定可能な「Ｚｏｏｎ  Ｉｍａｇｅ」機能を含む。オペレータは、ディスプレイされつつあるイメージの選定された部分を拡大するために、この機能を用いることができる。図７５、７６Ａ、及び、７６Ｂに関して既に述べたように、圧縮されないＰＴＯイメージファイルは、１Ｄ（一次元の）イメージファイルに圧縮される。これは、記憶必要条件を緩和するために行われる。本発明によれば、ズームするオペレーションは、１Ｄイメージファイルから、最終的にはモニタにディスプレイされるイメージへの直接変換に関係する。これは、本発明全体の速度を増大するために行われる。ズームイメージオペレーションが遂行される方法の概要を、１Ｄ圧縮イメージ画像８１０２を示す図８１に示す。説明を容易にするために、この１Ｄ圧縮イメージ８１０２は、４行８１０４Ａ−８１０４Ｄを持つものとして示される。圧縮されたイメージ８１０２は、制御ロジックに従って作動するプロセッサ（ソフトウェア）として実現されることが好ましいデータデコンプレッサ８１０６に供給される。代りに、データデコンプレッサ８１０６は、ハードウェ状態マシンとして実現されたものである。データデコンプレッサ８１０６は、圧縮されたイメージ８１０２を、オペレータのズームリクエストによって示される程度まで圧縮解除する。例えば、オペレータは、７５ＤＰＩ（１インチ当たりドット数）或いは１５０  ＤＰＩズームをリクエストすることが出来る。データデコンプレッサ８１０６のオペレーションの結果として、イメージウィンドウ８１１０にディスプレイされる圧縮解除されたイメージ８１０８が得られる。図８２の流れ図８２０２を参照しながら、データデコンプレッサ８１０６の動作しついてさらに説明する。流れ図８２０２は、過程８２０４１によって始まり、制御は即座に過程８２０６にパスする。
【０１８２】
過程８２０６において、オペレータは、ズームイメージオプションを選定する。オペレータは、現在ディスプレイされつつあるイメージの部分をズームするためにこうする。他の選択機構を使用しても差し支えないが、ズームしようとするイメージの部分は、カーソルまたはマウスの現行位置によって示されることが好ましい（すなわち、カーソル、または、マウスの現行位置を近付けたイメージの部分が、ズームされるべきエリアである）。更に、過程８２０６において、オペレータは所要ズームレベルを指示する。３個のズームレベル、即ち、３００ＤＰＩ（インチ当たりドット数）、１５０ＤＰＩ、及び、７５ＤＰＩを用いることが好ましい。ただし、本発明は、代替的に、付加的なズームレベルをサポートすることが出来る。当該技術分野における熟達者にとては、そのような付加的ズームレベルに基づいた本発明のオペレーションは、ここに含まれる討論に基づいて明白に理解出来るはずである。
【０１８３】
ズームレベルは、拡大レベルと解像度の両方を意味する（即ち、最終的にズームされたイメージを表すデータの量）。本発明によれば、３００ＤＰＩズームレベルが最大倍率レベルであり、そして、最高解像度である。１５０ＤＰＩズームレベルは、３００ＤＰＩレベルの拡大率の半分であり、そして、解像度も半分である（即ち、１５０ＤＰＩレベルにおいては、最終イメージを表わすために使用するデータが、３００ＤＰＩレベルの場合の半分である）。７５ＤＰＩズームレベルは、３００ＤＰＩレベルの拡大率の４分の１であり、そして、解像度も４分の１である。（即ち、７５ＤＦＩレベルにおいて、最終イメージを表わすために使用するデータは３００ＤＰＩレベルの場合の４分の１である。）
【０１８４】
過程３２０６において、オペレータが３００ＤＰＩズームレベルを選定した場合には、過程８２０８が遂行される。過程８２０８において、データデコンプレッサ８１０６は、オペレータがズーム使用とする現在ディスプレイされつつあるイメージの部分に対応する１Ｄ圧縮されたイメージの当該部分の圧縮を解除する。（現在ディスプレイされつつあるイメージの部分は、過程８２０６において選定された。）「完全に圧縮解除する」と言うフレーズ（句）は、デコンプレッサ８１０６により、１Ｄ圧縮されたイメージの当該部分の全ての行における全てのビットの圧縮を解除することを意味する。この圧縮解除オペレーションを遂行するための手順は、関連技術分野の熟練者にとっては明白なはずである。過程８２１４において、データデコンプレッサ８１０６は、この圧縮解除されたデータをディスプレイするために、イメーウィンドウ８１１０に転送する。
【０１８５】
その代わりに、過程８２０６において、オペレータが、１５０ＤＰＩズームレベルを選定した場合には、過程８２１０が実施される。過程８２１０において、データデコンプレッサ８１０６は、オペレータがズームしようとする現在ディスプレイされつつあるイメージの部分に対応する１Ｄ圧縮されたイメージの当該部分を部分的に圧縮解除する。デコンプレッサ８１０６は、１Ｄ圧縮されたイメージのこの部分の全てのライン（行）において他の全てのビットを圧縮解除する。既に述べたように、１５０ＤＰＩレベルにおいては、最終イメージを表すために、３００ＤＰＩレベルの場合の半分のデータを使用するのでデコンプレッサ８１０６は、全ての他のライン（行）における全ての他のビットを無視する（即ち、圧縮解除しない）ことができる。この結果として、システム全体の処理速度が大幅に大きくなる（１Ｄ圧縮された部分だけの圧縮解除が必要）。過程８２１４において、データデコンプレッサ８１０６は、この圧縮解除されたデータをディスプレイするために、イメージウィンドウ８１１０へ転送する。その代わりに、過程８２０６において、オペレータが７５ＤＰＩズームレベルを選定した場合には、過程８２１２が遂行される。過程８２１２において、データデコンプレッサ８１０６は、オペレータがズームしようとする現在ディスプレイされつつあるイメージの部分に対応する１Ｄ圧縮されたイメージの当該部分を部分的に圧縮解除する。明確に、デコンプレッサ８１０６は、１Ｄ圧縮されたイメージのこの部分の４番目毎のライン（行）の全ての第４番目のビットの圧縮を解除する。既に述べたように、７５ＤＰＩレベルにおいては、最終イメージを表すために、３００ＤＰＩレベルの場合の４分の１データを使用するので、デコンプレッサ８１０６は、全ての他のライン（行）における全ての他のビットを無視することができる（即ち、圧縮解除しない）。再び、この結果として、システム全体の処理速度が大幅に増大する。過程８２１４において、データデコンプレッサ８１０６は、このあ種解除されたデータを、ディスプレイするためにイメージウィンドウ８１１０へ転送する。流れ図３２０２のオペレーションは、過程８２１６に示すように、過程８２１４が遂行された後で、終了する。
【０１８６】
イメージのコピー（Ｃｏｐｙ  Ｉｍａｇｅ）
本発明のユーザーインタフェースは、「Ｃｏｐｙ  Ｉｍａｇｅ」機能を含み、オペレータが選定すると（メニューオプションによることが好ましい）、現在ディスプレイされつつあるイメージが、クリップボード、または、ユーザー指定のファイルにコピーされる。図８３の流れ図８３０２を参照しながら、このオプションに関して説明する。流れ図８３０２は、過程８３０４によって始まり、制御は即座に過程８３０６にパスする。
【０１８７】
過程８３０６において、オペレータは、コピーしようとする現行イメージ（即ち、現在ディスプレイされつつあるイメージ）の部分を選定する。オペレータは、任意の方法、例えばマウスを使うことによって、これを実施しても差し支えない。
【０１８８】
過程８３０８において、オペレータは、「Ｃｏｐｙ  Ｉｍａｇｅ」オプションを選定し、そして、所要の解像度を選定する。現在４つの解像度レベルがある（ただし、本発明は、代わりに、付加的解像度レベルをサポートすることが出来る）。即ち、スクリーン解像度は３００ＤＰＩ、１５０ＤＰＩ、及び、７５ＤＰＩである。更に、過程８３０８において、オペレータは、クリップボード、或いは、ファイルのどちらにコピーしたいかを指定する（オペレータによって指定されなければならない）。オペレータが、過程８３０８において「スクリーン解像度」を選定すると、過程８３１０が遂行される。過程８３１０において、現在ディスプレイされつつある現行イメージは、クリップボード、または、ユーザー指定のファイルのいずれかにコピーされる。これは、イメージウィンドウの内容を（例えば、ディスプレイメモリに表されるように）、クリップボード、または、ユーザー指定のファイルにコピーすることによって達成されることが好ましい。
【０１８９】
その代わりに、過程８３０８においてオペレータが「３００  ＤＰＩ解像度」を選定した場合には、過程８３１２が遂行される。過程８３１２において、オペレータがコピーしようとする（過程８３０６において選定された）現行イメージの部分に対応する１Ｄ圧縮されたイメージが完全に圧縮解除される。既に述べたように、フレーズ「完全に圧縮解除する」とは、１Ｄ圧縮されたイメージのこの部分の全てのライン（行）における全てのビットが圧縮解除されることを意味する。過程８３１４において、この圧縮解除されたデータは、クリップボードまたはユーザー指定のファイルにコピーされる。
【０１９０】
その代わりに、過程８３０８において、オペレータが「１５０  ＤＰＩ解像ど」を選定した場合には、過程８３１８が遂行される。過程８３１２において、オペレータがコピーしようとする（過程８３０６において選定された）現行イメージの部分に対応する１Ｄ圧縮されたイメージが部分的に圧縮解除される。明確に、１Ｄ圧縮されたイメージのこの部分の１本おきの全てのライン（行）における１つおきの全てのビットが圧縮解除される。既にのべたように、１５０ＤＰＩレベルは、最終イメージを表わすために、３００ＤＰＩレベルの場合の半分のデータを使用するので、そのような部分的圧縮解除が可能である。この結果として、システム全体の処理速度が大幅に増大する（１Ｄ圧縮されたイメージの一部だけを圧縮解除する必要があるので）。過程８３１４において、この圧縮解除されたデータは、クリップボード、或いは、ユーザー指定のファイルにコピーされる。：
【０１９１】
その代わりに、過程８３０８において、オペレータが「７５ＤＰＩ解像度」を選定した場合には、過程８３２０が遂行される。過程８３１２において、オペレータがコピーしようとする（過程８３０６において選定された）現行イメージの部分に対応する１Ｄ圧縮されたイメージが部分的に圧縮解除される。明確に、１Ｄ圧縮されたイメージのこの部分の４本おきの全てのライン（行）における４つおきの全てのビットが圧縮解除される。既にのべたように、７５ＤＰＩレベルは、最終イメージを表わすために、３００ＤＰＩレベルの場合の４分の１のデータを使用するので、そのような部分的圧縮解除が可能である。再び、この結果として、システム全体の処理速度が大幅に増大する（１Ｄ圧縮されたイメージの一部だけを圧縮解除する必要があるので）。過程８３１４において、この圧縮解除されたデータは、クリップボード、或いは、ユーザー指定のファイルにコピーされる。過程８３１６に示すように、過程８３１０、または、８３１４が遂行された後で、流れ図８３０２の処理が完了する。
【０１９２】
ウィンドウのロック（Ｌｏｃｋ  Ｗｉｎｄｏｗｓ）
本発明のユーザーインタフェースは、オペレータによって選定可能な、「ｌｏｃｋ  ｗｉｎｄｏｗｓ」オプションを含む（メニューオプションを介することが好ましい）。「ｌｏｃｋ  ｗｉｎｄｏｗｓ」オプションが選定された場合における、本発明のオペレーションを、図８４の流れ図８４０２に示す。「ｌｏｃｋ  ｗｉｎｄｏｗｓ」オプションが選定されると、現在ディスプレイされつつある全てのウィンドウの位置がロックされる（過程８４０６）。すなわち、現在ディスプレイされつつあるウィンドウの全ての動きが無能になり、オペレータはウィンドウを動かすことが出来ない。
【０１９３】
このオプションは、オペレータが不用意にウィンドウを動かすことを防止するために有用である。この種の不注意な運動は、スクロールバーによってウィンドウをディスプレイスクリーン外へ押し出し、それによって、オペレータがウィンドウを介してナビゲートすることを難しくすることがあるので、不便である。
【０１９４】
結論
ここに示すように、本発明は、特許テキスト及びイメージファイルを処理し、そして、ディスプレイするために実現される。ただし、本発明は、同期化およびページ付けされたフォーマット様式において分析または操作されなければならないようなテキストデータ及びイメージデータが有るあらゆるアプリケーションに利用可能である。この種のアプリケーションの１つは、雑誌または書籍の電子データの処理である。この種のデータは、一般に、明細書の指示に従って特許テキストデータが記憶されると同様の方法において記憶される。雑誌（マガジン）及び同様のデータは、実際のマガジンページのイメージと共にページ付けされた場合には遥かに有用である。テキスト及びイメージデータは、ページ番号、各ページ内のカラム番号、フォントスタイル情報、及び、ナビゲーション及び引用の容易さを増大するような各ページ、カラム（欄）、及び、ライン（行）における最初のキャラクタの位置を含む等価ファイルを生成するようにページ付けすることが出来る。
【０１９５】
ユーザーは、例えば、２つの並列配置されたウィンドウ内で出版物の分析を行うことが可能であり、ユーザーは、テキストに関してテキストサーチを行い、その後で、そのテキストに伴うダイアグラムを研究することが出来る。電子データの形で記憶されていない雑誌および書籍には、非常に多量の遺産データが存在する。既に述べたページ付けプロセスの代わりに、既存のテキストデータを使用せず、その代りに、イメージからテキスト情報を再生するためにのみ光学式文字読取り装置を使用するページ付けプロセスを用いるだけでこの種データを利用できるはずである。イメージファイルが無い場合には、オリジナルのプリントされた資料をスキャンすることによってイメージファイルを容易に作成することができる。これらのイメージは、当該アプリケーションにおいてカラーであることが重要である場合には、カラーフォーマットにおいて蓄えることが出来る。
【０１９６】
本発明は、図１から８６までに識別される２、３の特定の実施例と共に説明したが、前述の記述の観点から見て多くの代替、修正、及び、変更が可能であることは、当該技術分野における熟練者にとっては明白である筈である。従って、本発明は、ここに開示した本発明の精神及び適用範囲に含まれる全ての代替、修正、及び、変更を包括することを意図したものである。更に、白黒の明細書及び図面として記述されたために、本明細書の読者は、「ＰａｔｅｎｔＷｏｒｋｓ＊」、「ＰａｔｅｎｔＷｏｒｋｓ＊”Ｍａｎｕａｌと題するビデオテープ、及び、本特許の原出願書と共に提出された同じ名前のコンピュータプログラムを参照されたい。本発明の多数の特徴は動的事象および色彩の使用と関係するので、本発明の性質を徹底的に理解するためには、米国特許庁提出されたビデオテープの観察及びプログラムの使用をお薦めする。
【図１】
2010123134.tif 000003
【図２】
2010123134.tif 000004
【図３】
2010123134.tif 000005
【図４】
2010123134.tif 000006
【図５】
2010123134.tif 000007
【図６】
2010123134.tif 000008
【図７】
2010123134.tif 000009
【図８】
2010123134.tif 000010
【図９】
2010123134.tif 000011
【図１０】
2010123134.tif 000012
【図１１】
2010123134.tif 000013
【図１２】
2010123134.tif 000014
【図１３】
2010123134.tif 000015
【図１４】
2010123134.tif 000016
【図１５】
2010123134.tif 000017
【図１６】
2010123134.tif 000018
【図１７】
2010123134.tif 000019
【図１８】
2010123134.tif 000020
【図１９】
2010123134.tif 000021
【図２０】
2010123134.tif 000022
【図２１】
2010123134.tif 000023
【図２２】
2010123134.tif 000024
【図２３】
2010123134.tif 000025
【図２４】
2010123134.tif 000026
【図２５】
2010123134.tif 000027
【図２６】
2010123134.tif 000028
【図２７】
2010123134.tif 000029
【図２８】
2010123134.tif 000030
【図２９】
2010123134.tif 000031
【図３０】
2010123134.tif 000032
【図３１】
2010123134.tif 000033
【図３２】
2010123134.tif 000034
【図３３】
2010123134.tif 000035
【図３４】
2010123134.tif 000036
【図３５】
2010123134.tif 000037
【図３６】
2010123134.tif 000038
【図３７】
2010123134.tif 000039
【図３８】
2010123134.tif 000040
【図３９】
2010123134.tif 000041
【図４０】
2010123134.tif 000042
【図４１】
2010123134.tif 000043
【図４２】
2010123134.tif 000044
【図４３】
2010123134.tif 000045
【図４４】
2010123134.tif 000046
【図４５】
2010123134.tif 000047
【図４６】
2010123134.tif 000048
【図４７】
2010123134.tif 000049
【図４８】
2010123134.tif 000050
【図４９】
2010123134.tif 000051
【図５０】
2010123134.tif 000052
【図５１】
2010123134.tif 000053
【図５２】
2010123134.tif 000054
【図５３】
2010123134.tif 000055
【図５４】
2010123134.tif 000056
【図５５】
2010123134.tif 000057
【図５６】
2010123134.tif 000058
【図５７】
2010123134.tif 000059
【図５８】
2010123134.tif 000060
【図５９】
2010123134.tif 000061
【図６０】
2010123134.tif 000062
【図６１】
2010123134.tif 000063
【図６２】
2010123134.tif 000064
【図６３】
2010123134.tif 000065
【図６４】
2010123134.tif 000066
【図６５】
2010123134.tif 000067
【図６６】
2010123134.tif 000068
【図６７】
2010123134.tif 000069
【図６８】
2010123134.tif 000070
【図６９】
2010123134.tif 000071
【図７０】
2010123134.tif 000072
【図７１】
2010123134.tif 000073
【図７２】
2010123134.tif 000074
【図７３】
2010123134.tif 000075
【図７４】
2010123134.tif 000076
【図７５】
2010123134.tif 000077
【図７６】
2010123134.tif 000078
【図７７】
2010123134.tif 000079
【図７８】
2010123134.tif 000080
【図７９】
2010123134.tif 000081
【図８０】
2010123134.tif 000082
【図８１】
2010123134.tif 000083
【図８２】
2010123134.tif 000084
【図８３】
2010123134.tif 000085
【図８４】
2010123134.tif 000086
【図８５】
2010123134.tif 000087
【図８６】
2010123134.tif 000088
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
ドキュメントの等価テキストファイルを、前記ドキュメントのソーステキストファイルと前記ドキュメントのソースイメージファイルとから生成する方法において、
コンピューターシステムにより、少なくとも１つの記憶媒体からドキュメントのソーステキストファイルと前記ドキュメントのソースイメージファイルとを抽出し、
前記コンピューターシステムにより、前記ドキュメントの前記ソースイメージファイルに従って前記ドキュメントの前記ソーステキストファイルをページ付け処理し、それにより前記ドキュメントの前記ソースイメージファイルの等価テキストファイルを生成する、
処理を備え、
前記等価テキストファイルの電子的な視覚ディスプレイ表現は、前記ソースイメージファイルの電子的な視覚ディスプレイ表現と実質的に等価な外観を有する方法。
【請求項２】
請求項１に記載の方法において、前記等価テキストファイルが、前記ドキュメントの前記ソーステキストファイルと前記ドキュメントの前記ソースイメージファイルとの間の等価関係を定義するページ付け情報を含むデータファイルと結合することを特徴とする方法。
【請求項３】
請求項１に記載の方法において、
前記ソーステキストファイルはＰＴＯテキストファイルを備え、
前記ソースイメージファイルはＰＴＯイメージファイルを備え、
前記等価テキストファイルは、前記ソーステキストファイルと前記ソースイメージファイルとの間の等価関係を定義するページ付け情報を含むデータファイルと結合し、
前記ページ付け情報は、
前記ＰＴＯイメージファイルにディスプレイされる各特許テキストカラムの最初のＡＳＣＩＩキャラクタの前記ＰＴＯテキストファイル内の位置に関するカラム情報と、
前記ＰＴＯイメージファイルにディスプレイされるテキストの各行の最初のＡＳＣＩＩキャラクタの前記ＰＴＯテキストファイル内の位置に関する行情報と、
前記ＰＴＯテキストファイルにおけるＡＳＣＩＩテキストの各行が隣接する特許カラムにおける概略行番号を含むカラム行番号情報と、
前記ＰＴＯイメージファイル内の書誌的イメージに現れた場合における前記ＰＴＯテキストファイルからの書誌的データの配列を含む書誌的フォーマット化情報と、
を含むことを特徴とする方法。
【請求項４】
請求項３に記載の方法において、
ページ付け情報は、更に、
前記ＰＴＯテキストファイルにおいて識別されたグラフィックスの前記ＰＴＯテキストファイルにおけるロケーションを識別する図形アイテム情報と、
前記ＰＴＯイメージファイルにディスプレイされた場合に特許ドキュメントの論理セクションの前記ＰＴＯテキストファイル内の位置を識別するセクション情報と、
を含むことを特徴とする方法。
【請求項５】
請求項４に記載の方法において、
前記ページ付け情報は、更に、
前記ＰＴＯテキストファイルにおける前記ＡＳＣＩＩキャラクタが前記ＰＴＯイメージファイルにディスプレイされるフォントスタイルを識別するフォント情報と、
前記ＰＴＯテキストファイルにおける前記ＡＳＣＩＩキャラクタが前記ＰＴＯイメージファイルにディスプレイされるフォントサイズを識別するポイントサイズ情報と、
肩文字または添字フォーマットを有する場合において、前記ＰＴＯイメージファイルにディスプレイされる前記ＰＴＯテキストファイルにおけるＡＳＣＩＩキャラクタを識別する肩文字及び添字情報と、
前記ＰＴＯテキストファイルにおける前記ＡＳＣＩＩキャラクタが前記ＰＴＯイメージファイルにディスプレイされる前記フォントスタイルの太さの程度を識別するボールドネス情報と、
を含むことを特徴とする方法。
【請求項６】
請求項５に記載の方法において、
前記ページ付け情報は、更に、
前記ＰＴＯイメージファイルにディスプレイされる前記ＰＴＯテキストファイルにおける前記ＡＳＣＩＩキャラクタの前記フォントスタイルのイタリック体の程度を識別するイタリック体情報と、
前記ＰＴＯテキストファイルにおけるどの前記ＡＳＣＩＩキャラクタが特殊文字として前記ＰＴＯイメージファイルにディスプレイされるかを識別する特殊文字情報と、
を含むことを特徴とする方法。
【請求項７】
請求項１に記載の方法において、
前記ページ付け処理することは、
前記コンピューターシステムにより、ページ毎のベースにおいて前記ソースイメージファイルに従って前記ソーステキストファイルをページ付け処理し、それにより前記等価テキストファイルを生成する、ことを有することを特徴とする方法。
【請求項８】
請求項１に記載の方法において、
前記ページ付け処理することは、
前記コンピューターシステムにより、ページ及びカラムベースにおいて前記ソースイメージファイルに従って前記ソーステキストファイルをページ付け処理し、それにより前記等価テキストファイルを生成する、ことを有することを特徴とする方法。
【請求項９】
請求項１に記載の方法において、
前記ページ付け処理することは、
前記コンピューターシステムにより、ページ、カラム及び行ベースにおいて前記ソースイメージファイルに従って前記ソーステキストファイルをページ付け処理し、それにより前記等価テキストファイルを生成する、ことを有することを特徴とする方法。
【請求項１０】
前記ソースイメージファイルが圧縮される請求項１に記載の方法において、
前記ページ付け処理することは、
前記コンピューターシステムにより、前記圧縮されたイメージファイルにおけるクランプを識別し、
前記コンピューターシステムにより、前記クランプをキャラクタテンプレートと比較し、それにより前記クランプをキャラクタとして認識し、
前記コンピューターシステムにより、前記圧縮されたソースイメージファイルにおけるキャラクタの前記行を有する前記ソーステキストファイルを、前記ソーステキストファイルにおけるキャラクタを用いて、関連した行の終端部、カラムの終端部、および、ページの終端部にマッチさせる、
処理を有し、
行の終端部、カラムの終端部、および、ページの終端部と関連した前記ソーステキストファイルが、前記等価テキストファイルを表す、
ことを特徴とする方法。
【請求項１１】
ドキュメントの等価テキストファイルを、前記ドキュメントのソーステキストファイルと前記ドキュメントのソースイメージファイルとから生成する装置において、
少なくとも１つの記憶媒体から前記ドキュメントのソーステキストファイルと前記ドキュメントのソースイメージファイルとを抽出するための抽出手段と、
前記ドキュメントの前記ソースイメージファイルに従って前記ドキュメントの前記ソーステキストファイルをページ付け処理し、それにより等価テキストファイルを生成する、ページ付け処理手段と、
を備え、
前記等価テキストファイルの電子的な視覚ディスプレイ表現は、前記ソースイメージファイルの電子的な視覚ディスプレイ表現と実質的に等価な外観を有することを特徴とする装置。
【請求項１２】
請求項１１に記載の装置において、
前記ソーステキストファイルはＰＴＯテキストファイルを備え、
前記ソースイメージファイルはＰＴＯイメージファイルを備え、
前記等価テキストファイルは、前記ソーステキストファイルと前記ソースイメージファイルとの間の等価関係を定義するページ付け情報を含むデータファイルと結合し、
前記ページ付け情報は、
前記ＰＴＯイメージファイルにディスプレイされる各特許テキストカラムの最初のＡＳＣＩＩキャラクタの前記ＰＴＯテキストファイル内の位置に関するカラム情報と、
前記ＰＴＯイメージファイルにディスプレイされるテキストの各行の最初のＡＳＣＩＩキャラクタの前記ＰＴＯテキストファイル内の位置に関する行情報と、
前記ＰＴＯテキストファイルにおけるＡＳＣＩＩテキストの各行が隣接する特許カラムにおける概略行番号を含むカラム行番号情報と、
前記ＰＴＯイメージファイル内の書誌的イメージに現れた場合における前記ＰＴＯテキストファイルからの書誌的データの配列を含む書誌的フォーマット化情報と、
前記ＰＴＯテキストファイルにおいて識別されたグラフィックスの前記ＰＴＯテキストファイルにおけるロケーションを識別する図形アイテム情報と、
前記ＰＴＯイメージファイルにディスプレイされた場合に特許ドキュメントの論理セクションの前記ＰＴＯテキストファイル内の位置を識別するセクション情報と、
前記ＰＴＯテキストファイルにおける前記ＡＳＣＩＩキャラクタが前記ＰＴＯイメージファイルにディスプレイされるフォントスタイルを識別するフォント情報と、
前記ＰＴＯテキストファイルにおける前記ＡＳＣＩＩキャラクタが前記ＰＴＯイメージファイルにディスプレイされるフォントサイズを識別するポイントサイズ情報と、
肩文字または添字フォーマットを有する場合において、前記ＰＴＯイメージファイルにディスプレイされる前記ＰＴＯテキストファイルにおけるＡＳＣＩＩキャラクタを識別する肩文字及び添字情報と、
前記ＰＴＯテキストファイルにおける前記ＡＳＣＩＩキャラクタが前記ＰＴＯイメージファイルにディスプレイされる前記フォントスタイルの太さの程度を識別するボールドネス情報と、
前記ＰＴＯイメージファイルにディスプレイされる前記ＰＴＯテキストファイルにおける前記ＡＳＣＩＩキャラクタの前記フォントスタイルのイタリック体の程度を識別するイタリック体情報と、
前記ＰＴＯテキストファイルにおけるどの前記ＡＳＣＩＩキャラクタが特殊文字として前記ＰＴＯイメージファイルにディスプレイされるかを識別する特殊文字情報と、
を有することを特徴とする装置。
【請求項１３】
少なくとも１つの中央処理装置（ＣＰＵ）を有するコンピュータ制御されたディスプレイシステムにおいて、前記ＣＰＵはディスプレイ装置上にテキストとイメージとをディスプレイする前記ディスプレイ装置に結合され、
前記ＣＰＵに結合した、等価テキストファイルを有する少なくとも１つのテキストドキュメントと、イメージファイルを有する少なくとも１つのイメージドキュメントとを記憶するための記憶手段を備え、各等価テキストファイルは、前記等価テキストファイル内のキャラクタを、対応するソースイメージファイルにおけるロケーションに結び付ける一連のリンクを有し、それにより前記等価テキストファイルの電子的な視覚ディスプレイ表現が前記対応するイメージファイルの電子的な視覚ディスプレイ表現と実質的に等価な外観を有し、
前記ディスプレイ装置上のディスプレイのために前記ＣＰＵによって生成されるユーザーインタフェースを備え、前記ユーザーインタフェースは前記等価テキストファイルと前記イメージファイルとを前記ディスプレイ装置上に選択的にディスプレイし、それにより、前記等価テキストファイルが第１のウィンドウにディスプレイされ、且つ、前記イメージファイルが第２のウィンドウにディスプレイされ、且つ、両方の前記ウィンドウが前記ディスプレイ装置上において選択的に同時に見られ得る、
ことを特徴とするシステム。
【請求項１４】
少なくとも１つの中央処理装置（ＣＰＵ）を有するコンピュータ制御されたディスプレイシステムにおける、前記ＣＰＵはディスプレイ装置に結合されている、前記ディスプレイ装置上にテキストとイメージとをディスプレイするディスプレイ方法において、
前記ＣＰＵに結合した記憶手段に、等価テキストファイルを有する少なくとも１つのテキストドキュメントと、前記記憶手段に記憶されたイメージファイルを有する少なくとも１つのイメージドキュメントとを記憶し、各等価テキストファイルは、前記等価テキストファイル内のキャラクタを、対応するソースイメージファイルにおけるロケーションに結び付ける一連のリンクを有し、それにより前記等価テキストファイルの電子的な視覚ディスプレイ表現が前記対応するイメージファイルの電子的な視覚ディスプレイ表現と実質的に等価な外観を有し、
前記ディスプレイ装置上にディスプレイするために前記ＣＰＵを用いてユーザーインタフェースを生成し、
前記ユーザーインタフェースを用いて、前記ディスプレイ上に、前記等価テキストファイルと、前記対応するイメージファイルとを選択的にディスプレイし、それにより、前記等価テキストファイルが第１のウィンドウにディスプレイされ、且つ、前記イメージファイルが第２のウィンドウにディスプレイされ、且つ、両方の前記ウィンドウが前記ディスプレイ上において選択的に同時に見られ得る、
処理を備えることを特徴とする方法。